(57)【要約】【解決手段】パターニングプロセスへの補正を決定する方法が本書に記載される。この方法は、メトロロジデータおよびパターニングプロセスに使用される装置のデータから導出されるパターニングプロセスの複数の性質（例えば、複数のパラメータマップ、または１つ又は複数の補正）を取得することと、ハードウェアコンピュータシステムによって、代表の性質を複数の性質から選択することと、ハードウェアコンピュータシステムによって、パターニングプロセスへの補正を代表の性質に基づいて決定することと、を備える。【選択図】図１５
2021508078.tif 000002
【特許請求の範囲】
【請求項１】
パターニングプロセスへの補正を決定する方法であって、
メトロロジデータおよび前記パターニングプロセスに使用される装置のデータから導出される複数の性質を取得することと、
ハードウェアコンピュータシステムによって、代表の性質を前記複数の性質から選択又は生成することと、
前記ハードウェアコンピュータシステムによって、前記パターニングプロセスへの補正を前記代表の性質に基づいて決定することと、を備える方法。
【請求項２】
前記複数の性質は、複数のパラメータマップであり、前記複数のパラメータマップの各パラメータマップが、前記メトロロジデータおよび前記パターニングプロセスに使用される前記装置の前記データから生成され、
前記代表の性質は、前記複数のパラメータマップから選択される代表パラメータマップである、請求項１に記載の方法。
【請求項３】
前記複数の性質は、前記パターニングプロセス中に処理された基板ロットについての前記パターニングプロセスの複数のパラメータマップに対応する１つ又は複数の補正であり、前記複数のパラメータマップの各パラメータマップが、前記メトロロジデータおよび前記パターニングプロセスに使用される前記装置の前記データから生成され、
前記代表の性質は、前記パターニングプロセスへの１つ又は複数の補正から選択される代表補正である、請求項１に記載の方法。
【請求項４】
前記代表の性質を選択することは、前記複数の性質の重み付き平均に基づく、請求項１に記載の方法。
【請求項５】
前記代表の性質を選択することは、前記パターニングプロセスに使用される前記装置の潜在的補正能力に基づく、請求項１に記載の方法。
【請求項６】
前記補正は、被処理基板上の後続の層、後続の基板ロット、後続の装置を使用して処理される前記基板ロット内の基板についての前記後続のプロセス装置、のうち１つ又は複数についての前記パターニングプロセスへの補正、及び／又は前記パターニングプロセスに使用される少なくとも１つの他のプロセス装置への補正を備える、請求項１に記載の方法。
【請求項７】
前記パラメータマップは各々が、前記パターニングプロセスの個別の寄与因子に関連している、請求項２に記載の方法。
【請求項８】
各パラメータマップについて一貫性特性を、前記パターニングプロセス中の別々の層及び／又は基板に関連するパラメータマップどうしの寄与因子ごとの比較に基づいて決定することと、
寄与因子が系統的であるか否かを前記一貫性特性に基づいて決定することと、をさらに備える、請求項７に記載の方法。
【請求項９】
前記代表の性質を選択するとき、系統的であると決定された寄与因子に対応するパラメータマップのみが使用されるか、または、系統的であると決定された寄与因子に、より大きな重み付けが割り当てられる、請求項８に記載の方法。
【請求項１０】
前記一貫性特性を決定するためのパラメータマップの前記比較は、前記パラメータマップ間の変動の程度を決定することを備える、請求項７に記載の方法。
【請求項１１】
前記パラメータマップのパラメータは、オーバレイ、クリティカルディメンション、フォーカス、及び／又はエッジ配置誤差である、請求項２に記載の方法。
【請求項１２】
前記装置は、リソグラフィ装置（スキャナ）である、請求項２に記載の方法。
【請求項１３】
前記スキャナに関連する前記データは、レベリングデータ、アライメントデータ、投影システムに関連付けられた収差データ、及び／又はレチクル位相を含む、請求項１２に記載の方法。
【請求項１４】
前記複数のパラメータマップの各パラメータマップは、パラメータの高密度マップであり、前記高密度マップが、前記パラメータに対する前記パターニングプロセスの１つ又は複数のプロセス変数の寄与度のモデル化及び／又はシミュレーションによって生成される、請求項１３に記載の方法。
【請求項１５】
少なくとも１つのパラメータマップを、少なくとも１つの個別の寄与因子のモデル化された表現を取得するためにモデル化することと、
モデル化された前記少なくとも１つのパラメータマップと前記少なくとも１つのパラメータマップを、前記少なくとも１つの個別の寄与因子の少なくとも１つの更新された表現を取得するために結合することと、をさらに備える、請求項７に記載の方法。
【発明の詳細な説明】
【技術分野】
【０００１】
関連出願の相互参照
本出願は、２０１７年１２月１９日に出願された米国出願第６２／６０７，７７７号および２０１８年１０月１２日に出願された欧州出願第１８２０００１４．１の優先権を主張し、それらの全体が本明細書に参照により援用される。
【０００２】
本開示は、デバイス製造方法の性能を改良する技術に関する。本技術は、リソグラフィ装置またはメトロロジ装置に関連して使用されうる。
【背景技術】
【０００３】
リソグラフィ装置は、基板のターゲット部分に所望のパターンを与える機械である。リソグラフィ装置は、例えば集積回路（ＩＣ）の製造に使用可能である。この場合、マスクまたはレチクルとも称されるパターニングデバイスが、ＩＣの個別の層に対応する回路パターンを生成するために使用されてもよく、このパターンが放射感応性材料（レジスト）層を有する基板（例えばシリコンウェーハ）上のターゲット部分（例えば１つまたは複数のダイもしくはダイの一部を備える）に結像されうる。一般に一枚の基板には網状に隣接する一群のターゲット部分が含まれ、これらは連続的に露光される。公知のリソグラフィ装置には、ターゲット部分にパターン全体が一度に露光されるようにして各ターゲット部分が照射を受ける、いわゆるステッパと、所与の方向（「走査」方向）に放射ビームによりパターンを走査するとともに基板をこの方向と平行または逆平行に走査するようにして各ターゲット部分が照射を受ける、いわゆるスキャナとが含まれる。
【０００４】
回路パターンをパターニングデバイスから基板に転写する前に、基板は、プライミング、レジストコーティング、ソフトベークなどの様々な手順を受けてもよい。露光後、基板は、例えば、露光後ベーク（ＰＥＢ）、現像、ハードベーク、および転写された回路パターンの測定／検査などの他の手順を受けてもよい。このような手順の配列は、デバイス例えばＩＣの個々の層を作るための基礎として使用される。その後、基板は、エッチング、イオン注入（ドーピング）、メタライゼーション、酸化、化学機械的研磨など、デバイスの個々の層を仕上げることを意図した様々なプロセスを受けてもよい。デバイスにおいて複数の層が必要とされる場合には、全体の手順またはその変形例が各層について繰り返される。最終的には、基板上の各ターゲット部分にデバイスが存在することになる。これらのデバイスは、その後、ダイシングやソーイングなどの技術によって互いに分離され、そこから個々のデバイスは、キャリアに取り付けられたり、ピンなどに接続されたりすることができる。
【０００５】
半導体デバイスなどのデバイスの製造には通例、さまざまなフィーチャ、およびデバイスの多数の層を形成するために多くの製造プロセスを使用して基板（例えば、半導体ウェーハ）を処理することが含まれる。こうした層及びフィーチャは、典型的には例えば、成膜、リソグラフィ、エッチング、化学機械研磨、およびイオン注入を使用して製造および処理される。複数のデバイスが基板上の複数のダイに製造され、その後、個々のデバイスに分離されうる。このデバイス製造工程は、パターニングプロセスとみなされうる。パターニングプロセスは、リソグラフィ装置におけるパターニングデバイスを用いた光学リソグラフィ及び／又はナノインプリントリソグラフィなど、基板にパターニングデバイス上のパターンを提供するパターニングステップを含み、また、任意選択的であるが典型的に、現像装置によるレジスト現像、ベークツールを用いた基板のベーキング、エッチング装置を用いたパターンを用いるエッチングなど、１つ又は複数の関連するパターンプロセスステップを含む。
【発明の概要】
【０００６】
本開示のある実施の形態によると、パターニングプロセスへの補正を決定する方法が提供される。本方法は、前記パターニングプロセスの複数の性質を取得するステップと、ハードウェアコンピュータシステムによって、代表の性質を前記複数の性質から選択するステップと、前記ハードウェアコンピュータシステムによって、前記パターニングプロセスへの補正を前記代表の性質に基づいて決定するステップと、を備える。
【０００７】
前記複数の性質は、複数のパラメータマップであり、前記複数のパラメータマップの各パラメータマップが、メトロロジデータおよび前記パターニングプロセス用の装置のデータから生成される。前記代表の性質は、前記複数のパラメータマップから選択される代表パラメータマップである。
【０００８】
前記複数の性質は、前記パターニングプロセス中に処理された基板ロットについての前記パターニングプロセスの複数のパラメータマップに対応する１つ又は複数の補正であり、前記複数のパラメータマップの各パラメータマップが、メトロロジデータおよび前記パターニングプロセス用の装置のデータから生成される。前記代表の性質は、前記パターニングプロセスへの１つ又は複数の補正から選択される代表補正である。
【０００９】
ある実施の形態では、前記代表の性質を選択することは、前記複数の性質の重み付き平均に基づく。
【００１０】
ある実施の形態では、前記代表の性質を選択することは、前記パターニングプロセス用の前記装置の潜在的補正能力に基づく。
【００１１】
前記補正は、後続の基板ロットの基板についての前記装置への補正、後続の装置で処理される前記基板ロット内の基板についての前記後続の装置への補正、及び／又は前記パターニングプロセス用の少なくとも１つの他の装置への補正を含む。
【００１２】
前記パターニングプロセスのパラメータは、オーバレイ、クリティカルディメンション、フォーカス、及び／又はエッジ配置誤差である。
【００１３】
前記装置は、スキャナである。
【００１４】
前記スキャナに関連する前記データは、レベリングデータ、アライメントデータ、投影システムに関連付けられた収差データ、及び／又はレチクル位相を含む。
【００１５】
前記複数のパラメータマップは、オーバレイ、クリティカルディメンション、フォーカス、及び／又はエッジ配置誤差を含む１つ又は複数のパラメータについてのパラメータマップを含む。前記複数のパラメータマップの各パラメータマップは、パラメータの高密度マップであり、前記高密度マップが、前記パラメータに対する前記パターニングプロセスの１つ又は複数のプロセス変数の寄与度のモデル化及び／又はシミュレーションによって生成される。前記プロセス変数は、フォーカス及び／又はドーズである。
【００１６】
さらに、本開示のある実施の形態によると、パターニングプロセスに補正を適用する方法が提供される。本方法は、（ｉ）前記パターニングプロセスの複数の性質から選択される代表の性質と、（ｉｉ）前記代表の性質に基づく補正とを取得することと、ハードウェアコンピュータシステムによって、基板ロット内の基板、及び／又は後続の基板ロットの基板について前記パターニングプロセスに前記補正を適用することと、を含む。
【００１７】
前記複数の性質は、複数のパラメータマップであり、前記複数のパラメータマップの各パラメータマップが、メトロロジデータおよび前記パターニングプロセス用の装置のデータから生成される。前記代表の性質は、前記複数のパラメータマップから選択される代表パラメータマップである。
【００１８】
前記複数の性質は、前記パターニングプロセス中に処理された基板ロットについての前記パターニングプロセスの複数のパラメータマップに対応する１つ又は複数の補正であり、前記複数のパラメータマップの各パラメータマップが、メトロロジデータおよび前記パターニングプロセス用の装置のデータから生成される。前記代表の性質は、前記パターニングプロセスへの１つ又は複数の補正から選択される代表補正である。
【００１９】
前記代表の性質を選択することは、前記複数の性質の重み付き平均に基づく。
【００２０】
前記代表の性質を選択することは、前記パターニングプロセス用の前記装置の潜在的補正能力に基づく。
【００２１】
さらに、本開示のある実施の形態によると、パターニングプロセスへの補正を決定する方法が提供され、本方法は、（ｉ）以前に処理済みの基板ロットについての前記パターニングプロセスの複数の性質、（ｉｉ）現在の基板の測定値、および（ｉｉｉ）前記現在の基板の測定値に基づく現在の性質を取得することと、ハードウェアコンピュータシステムによって、整合する性質を前記現在の性質と前記複数の性質との比較に基づいて前記複数の性質から特定することと、前記ハードウェアコンピュータシステムによって、前記パターニングプロセスへの補正を前記整合する性質に基づいて決定することと、を含む。
【００２２】
前記複数の性質は、複数のパラメータマップであり、前記複数のパラメータマップの各パラメータマップが、前記メトロロジデータおよび前記パターニングプロセス用の装置のデータから生成される。前記現在の性質は、前記現在の基板の測定値から生成される現在基板マップである。前記整合する性質は、前記複数のパラメータマップから前記現在基板マップと前記複数のパラメータマップとの比較に基づいて特定される整合パラメータマップである。
【００２３】
前記複数の性質は、前記複数のパラメータマップに対応する１つ又は複数の補正であり、前記複数のパラメータマップの各パラメータマップが、メトロロジデータおよび前記パターニングプロセス用の装置のデータから生成される。前記現在の性質は、前記現在の基板の測定値から生成される現在基板マップに基づく現在補正である。前記整合する性質は、前記１つ又は複数の補正から前記現在補正と前記１つ又は複数の補正との比較に基づいて特定される整合補正マップである。
【００２４】
本方法は、前記現在の基板の測定値および前記パターニングプロセス用の前記装置のデータに基づいて、モデリング及び／又はシミュレーションにより、モデル化パラメータマップを取得するステップと、前記ハードウェアコンピュータシステムによって、前記整合パラメータマップを前記複数のパラメータマップから前記モデル化パラメータマップと前記複数のパラメータマップとの比較に基づいて特定するステップと、前記ハードウェアコンピュータシステムによって、前記パターニングプロセスへの補正を前記整合パラメータマップに基づいて決定するステップと、をさらに含む。
【００２５】
本方法は、前記複数のパラメータマップに基づいて基板の１つ又は複数のカテゴリーを、及び／又は前記基板の１つ又は複数のカテゴリーに対応する１つ又は複数の補正を取得するステップと、前記ハードウェアコンピュータシステムによって、基板カテゴリーを前記基板の１つ又は複数のカテゴリーから前記現在の基板の測定値に基づいて特定するステップと、前記ハードウェアコンピュータシステムによって、前記基板の特定されたカテゴリーに対応する前記パターニングプロセスへの前記補正を選択するステップと、をさらに含む。
【００２６】
前記整合する性質を選択することは、前記複数の性質の重み付き平均に基づく。
【００２７】
前記整合する性質を選択することは、前記パターニングプロセス用の前記装置の潜在的補正能力に基づく。
【００２８】
前記補正は、前記基板ロット内の基板についての後続の装置への補正、後続の基板ロットの基板についての前記装置への補正、及び／又は前記パターニングプロセス用の他の装置への補正を備える。
【００２９】
さらに、本開示のある実施の形態によると、パターニングプロセスに補正を適用する方法が提供される。本方法は、（ｉ）以前に処理済みの基板についての前記パターニングプロセスの複数の性質から、現在の基板の測定値に基づく現在の性質と前記複数の性質との比較に基づいて特定される整合する性質を取得し、（ｉｉ）前記整合する性質に基づく補正を取得するステップと、ハードウェアコンピュータシステムによって、前記現在の基板について前記パターニングプロセスに前記補正を適用することと、を含む。
【００３０】
前記複数の性質は、複数のパラメータマップであり、前記複数のパラメータマップの各パラメータマップが、前記メトロロジデータおよび前記パターニングプロセス用の装置のデータから生成される。前記現在の性質は、前記現在の基板の測定値から生成される現在基板マップである。前記整合する性質は、前記複数のパラメータマップから前記現在基板マップと前記複数のパラメータマップとの比較に基づいて特定される整合パラメータマップである。
【００３１】
前記複数の性質は、前記複数のパラメータマップに対応する１つ又は複数の補正であり、前記複数のパラメータマップの各パラメータマップが、メトロロジデータおよび前記パターニングプロセス用の装置のデータから生成される。前記現在の性質は、前記現在の基板の測定値から生成される現在基板マップに基づく現在補正である。前記整合する性質は、前記１つ又は複数の補正から前記現在補正と前記１つ又は複数の補正との比較に基づいて特定される整合補正マップである。
【００３２】
本方法は、前記現在の基板の測定値および前記パターニングプロセス用の前記装置のデータに基づいて、モデリング及び／又はシミュレーションにより、モデル化パラメータマップを取得するステップと、前記ハードウェアコンピュータシステムによって、前記整合パラメータマップを前記複数のパラメータマップから前記モデル化パラメータマップと前記複数のパラメータマップとの比較に基づいて特定するステップと、前記ハードウェアコンピュータシステムによって、前記パターニングプロセスへの補正を前記整合パラメータマップに基づいて決定するステップと、をさらに含む。
【００３３】
本方法は、前記複数のパラメータマップに基づいて基板の１つ又は複数のカテゴリーを、及び／又は前記基板の１つ又は複数のカテゴリーに対応する１つ又は複数の補正を取得するステップと、前記ハードウェアコンピュータシステムによって、基板カテゴリーを前記基板の１つ又は複数のカテゴリーから前記現在の基板の測定値に基づいて特定するステップと、前記ハードウェアコンピュータシステムによって、前記基板の特定されたカテゴリーに対応する補正を選択するステップと、をさらに含む。
【００３４】
前記整合する性質を選択することは、前記複数の性質の重み付き平均に基づく。
【００３５】
前記整合する性質を選択することは、前記パターニングプロセス用の前記装置の潜在的補正能力に基づく。
【００３６】
前記補正は、前記基板ロット内の基板についての後続の装置への補正、後続の基板ロットの基板についての前記装置への補正、及び／又は前記パターニングプロセス用の他の装置への補正を備える。
【図面の簡単な説明】
【００３７】
【図１】ある実施の形態に係るリソグラフィ装置を模式的に示す。
【００３８】
【図２】ある実施の形態のリソグラフィックセル又はクラスタを模式的に示す。
【００３９】
【図３】検査装置及びメトロロジ技術の一例を模式的に示す。
【００４０】
【図４】検査装置の一例を模式的に示す。
【００４１】
【図５】検査装置の照明スポットとメトロロジターゲットとの間の関係を示す。
【００４２】
【図６】測定データに基づいて複数の対象となる変数を導出するプロセスを模式的に示す。
【００４３】
【図７】プロセス変数のカテゴリーの例を示す。
【００４４】
【図８】メトロロジデータへの寄与度を有しうるプロセス変数の変化を模式的に示す。
【００４５】
【図９】プロセス変数に結合された寄与度を導出する例を模式的に示す。
【００４６】
【図１０】メトロロジデータからプロセス変数への寄与度を導出する例を模式的に示す。
【００４７】
【図１１】本発明のある実施の形態に係り、方法についてフローを模式的に示す。
【００４８】
【図１２】本発明のある実施の形態に係り、方法についてフローを模式的に示す。
【００４９】
【図１３】本発明のある実施の形態に係り、方法についてフローを模式的に示す。
【００５０】
【図１４】本発明のある実施の形態に係り、方法についてフローを模式的に示す。
【００５１】
【図１５】本発明のある実施の形態に係り、方法についてフローを模式的に示す。
【００５２】
【図１６】本発明のある実施の形態に係り、方法についてフローを模式的に示す。
【００５３】
【図１７Ａ】本発明のある実施の形態に係り、方法についてフローを模式的に示す。
【００５４】
【図１７Ｂ】本発明のある実施の形態に係り、高密度マップのカテゴリーの例を示す。
【００５５】
【図１８】本発明のある実施の形態に係り、方法についてフローを模式的に示す。
【００５６】
【図１９】本発明のある実施の形態に係り、方法についてフローを模式的に示す。
【００５７】
【図２０】本発明のある実施の形態に係り、（ａ）セットアップ方法および（ｂ）計算メトロロジ方法についてフローを模式的に示す。
【００５８】
【図２１】コンピュータシステムの一例のブロック図である。
【００５９】
【図２２】本発明のある実施の形態に係り、方法についてフローを模式的に示す。
【発明を実施するための形態】
【００６０】
実施の形態を詳細に説明する前に、実施の形態が実装されうる例示的な環境を提示することが有益である。
【００６１】
図１は、ある実施の形態のリソグラフィ装置ＬＡを模式的に示す。本装置は、
−  放射ビームＢ（例えばＵＶ放射またはＤＵＶ放射）を調整するよう構成される照明システム（イルミネータ）ＩＬと、
−  パターニングデバイス（例えばマスク）ＭＡを支持するよう構築され、特定のパラメータに従ってパターニングデバイスを正確に位置決めするよう構成される第１位置決め部ＰＭに接続されている支持構造（例えばマスクテーブル）ＭＴと、
−  基板（例えば、レジストでコーティングされたウェーハ）Ｗを保持するよう構築され、特定のパラメータに従って基板を正確に位置決めするよう構成される第２位置決め部ＰＷに接続されている基板テーブル（例えばウェーハテーブル）ＷＴ（例えば、ＷＴａ、ＷＴｂ、またはその両方）と、
−  パターニングデバイスＭＡにより放射ビームＢに付与されるパターンを基板Ｗの（例えば１つ又は複数のダイを備え、フィールドともしばしば称される）ターゲット部分Ｃに投影するよう構成される投影システム（例えば屈折型投影レンズシステム）ＰＳと、を備える。投影システムは、基準フレーム（ＲＦ）に支持されている。
【００６２】
図示されるように、本装置は、（例えば透過型マスクを用いる）透過型である。これに代えて、本装置は、（例えば、上述の形式のプログラマブルミラーアレイ、または反射型マスクを用いる）反射型であってもよい。
【００６３】
イルミネータＩＬは放射ソースＳＯから放射ビームを受ける。ソースとリソグラフィ装置とは、例えばソースがエキシマレーザである場合には、別体であってもよい。この場合、ソースはリソグラフィ装置の一部を構成しているとはみなされなく、放射ビームは、適当な方向変更用のミラー及び／又はビームエキスパンダを例えば備えるビーム搬送系ＢＤを介してソースＳＯからイルミネータＩＬへと受け渡される。ソースが例えば水銀ランプである等の他の場合には、ソースはリソグラフィ装置と一体の部分であってもよい。ソースＳＯとイルミネータＩＬとは、またビーム搬送系ＢＤが必要とされる場合にはこれも合わせて、放射システムと総称されてもよい。
【００６４】
イルミネータＩＬは、ビームの強度分布を変化させてもよい。イルミネータは、強度分布が瞳面内の環状領域内で非ゼロとなるように、放射ビームの径方向範囲を制限するように設けられてもよい。これに加えて又はこれに代えて、イルミネータＩＬは、瞳面内における等間隔配置の複数のセクタ内で強度分布が非ゼロとなるように、瞳面内のビームの分布を制限するように動作可能であってもよい。イルミネータＩＬの瞳面内の放射ビームの強度分布は、照明モードと呼ばれてもよい。
【００６５】
したがって、イルミネータＩＬは、ビームの（角度的／空間的）強度分布を調整するように構成されたアジャスタＡＭを備えてもよい。一般には、イルミネータの瞳面における強度分布の少なくとも外側及び／又は内側半径範囲（通常それぞれ「シグマ−アウタ（σ-outer）」、「シグマ−インナ（σ-inner）」と呼ばれる）を調整することができる。イルミネータＩＬは、ビームの角度分布を変化させるように動作可能であってもよい。例えば、イルミネータは、強度分布が非ゼロである瞳面内のセクタの数および角度範囲を変化させるように動作可能であってもよい。イルミネータの瞳面内のビームの強度分布を調整することにより、様々な照明モードが達成されてもよい。例えば、イルミネータＩＬの瞳面内の強度分布の径方向範囲および角度範囲を制限することにより、強度分布は、例えば、双極、四極、または六極分布などの多極分布を有しうる。所望の照明モードは、例えば、その照明モードを提供する光学部品をイルミネータＩＬに挿入することによって、または空間光変調器を使用することによって得られてもよい。
【００６６】
イルミネータＩＬは、ビームの偏光を変更するように動作可能であってもよく、アジャスタＡＭを用いて偏光を調整するように動作可能であってもよい。イルミネータＩＬの瞳面にわたる放射ビームの偏光状態は、偏光モードと呼ばれてもよい。様々な偏光モードを用いることにより、基板Ｗ上に形成される画像において、より大きなコントラストが得られるようにしてもよい。放射ビームは、非偏光であってもよい。あるいは、イルミネータは、放射ビームを直線的に偏光させるように設けられてもよい。放射ビームの偏光方向は、イルミネータＩＬの瞳面にわたって変化してもよい。放射の偏光方向は、イルミネータＩＬの瞳面内の異なる領域で異なっていてもよい。放射の偏光状態は、照明モードに依存して選択されてもよい。多極照明モードの場合、放射ビームの各極の偏光は、イルミネータＩＬの瞳面におけるその極の位置ベクトルに概ね垂直であってもよい。例えば、双極照明モードの場合、放射は、双極の２つの対向するセクタを二等分する線に実質的に垂直な方向に直線偏光されてもよい。放射ビームは、Ｘ偏光状態およびＹ偏光状態と呼ばれる、直交する２つの異なる方向のうちの１つに偏光していてもよい。四極照明モードでは、各極のセクタの放射は、そのセクタを二等分する線に実質的に垂直な方向に直線偏光されていてもよい。この偏光モードは、ＸＹ偏光と呼ばれてもよい。同様に、六極照明モードでは、各極のセクタ内の放射は、そのセクタを二等分する線に実質的に垂直な方向に直線偏光されていてもよい。この偏光モードは、ＴＥ偏光と呼ばれてもよい。
【００６７】
加えてイルミネータＩＬは、インテグレータＩＮおよびコンデンサＣＯ等その他の各種構成要素を備えてもよい。照明システムは、放射を方向付け、形状を整え、または制御するために、屈折光学部品、反射光学部品、磁気的光学部品、電磁気的光学部品、静電的光学部品、または他の種類の光学部品などの各種の光学部品、またはこれらの組合せを含みうる。
【００６８】
こうして、イルミネータは、ビーム断面における所望の均一性及び強度分布を有する、調整された放射ビームＢを提供する。
【００６９】
支持構造ＭＴは、パターニングデバイスの向き、リソグラフィ装置の設計、および例えばパターニングデバイスが真空環境に保持されるか否か等その他の条件に応じた方式でパターニングデバイスを支持する。支持構造は、パターニングデバイスを保持すべく、機械的、または真空、または静電、またはその他のクランプ技術を用いることができる。支持構造は、例えばフレームまたはテーブルであってもよく、これは必要に応じて固定されまたは移動可能であってもよい。支持構造は、パターニングデバイスが例えば投影システムに対して所望の位置にあることを保証しうる。本書での「レチクル」または「マスク」との用語の使用はいずれも、より一般的な用語である「パターニングデバイス」と同義であるとみなされうる。
【００７０】
本書で使用される「パターニングデバイス」という用語は、基板のターゲット部分にパターンを付与するために使用可能ないかなるデバイスをも指すよう広く解釈されるべきである。ある実施の形態においては、パターニングデバイスは、基板のターゲット部分にパターンを形成すべく放射ビームの断面にパターンを付与するために使用可能な任意のデバイスである。例えばパターンが位相シフトフィーチャあるいはいわゆるアシストフィーチャを含む場合のように、放射ビームに与えられるパターンは、基板のターゲット部分に所望されるパターンと厳密に一致していなくてもよい。一般には、放射ビームに付与されるパターンは、ターゲット部分に生成される集積回路などのデバイスにおける特定の機能層に対応する。
【００７１】
パターニングデバイスは透過型であっても反射型であってもよい。パターニングデバイスの例としては、マスクやプログラマブルミラーアレイ、プログラマブルＬＣＤパネルがある。マスクはリソグラフィの分野では周知であり、バイナリマスクやレベンソン型位相シフトマスク、ハーフトーン型位相シフトマスク、更に各種のハイブリッド型マスクが含まれる。プログラマブルミラーアレイの一例としては、小型のミラーがマトリックス状に配列され、各ミラーが入射してくる放射ビームを様々な方向に反射するように個別に傾斜可能であるというものがある。これらの傾斜ミラーにより、マトリックス状ミラーで反射された放射ビームにパターンが付与されることになる。
【００７２】
本書で使用される「投影システム」という用語は、屈折光学系、反射光学系、反射屈折光学系、磁気的光学系、電磁気的光学系、静電的光学系、またはそれらの任意の組み合わせを含むものであり、使用される露光放射に関して又は液浸液の使用または真空の使用等の他の要因に関して適切とされるいかなる投影システムをも包含するよう広く解釈されるべきである。本書での「投影レンズ」との用語の使用はいずれも、より一般的な用語である「投影システム」と同義であるとみなされうる。
【００７３】
投影システムＰＳは、不均一でありうる光学伝達関数を有し、これは基板Ｗ上に結像されるパターンに影響を与えうる。非偏光の放射に関してこのような影響は、２つのスカラーマップによってかなりよく記述することができる。これらは、投影システムＰＳを出る放射の透過（アポダイゼーション）および相対位相（収差）をその瞳面における位置の関数として記述するものである。透過マップおよび相対位相マップと呼ばれうるこれらのスカラーマップは、一式の基底関数の線形結合として表記されうる。特に便利なものは、ゼルニケ多項式であり、これは単位円に定義される直交多項式のセットを形成する。各スカラーマップの決定には、こうした展開における係数の決定が含まれうる。ゼルニケ多項式は単位円上で直交しているため、ゼルニケ係数は、測定されるスカラーマップと各ゼルニケ多項式の内積を順番に計算し、これをそのゼルニケ多項式のノルムの二乗で割ることによって決定されうる。
【００７４】
透過マップと相対位相マップは、フィールドおよびシステムに依存する。すなわち、一般的に、各投影システムＰＳは、フィールドポイントごとに（すなわち、その像面内の空間位置ごとに）異なるゼルニケ展開を持つことになる。投影システムＰＳについてのその瞳面における相対位相は、放射を、例えば投影システムＰＳの対物面（すなわち、パターニングデバイスＭＡの平面）内の点状のソースから投影システムＰＳを介して投影し、シアリング干渉計を用いて波面（すなわち、同じ位相をもつ点の軌跡）を測定することにより決定されうる。シアリング干渉計は共通経路干渉計であり、したがって、有利なことに、波面を測定するのに第２の参照ビームを必要としない。シアリング干渉計は、投影システムの像面（すなわち基板テーブルＷＴ）における例えば二次元グリッドの回折格子と、投影システムＰＳの瞳面と共役な平面における干渉パターンを検出するよう配置される検出器とを備えてもよい。この干渉パターンは、瞳面におけるシアリング方向の座標についての放射の位相の導関数に関連している。検出器は、例えば電荷結合素子（ＣＣＤ）などのセンサ素子のアレイを備えてもよい。
【００７５】
リソグラフィ装置の投影システムＰＳは目に見える縞を生成しないかもしれないので、波面の決定の精度を、例えば回折格子を移動するなどの位相ステッピング技術を用いて向上することができる。ステッピングは、回折格子の平面において測定の走査方向に垂直な方向に行われうる。ステッピング範囲は１つの格子周期であってもよく、少なくとも３つの（均等に分布した）位相ステップが用いられてもよい。よって、例えば、３回の走査測定がｙ方向に行われ、各走査測定がｘ方向の異なる位置に対して行われてもよい。この回折格子のステッピングは、位相変動を強度変動に効果的に変換し、位相情報を決定することを可能にする。格子は、検出器を較正するために、回折格子に垂直な方向（ｚ方向）にステップされてもよい。
【００７６】
回折格子は、投影システムＰＳの座標系の軸（ｘおよびｙ）と一致していてもよいし、これらの軸に対して４５度のような角度にあってもよい、２つの直角方向に順次走査されてもよい。走査は、整数個の格子周期、例えば１つの格子周期にわたって行われてもよい。走査は、一方の方向の位相変化を平均化し、他方の方向の位相変化を再構築することを可能にする。これにより、波面を両方向の関数として決定することができる。
【００７７】
投影システムＰＳの瞳面における透過（アポダイゼーション）は、放射を、例えば投影システムＰＳの対物面（すなわち、パターニングデバイスＭＡの平面）内の点状のソースから投影システムＰＳを介して投影し、検出器を用いて投影システムＰＳの瞳面と共役な平面における放射の強度を測定することにより決定されうる。収差を決定するために波面を測定するのに使用したものと同じ検出器が使用されてもよい。
【００７８】
投影システムＰＳは、複数の光学（例えばレンズ）素子を備えてもよく、収差（フィールド全体の瞳面にわたる位相変動）を補正するために１つ又は複数の光学素子を調整するよう構成される調整機構ＡＭを更に備えてもよい。これを達成するために、調整機構は、投影システムＰＳ内の１つ又は複数の光学（例えばレンズ）素子を１つ又は複数の異なる方法で操作するよう動作可能であってもよい。投影システムは、その光軸がｚ方向に延びる座標系を有してもよい。調整機構は、１つ又は複数の光学素子の変位、１つ又は複数の光学素子の傾斜、及び／又は、１つ又は複数の光学素子の変形からなる任意の組合せを行うよう動作可能であってもよい。光学素子の変位は、任意の方向（ｘ、ｙ、ｚまたはそれらの組合せ）であってもよい。光学素子の傾斜は、典型的には、ｘ及び／又はｙ方向の軸まわりに回転させることによって光軸に垂直な平面外となるが、非回転対称の非球面光学素子に関してはｚ軸まわりの回転が用いられてもよい。光学素子の変形は、低周波形状（例えば非点収差）、及び／又は高周波形状（例えば自由形式の非球面）を含んでもよい。光学素子の変形は、例えば１つ又は複数のアクチュエータを用いて光学素子の１つ又は複数の側面に力を及ぼすことにより、及び／又は加熱素子を用いて光学素子の１つ又は複数の選択された領域を加熱することにより、実行されてもよい。一般的に、アポダイゼーション（瞳面にわたる透過変動）を補正するために投影システムＰＳを調整することは可能でないかもしれない。投影システムＰＳの透過マップは、リソグラフィ装置ＬＡのためのパターニングデバイス（例えばマスク）ＭＡを設計する際に用いられてもよい。計算リソグラフィ技術を用いて、少なくとも部分的にアポダイゼーションを補正するようパターニングデバイスＭＡが設計されてもよい。
【００７９】
リソグラフィ装置は、２つ（デュアルステージ）又はそれより多くのテーブル（例えば、２以上の基板テーブルＷＴａ、ＷＴｂ、２以上のパターニングデバイステーブル、基板テーブルＷＴａおよび投影システム下方で基板無しで例えば測定及び／又は洗浄を容易にするための専用のテーブルＷＴｂ、等）を有する形式のものであってもよい。このような「多重ステージ」の装置においては、追加されたテーブルは並行して使用されるか、あるいは１つ又は複数のテーブルで準備工程を実行しながら他の１つ又は複数のテーブルが露光のために使用されてもよい。例えば、アライメントセンサＡＳを用いたアライメント測定、及び／又はレベルセンサＬＳを用いたレベル（高さ、傾斜など）測定が行われてもよい。
【００８０】
また、リソグラフィ装置は、基板の少なくとも一部分が例えば水などの比較的高い屈折率を有する液体で投影システムと基板との間の空間を満たすよう覆われうる形式のものであってもよい。液浸液は、例えばパターニングデバイスと投影システムとの間などリソグラフィ装置の他の空間に適用されてもよい。液浸技術は投影システムの開口数を増大させるために本分野において周知である。本書で使用される「液浸」との用語は、基板等の構造体が液体に浸されなければならないことを意味するのではなく、液体が投影システムと基板との間に露光中に配置されることを意味するにすぎない。
【００８１】
したがって、リソグラフィ装置の動作において、放射ビームは、照明システムＩＬによって調整され提供される。放射ビームＢは、支持構造（例えばマスクテーブル）ＭＴに保持されるパターニングデバイス（例えばマスク）ＭＡに入射して、パターニングデバイスによりパターン形成される。パターニングデバイスＭＡを横切った放射ビームＢは投影システムＰＳを通過し、投影システムＰＳはビームを基板Ｗのターゲット部分Ｃに合焦する。第２位置決め部ＰＷと位置センサＩＦ（例えば、干渉計デバイス、リニアエンコーダ、２次元エンコーダ、または静電容量センサ）により、例えば放射ビームＢの経路に別のターゲット部分Ｃを位置決めするように、基板テーブルＷＴを正確に移動させることができる。同様に、第１位置決め部ＰＭと他の位置センサ（図１には明示せず）は、放射ビームＢの経路に対してパターニングデバイスＭＡを、例えばマスクライブラリからの機械的な取り出し後または走査中に、正確に位置決めするために使用することができる。一般に支持構造ＭＴの移動は、第１位置決め部ＰＭの一部を構成するロングストロークモジュール（粗い位置決め）及びショートストロークモジュール（微細な位置決め）により実現されうる。同様に、基板テーブルＷＴの移動は、第２位置決め部ＰＷの一部を構成するロングストロークモジュール及びショートストロークモジュールにより実現されうる。ステッパの場合（スキャナとは異なり）、支持構造ＭＴはショートストロークのアクチュエータにのみ接続されているか、あるいは固定されていてもよい。パターニングデバイスＭＡと基板Ｗとは、パターニングデバイスアライメントマークＭ１、Ｍ２及び基板アライメントマークＰ１、Ｐ２を用いてアライメントされてもよい。図においては基板アライメントマークが専用のターゲット部分を占拠しているが、ターゲット部分間のスペースに配置されてもよい（これはスクライブレーン・アライメントマークとして公知である）。同様に、パターニングデバイスＭＡに複数のダイが設けられる場合にはパターニングデバイスアライメントマークがダイ間に配置されてもよい。
【００８２】
図示される装置は次のモードのうち少なくとも１つのモードで使用可能でありうる。
１．ステップモードにおいては、放射ビームＢに付与されたパターンの全体が１回でターゲット部分Ｃに投影される間、支持構造ＭＴ及び基板テーブルＷＴは実質的に静止状態とされる（すなわち単一静的露光）。そして基板テーブルＷＴがＸ方向及び／又はＹ方向に移動されて、別のターゲット部分Ｃが露光される。ステップモードでは露光フィールドの最大サイズが単一静的露光で結像されるターゲット部分Ｃのサイズを制限することになる。
２．スキャンモードにおいては、放射ビームに付与されたパターンがターゲット部分Ｃに投影される間、支持構造ＭＴ及び基板テーブルＷＴは同期して走査される（すなわち単一動的露光）。支持構造ＭＴに対する基板テーブルＷＴの速度及び方向は、投影システムＰＳの拡大（縮小）特性及び像反転特性により定められうる。スキャンモードでは露光フィールドの最大サイズが単一動的露光でのターゲット部分の（非走査方向の）幅を制限し、走査移動距離がターゲット部分の（走査方向の）長さを決定する。
３．別のモードにおいては、支持構造ＭＴがプログラマブルパターニングデバイスを保持して実質的に静止状態とされ、放射ビームＢに付与されたパターンがターゲット部分Ｃに投影される間、基板テーブルＷＴが移動または走査される。このモードではパルス放射源が通常用いられ、プログラマブルパターニングデバイスは、基板テーブルＷＴの毎回の移動後、または走査中の連続放射パルス間に必要に応じて更新される。この動作モードは、上述の形式のプログラマブルミラーアレイ等のプログラマブルパターニングデバイスを利用するマスクレスリソグラフィに容易に適用することができる。
【００８３】
また、上述の使用モードの組合せ及び／又は変形例または全く異なる使用モードが用いられてもよい。
【００８４】
本書ではＩＣの製造におけるリソグラフィ装置の使用に特に言及しているが、本書で説明するリソグラフィ装置には、例えば、集積光学システム、磁気ドメインメモリ用の案内及び検出パターン、液晶ディスプレイ（ＬＣＤ）、薄膜磁気ヘッド等の製造など、他の用途もあることを理解されたい。こうした代替的な用途に照らして、本書で「ウェーハ」又は「ダイ」という用語を使用している場合、それぞれ、「基板」又は「ターゲット部分」という、より一般的な用語と同義とみなしてよいことが、当業者には認識される。本書に言及する基板は、露光前又は露光後に、例えばトラック（通常はレジストの層を基板に塗布し、露光したレジストを現像するツール）、メトロロジツール又は検査ツールで処理されてもよい。適用可能であれば、本書の開示は、これらの及びその他の基板処理ツールに適用されうる。更に、基板は、例えば多層ＩＣを生成するために、複数回処理することができ、したがって本書で使用する基板という用語は、すでに複数の処理済み層を含む基板も指すことができる。
【００８５】
本書に使用される「放射」および「ビーム」という用語は、紫外（ＵＶ）放射（例えば約３６５ｎｍ、２４８ｎｍ、１９３ｎｍ、１５７ｎｍ、または１２６ｎｍの波長を有する）及び極紫外（ＥＵＶ）放射（例えば５〜２０ｎｍの範囲の波長を有する）を含むあらゆる種類の電磁放射、更にはイオンビームまたは電子ビーム等の粒子ビームを包含する。
【００８６】
パターニングデバイス上の、またはパターニングデバイスによって提供される様々なパターンは、異なるプロセスウィンドウを有していてもよい。すなわち、パターンが仕様内で生成されるプロセス変数の空間である。潜在的な系統的欠陥に関連するパターン仕様の例としては、ネッキング、ラインプルバック、細線化、ＣＤ、エッジ配置、オーバーラップ、レジストトップロス、レジストアンダーカット及び／又はブリッジングのためのチェックが挙げられる。パターニングデバイスまたはその領域上の全てのパターンのプロセスウィンドウは、個々のパターンそれぞれのプロセスウィンドウをマージ（例えば、オーバーラップ）することによって得られてもよい。全パターンのプロセスウィンドウの境界には、いくつかの個々のパターンのプロセスウィンドウの境界が含まれる。言い換えれば、これら個々のパターンは、全パターンのプロセスウィンドウを制限する。これらのパターンは、本明細書で互換的に使用される「ホットスポット」または「プロセスウィンドウ制限パターン（ＰＷＬＰ）」と呼ばれうる。パターニングプロセスの一部を制御するときホットスポットに着目することが可能となり、経済的である。ホットスポットが不良ではない場合、すべてのパターンが不良ではない可能性が高い。
【００８７】
図２に示されるように、リソグラフィ装置ＬＡは、リソグラフィックセルＬＣ（リソセル又はクラスタとも呼ばれることがある）の一部を形成してもよく、これは露光前又は露光後プロセスを基板に行う装置も含む。従来、これらは、１つ又は複数のレジスト層を堆積させる１つ又は複数のスピンコーターＳＣ、露光されたレジストを現像するための１つ又は複数のデベロッパＤＥ、１つ又は複数の冷却プレートＣＨ及び／又は１つ又は複数のベークプレートＢＫを含む。基板ハンドラ又はロボットＲＯは、入出力ポートＩ／Ｏ１、Ｉ／Ｏ２から１つ又は複数の基板を取り、それらを異なるプロセス装置間で移動させ、及びそれらをリソグラフィ装置のローディングベイＬＢに届ける。これらの装置は、多くの場合トラックと総称され、トラック制御ユニットＴＣＵの制御下にある。これはそれ自体が監視制御システムＳＣＳによって制御され、また、リソグラフィ制御ユニットＬＡＣＵを介してリソグラフィ装置を制御する。こうして、スループット及び処理効率を最大化するべく、さまざまな装置を動作させることができる。
【００８８】
リソグラフィ装置によって露光される基板が正確かつ整合的に露光されるためには、及び／又は、少なくとも１つのパターン転写ステップ（例えば光リソグラフィステップ）を含むパターニングプロセス（例えばデバイス製造プロセス）の一部を監視するためには、基板又はその他の物体を検査して、アライメント、オーバレイ（例えば、重なり合う層の構造間、または、同じ層内であって例えばダブルパターニングプロセスによってその層に別々に設けられた構造間についてのものでありうる）、線幅、クリティカルディメンジョン（ＣＤ）、フォーカスオフセット、材料特性など１つ又は複数の特性を測定又は決定することが望ましい。したがって、リソセルＬＣが配置される製造施設は典型的に、リソセルで処理された基板Ｗの一部又は全て、またはリソセルにおけるその他の物体を測定するメトロロジシステムＭＥＴも含む。メトロロジシステムＭＥＴは、リソセルＬＣの一部であってもよく、例えばリソグラフィ装置ＬＡの一部（アライメントセンサＡＳのように）であってもよい。
【００８９】
測定される１つ又は複数のパラメータは、例えば、パターン形成された基板の内部又は表面に形成された連続する層間のオーバレイ、例えばパターン形成された基板の内部又は表面に形成されたフィーチャのクリティカルディメンジョン（ＣＤ）（例えばクリティカルライン幅）、光リソグラフィステップのフォーカス又はフォーカス誤差、光リソグラフィステップのドーズ又はドーズ誤差、光リソグラフィステップの光学収差などを含みうる。この測定は、製品基板のターゲット自体に、及び／又は基板上に設けられた専用のメトロロジターゲットに行われてもよい。この測定は、レジストの現像後でエッチングの前に、又はエッチング後に行われてもよい。
【００９０】
パターニングプロセスで形成された構造の測定を行うには、走査型電子顕微鏡、画像ベースの測定ツール及び／又は様々な専門ツールの使用を含む様々な技術がある。上述のように、高速かつ非侵襲的な形態の専門メトロロジツールは、放射ビームを基板表面上のターゲットに向け、散乱された（回折／反射された）ビームの特性を測定するものである。基板で散乱した放射の１つ又は複数の特性を評価することによって、基板の１つ又は複数の特性を決定することができる。これを回折ベースのメトロロジと称することができる。この回折ベースのメトロロジの１つの適用例は、ターゲット内のフィーチャ非対称性の測定である。これは例えばオーバレイの尺度として使用することができるが、他の適用例も知られている。例えば非対称性は、回折スペクトルの反対側の部分どうしを比較する（例えば、周期格子の回折スペクトルにおける−１次と＋１次を比較する）ことによって測定できる。これは上述のように、また、その全体が参照により本書に援用される米国特許出願公開第２００６−０６６８５５号に記載されるようにして行うことができる。回折ベースのメトロロジの別の適用例は、ターゲット内のフィーチャ幅（ＣＤ）の測定である。そうした技術は、後述の装置及び方法を使用することができる。
【００９１】
このように、デバイス製造プロセス（例えば、パターニングプロセスまたはリソグラフィプロセス）において、基板または他の物体は、プロセス中またはプロセス後に様々なタイプの測定を受けることができる。測定は、特定の基板が欠陥であるか否かを判断してもよく、プロセスおよびプロセスで使用される装置の調整（例えば、基板上の２つの層を位置合わせすること、またはパターニングデバイスを基板に位置合わせすること）を確立してもよく、プロセスおよび装置の性能を測定してもよく、または他の目的のためであってもよい。測定の例としては、光学イメージング（例えば、光学顕微鏡）、非イメージング光学測定（例えば、ASMLのYieldStarメトロロジツール、ASMLのSMASHメトロロジシステムなどの回折に基づく測定）、機械的測定（例えば、スタイラスを用いたプロファイリング、原子間力顕微鏡（ＡＦＭ））、及び／又は非光学イメージング（例えば、走査型電子顕微鏡（ＳＥＭ））が挙げられる。SMASH(SMart Alignment Senser Hybrid)システムは、その全体が参照により本明細書に援用される米国特許第６，９６１，１１６号に記載されており、アライメントマーカーについて２つの重なり合った相対回転した画像を生成し、画像のフーリエ変換が干渉される瞳面内における強度を検出し、干渉された次数の強度変化として現れる２つの画像の回折次数間の位相差から位置情報を抽出する自己参照干渉計を採用している。
【００９２】
メトロロジ結果は、監視制御システムＳＣＳに直接又は間接的に提供されてもよい。誤差が検出される場合、調整が、後続の基板の露光に対して（特に、検査がすばやく行われ、バッチの１つ又は複数の他の基板がまだこれから露光される場合）、及び／又は、露光された基板の後続の露光に対して行われてもよい。また、既に露光された基板は、歩留まりを向上するよう剥離および再加工が行われ、又は廃棄されてもよく、それにより、欠陥があると分かっている基板に対して更なる処理を行うことが回避されてもよい。基板の幾つかのターゲット部分にのみ欠陥がある場合には、良好なターゲット部分のみに更なる露光が行われてもよい。
【００９３】
メトロロジシステムＭＥＴにおいて、メトロロジ装置は、基板の１つ又は複数の特性、とくに、異なる基板について１つ又は複数の特性がどのように変動するか、または同じ基板の異なる層が層ごとにどのように変動するかを決定するために使用される。上述のように、メトロロジ装置は、リソグラフィ装置ＬＡ又はリソセルＬＣに組み込まれてもよいし、又はスタンドアロン装置であってもよい。
【００９４】
メトロロジを可能にするために、１つ又は複数のターゲットを基板上に設けることができる。ある実施の形態では、ターゲットは、特別に設計され、周期構造を備えてもよい。ある実施の形態では、ターゲットは、デバイスパターンの一部（例えばデバイスパターンの周期構造）である。ある実施の形態では、デバイスパターンは、メモリデバイスの周期構造（例えば、バイポーラトランジスタ（ＢＰＴ）、ビットラインコンタクト（ＢＬＣ）などの構造）である。
【００９５】
ある実施の形態では、基板上のターゲットは、１つ又は複数の１次元周期構造（例えば格子）を備えてもよく、これは、現像後に周期構造フィーチャが固体レジストラインから形成されるように印刷されたものでもよい。ある実施の形態では、ターゲットは、１つ又は複数の２次元周期構造（例えば格子）を備えてもよく、これは、現像後に１つ又は複数の周期構造が固体レジストピラー又はレジストのビアから形成されるように印刷されたものでもよい。代替的に、バー、ピラー、又はビアは、基板内に（例えば、基板上の１つ又は複数の層内に）エッチングされていてもよい。
【００９６】
ある実施の形態では、パターニングプロセスの対象パラメータの１つは、オーバレイである。オーバレイは、０次回折（鏡面反射に対応する）が遮蔽され、より高次のものだけが処理される暗視野スキャトロメトリを用いて、測定することができる。暗視野メトロロジの例は、その全体が本書に援用される国際公開第２００９／０７８７０８号及び第２００９／１０６２７９号に見ることができる。更に、この技術の更なる発展が、その全体が本書に援用される米国特許出願公開第２０１１−００２７７０４号、第２０１１−００４３７９１号及び第２０１２−０２４２９７０号に記載されている。回折次数の暗視野検出を使用する回折ベースのオーバレイは、より小さなターゲットでのオーバレイ測定を可能にする。こうしたターゲットは、照明スポットよりも小さくてもよく、基板上のデバイス製品構造によって取り囲まれていてもよい。ある実施の形態では、複数のターゲットを一度の放射キャプチャで測定することができる。
【００９７】
図３は、検査装置の一例（例えばスキャトロメータ）を示す。それは、放射を基板Ｗ上に投影する広帯域（白色光）放射プロジェクタ２を備える。方向転換された放射は、スペクトロメータ検出器４に向かう。スペクトロメータ検出器４は、例えば左下のグラフに示されるような鏡面反射放射のスペクトル１０（波長の関数としての強度）を測定するものである。このデータから、検出されたスペクトルを生じさせる構造又はプロファイルが、プロセッサＰＵによって、例えば厳密結合波分析及び非線形回帰によって、又は図３の右下に示されるようなシミュレートされたスペクトルのライブラリとの比較によって、再構築されてもよい。一般に、再構築のためには、構造の大体の形が既知であり、いくつかの変数がその構造を作成するプロセスについての知識から推測され、それにより、測定データから決定されるべき当該構造の変数はほんの幾つかでよい。このような検査装置は、法線入射検査装置、または斜入射検査装置として構成されうる。
【００９８】
使用することができる別の検査装置を図４に示す。この装置では、放射ソース２によって発せられた放射は、レンズ系１２を用いてコリメートされ、干渉フィルタ１３および偏光子１７を透過し、部分反射面１６によって反射され、対物レンズ１５を介して基板Ｗ上のスポットＳに集束される。対物レンズ１５は、望ましくは少なくとも０．９又は少なくとも０．９５の高開口数（ＮＡ）を有する。液浸検査装置（水などの比較的高い屈折率の流体を用いる）は、１を超える開口数を有していてもよい。
【００９９】
リソグラフィ装置ＬＡと同様に、測定動作中に基板Ｗを保持する１つ又は複数の基板テーブルが設けられてもよい。基板テーブルは、図１の基板テーブルＷＴと形態が類似し又は同一であってもよい。検査装置がリソグラフィ装置と一体化されている例においては、それが同一の基板テーブルであってもよい。粗動及び微動の位置決め部が測定光学系に関して基板を正確に位置決めするように構成される第２位置決め部に設けられてもよい。例えば対象となるターゲットの位置を取得して対物レンズ１５の下方に移動させる様々なセンサ及びアクチュエータが設けられる。典型的には、多くの測定が基板Ｗ全体の様々な場所でターゲットに行われる。基板支持体は、別のターゲットを取得するためにＸ及びＹ方向に、及び光学系のフォーカスに対するターゲットの所望の場所を取得するためにＺ方向に移動させることができる。便利であるのは、例えば実際には光学系が実質的に静止状態とされ基板のみが移動する場合であっても（典型的にＸ及びＹ方向において、ただし場合によってはＺ方向においても）、対物レンズが基板に対して様々な場所に移動させられるかのように動作を捉えて記述することである。基板と光学系の相対位置が正しければ、現実世界でそのうち一方が移動しているのか、又は両方が移動しているのか、又は光学系の一部が（例えば、Ｚ及び／又は傾斜方向に）移動し光学系の残りの部分が静止した状態で基板が（例えば、Ｘ及びＹ方向に、ただし任意選択的にＺ及び／又は傾斜方向にも）移動するという組み合わせであるのかは、原理的に重要ではない。
【０１００】
基板Ｗによって方向転換された放射は、次に、スペクトルを検出させるために、部分反射面１６を通過して検出器１８に入る。検出器１８は、逆投影された焦点面１１（すなわち、レンズ系１５の焦点距離）に配置されてもよく、または、焦点面１１は、補助光学系（図示せず）を用いて検出器１８上に再結像されてもよい。検出器は、基板ターゲット３０の２次元角散乱スペクトルを測定できるように、２次元検出器であってもよい。検出器１８は、例えば、ＣＣＤまたはＣＭＯＳセンサのアレイであってもよく、１フレームあたり例えば４０ミリ秒の積分時間を使用してもよい。
【０１０１】
参照ビームは、例えば、入射する放射の強度を測定するために使用されてもよい。そのためには、放射ビームが部分反射面１６に入射すると、その一部が参照ビームとして部分反射面１６を透過して参照ミラー１４に向かう。そして、参照ビームは、同じ検出器１８の別の部分に投影されるか、あるいは別の検出器（図示せず）に投影される。
【０１０２】
１つ又は複数の干渉フィルタ１３は、例えば４０５〜７９０ｎｍ、またはそれよりも低い波長、例えば２００〜３００ｎｍの範囲内の対象波長を選択するために利用可能である。干渉フィルタは、１セットの異なるフィルタを備えるのではなく、調節可能であってもよい。干渉フィルタの代わりに格子を使用してもよい。ターゲットへの放射の入射角度の範囲を制御するために、照明経路に開口絞りまたは空間光変調器（図示せず）を設けてもよい。
【０１０３】
検出器１８は、方向転換された放射の強度を単一の波長（または狭い波長範囲）で測定してもよいし、強度を複数の波長で別々に、または波長範囲で積分した強度を測定してもよい。さらに、検出器は、ＴＭ偏光放射とＴＥ偏光放射の強度、及び／又はＴＭ偏光放射とＴＥ偏光放射との間の位相差を別々に測定してもよい。
【０１０４】
基板Ｗ上のターゲット３０は、１次元格子であってもよく、これは、現像後に固体レジストラインからバーが形成されるように印刷されたものでもよい。ターゲット３０は、２次元格子であってもよく、これは、現像後に固体レジストピラー又はレジストのビアから格子が形成されるように印刷されたものでもよい。バー、ピラー、又はビアは、基板内に（例えば、基板上の１つ又は複数の層内に）エッチングされていてもよい。（例えば、バー、ピラー又はビアの）パターンは、パターニングプロセスにおける処理の変化（例えば、リソグラフィ投影装置（特に投影システムＰＳ）における光学収差、フォーカスの変化、ドーズの変化など）に敏感であり、印刷された格子の変動に顕在化する。したがって、印刷された格子の測定データは、格子を再構築するために使用される。線幅及び／又は形状などの１次元格子の１つ又は複数のパラメータ、またはピラー又はビアの幅又は長さ又は形状などの２次元格子の１つ又は複数のパラメータは、印刷ステップ及び／又は他の検査プロセスの知識から、プロセッサＰＵによって実行される再構築プロセスに入力されてもよい。
【０１０５】
再構築によるパラメータの測定に加えて、角度分解スキャトロメトリが、製品のフィーチャ及び／又はレジストパターンの非対称性の測定において有用である。非対称性測定のある特定の適用例は、ターゲット３０が周期フィーチャのあるセットが他のセットに重畳されたものを備える場合のオーバレイの測定に関するものである。図３または図４の装置を用いた非対称性測定の概念は、例えば、その全体が本書に援用される米国特許出願公開第２００６−０６６８５５号に記載されている。簡単に言えば、ターゲットの回折スペクトルにおける回折次数の位置は、ターゲットの周期性によってのみ決定されるが、回折スペクトルにおける非対称性は、ターゲットを構成する個々のフィーチャにおける非対称性を示す。検出器１８がイメージセンサであってもよい図４の装置では、回折次数のそのような非対称性は、検出器１８によって記録された瞳像の非対称性として直接現れる。この非対称性は、ユニットＰＵ内のデジタル画像処理によって測定され、オーバレイの既知の値に対して較正されうる。
【０１０６】
図５は、典型的なターゲット３０の平面図であり、図４の装置における照明スポットＳの範囲を示す。周囲の構造による干渉の無い回折スペクトルを取得するために、ターゲット３０は、ある実施の形態では、照明スポットＳの幅（例えば直径）よりも大きい周期構造（例えば格子）である。スポットＳの幅は、ターゲットの幅及び長さよりも小さくてもよい。つまり、ターゲットは、照明による「充填不足」とされ、回折信号は、ターゲット自体の外側にある製品フィーチャまたは類似物からの信号を実質的に何ら含まない。照明構成２、１２、１３、１７は、対物レンズ１５の後方焦点面にわたって均一な強度の照明を提供するように構成されていてもよい。代替的に、例えば、照明経路にアパチャーを含むことによって、照明は、軸上または軸外方向に制限されてもよい。
【０１０７】
図６は、メトロロジを用いて取得される測定データに基づいてターゲットパターン３０’の１つ又は複数の対象となる変数の値を決定するプロセスの一例を模式的に示す。検出器１８によって検出される放射は、ターゲット３０’についての測定放射分布１０８を提供する。
【０１０８】
所与のターゲット３０’に関して、放射分布２０８は、数値的なマクスウェルソルバー２１０を例えば使用するパラメータ化されたモデル２０６から計算／シミュレートすることができる。パラメータ化されたモデル２０６は、ターゲットを構成しターゲットに関連する様々な材料の層の例を示す。パラメータ化されたモデル２０６は、対象となるターゲットの部分がもつフィーチャ及び層についての１つ又は複数の変数を含みうるものであり、これは変動され導出されうる。図６に示されるように、１つ又は複数の変数は、１つ又は複数の層の厚さｔ、１つ又は複数のフィーチャの幅ｗ（例えばＣＤ）、１つ又は複数のフィーチャの高さｈ、及び／又は、１つ又は複数のフィーチャのサイドウォール角αを含みうる。図示されないが、１つ又は複数の変数は、１つ又は複数の層の屈折率（例えば、実又は複素屈折率、屈折率テンソルなど）、１つ又は複数の層の消散係数、１つ又は複数の層の吸収、現像中のレジスト損失、１つ又は複数のフィーチャのフッティング、及び／又は１つ又は複数のフィーチャのラインエッジラフネスを更に含んでもよく、これらに限定されない。変数の初期値は、測定されているターゲットについての予測値であってもよい。そして、測定放射分布１０８は、２１２において、計算された放射分布２０８と比較され、それら二者間の差が決定される。差がある場合には、パラメータ化されたモデル２０６の１つ又は複数の変数の値が変化されてもよく、新たな計算放射分布２０８が計算され、測定放射分布１０８と計算放射分布２０８が十分に一致するまで、測定放射分布１０８と比較されてもよい。その時点で、パラメータ化されたモデル２０６の変数の値は、実際のターゲット３０’のジオメトリとの良好な又は最良の一致を提供する。ある実施の形態では、測定放射分布１０８と計算放射分布２０８との間の差が許容しきい値の範囲内である場合に、十分な一致が存在することになる。
【０１０９】
パターニングプロセスの変数を「プロセス変数」と呼ぶ。パターニングプロセスは、リソグラフィ装置におけるパターンの実際の転写に至るまでの上流および下流の工程を含むものとしてもよい。図７は、プロセス変数３７０の例示的なカテゴリーを示す。第１のカテゴリーは、リソグラフィ装置またはリソグラフィプロセスで使用される他の装置についての変数３１０であってもよい。このカテゴリーの例としては、リソグラフィ装置の照明、投影システム、基板ステージなどの変数が挙げられる。第２のカテゴリーは、パターニングプロセスにおいて実行される１つ又は複数の手順についての変数３２０であってもよい。このカテゴリーの例としては、フォーカス制御またはフォーカス測定、ドーズ制御またはドーズ測定、帯域幅、露光時間、現像温度、現像に使用される化学組成物などが挙げられる。第３のカテゴリーは、デザインレイアウト、および、パターニングデバイスにおける、またはパターニングデバイスを使用したデザインレイアウトの実装についての変数３３０であってもよい。このカテゴリーの例は、アシストフィーチャの形状及び／又は位置、超解像技術（ＲＥＴ）によって適用される調整、マスクフィーチャのＣＤなどを含んでもよい。第４のカテゴリーは、基板についての変数３４０であってもよい。例としては、レジスト層の下の構造の特性、レジスト層の化学組成及び／又は物理的寸法などが挙げられる。第５のカテゴリーは、パターニングプロセスの１つ又は複数の変数の時間的変化の特性３５０であってもよい。このカテゴリーの例としては、ステージ移動の高周波数の特性（例えば、周波数、振幅など）、レーザ帯域幅の高周波数の変化（例えば、周波数、振幅など）、及び／又はレーザ波長の高周波数の変化が挙げられる。これらの高周波数の変化または動きは、基礎となる変数（例えば、ステージ位置、レーザ強度）を調整するための機構の応答時間を超えるものである。第６のカテゴリーは、スピンコーティング、露光後ベーク（ＰＥＢ）、現像、エッチング、成膜、ドーピング、及び／又はパッケージングなど、リソグラフィ装置におけるパターン転写の上流または下流のプロセスの特性３６０であってもよい。
【０１１０】
理解されるように、これらの変数のすべてではないにしても、たいていの変数は、パターニングプロセスのパラメータ、多くの場合、対象のパラメータに影響するであろう。パターニングプロセスのパラメータの非限定的な例としては、クリティカルディメンション（ＣＤ）、クリティカルディメンション均一性（ＣＤＵ）、フォーカス、オーバレイ、エッジ位置または配置、サイドウォール角、パターンシフトなどが挙げられる。しばしば、これらのパラメータは、公称値（例えば、設計値、平均値など）からの誤差を表す。パラメータ値は、個々のパターンの特性の値であってもよいし、一群のパターンの特性の統計量（例えば、平均、分散など）であってもよい。
【０１１１】
プロセス変数の一部または全部、またはそれに関連するパラメータの値は、適切な方法によって決定されうる。例えば、値は、様々なメトロロジツール（例えば、基板メトロロジツール）により取得されるデータから決定されてもよい。値は、パターニングプロセスにおいて装置の様々なセンサまたはシステム（例えば、リソグラフィ装置のレベリングセンサまたはアライメントセンサなどのセンサ、リソグラフィ装置の制御システム（例えば、基板テーブルまたはパターニングデバイステーブルの制御システム）、トラックツール内のセンサなど）から取得されてもよい。値は、パターニングプロセスのオペレータからのものであってもよい。
【０１１２】
今やますます、メトロロジは多くの場合、所要時間の観点から負担となりつつある。これは、例えば、特に半導体産業におけるマルチプルパターニング技術の出現である。リソ・エッチ・リソ・エッチ（ＬＥＬＥ）及び／又はサイドウォール・アシスト・ダブル・パターニング（ＳＡＤＰ）のようなマルチプルパターニング技術では、プロセスステップの数が大幅に増加し、したがって、制御および歩留まり監視のために使用されるメトロロジステップの数も増加している。さらに、マルチプルパターニングステップではより多くの層が使用され、層ごとにより多くのパターニングステップが使用されるので、各ノード（すなわちフィーチャサイズの縮小）について計測量が増加する。
【０１１３】
それに加えて又はそれに代えて、欠陥判定及び／又はガイド付き欠陥検査に対する要求が増大している。これは、以前よりも実質的に高密度のフォーカス、オーバレイ及び／又はＣＤメトロロジを含む。
【０１１４】
それに加えて又はそれに代えて、オンデバイスＣＤ、オーバレイ及び／又はフォーカス性能に関する仕様が、これまでになく厳しいものになっている。これにより、例えば、露光装置およびプロセス装置（例えば、成膜、エッチング、トラック、化学機械研磨（ＣＭＰ）など）の製造装置仕様が、あるノードから次のノードへと駆り立てられる。こうして、性能の制御と監視がより厳しくなり、制御と監視のための計測量のいっそうの増加が求められる。
【０１１５】
それに加えて又はそれに代えて、オンデバイスＣＤ、フォーカス及び／又はオーバレイ性能に関する仕様の厳格化に伴い、高次補正が必要とされうる。高次補正とは、基本的には、基板の全部または一部にわたって小さな空間スケールで選択的に補正を行うことである（例えば、高い空間分解能での補正）。高次補正は、基板ごとのメトロロジのためのサンプリングをより密にすることを含む。それにより、メトロロジ装置の生産性の実用的な限界をおそらく超えてメトロロジの負担が増大する。
【０１１６】
それに加えて又はそれに代えて、基板間のばらつきは、所望のＣＤ、フォーカス及び／又はオーバレイ性能を達成するために、より個別的な基板レベルの制御（例えば、ロットレベルの制御と比較して）および関連する監視を必要としうる。これは、ロットごとにより多くの基板を測定することにつながり、その結果、使用される測定の量の増加が促され、おそらくは、メトロロジ装置の生産性の実用的な限界を超えうる。
【０１１７】
しかし、増大するデータ要求に対応するためには、メトロロジ装置を追加するか、またはメトロロジ装置の生産性を向上させるだけでは十分ではないかもしれない。さらに、これは、基板全体の密なＣＤ、フォーカス及び／又はオーバレイプロファイルを適時に得るといった、すべての問題を解決しないかもしれない。
【０１１８】
そこで、メトロロジの効率性が望まれる。これは、例えば、基板ごとに高密度のデータを取得し、ロットごとにより多くの基板についてデータを取得するためである。
【０１１９】
したがって、ある実施の形態では、例えば、メトロロジの効率性を向上させるのに役立つ方法が提供される。この方法では、１つの基板にわたる複数の位置の各々について１つ又は複数のパターニングプロセスパラメータ（例えば、ＣＤ、フォーカス、オーバレイ、エッジ配置など）の正確な推定値を導出するために、複数のソースからのメトロロジデータが結合され操作される。ある実施の形態では、次に、例えば、あるパターニングプロセスで処理された基板のすべてについて、および例えば、そのパターニングプロセスでそうした基板上で処理された層のすべてについて、密な測定データ（例えば、毎平方ミリメートルについて）が提供される。
【０１２０】
事実上、ある実施の形態では、この方法の結果は、基板全体にわたる１つ又は複数のパターニングプロセスパラメータの値の「仮想的」またはエミュレートされた分布であり、これは、様々なメトロロジデータのそうした結合によって達成される。そして、この方法は、１つ又は複数のパターニングプロセスパラメータ（例えば、フォーカス、ＣＤ、オーバレイなど）についてのハイブリッドメトロロジのための効率的な方法を提供することができる。また、本書の実施形態は、パターニングプロセスパラメータの特定の例、すなわちフォーカス、ＣＤ、オーバレイを主に考慮するが、１つ又は複数の他のパターニングプロセスパラメータまたは追加のパターニングプロセスパラメータが本書の技術の対象となりうることが理解されるであろう。
【０１２１】
上述したように、本方法は、様々なソースからのメトロロジデータおよび他のデータを結合したものを含む。ある実施の形態では、本方法は、対象のパターニングプロセスパラメータの測定値を、リソグラフィ装置の１つ又は複数のセンサからのデータなど、パターニングプロセスにおける１つ又は複数のデバイスからのデータと結合することを含む。次いで、このようなデータの結合は、オンプロダクト性能を、例えば、ＣＤ、オーバレイ、フォーカス、パターンシフト、エッジ配置（例えば、エッジ配置誤差）などのパターニングプロセスパラメータ、及び／又は、歩留まり、欠陥（例えば、欠陥のリスク、欠陥数など）などのそこから導出されたパラメータの形で予測するために使用される。
【０１２２】
よって、この方法の基礎となる原理は、対象のパターニングプロセスパラメータの変化の個々の根本原因を分離して推定し、それらを結合してオンプロダクト性能を計算することにある。目標は、図３から図６に関して説明したようなツールを使用して対象のパターニングプロセスパラメータを決定するうえでオフライン（及び／又はオンライン）での計測量の増大を避けるために、利用可能な情報をできるだけ多く使用することである。
【０１２３】
よって、ある実施の形態では、対象のパターニングプロセスパラメータ（例えば、ＣＤ誤差、フォーカス誤差、オーバレイなど）の変化に対する様々な寄与度を特定することが望ましい。そして、これら寄与度は、オンプロダクト性能の所望の推定値を実現すべく、様々に結合させて使用することができる。典型的には、それら寄与度は、誤差及び／又は残差である。例えば、デバイスは、補正を行う際に誤差を発生させてもよく、これが対象のパターニングプロセスパラメータの変化として現れうる。別の例として、センサシステムは、誤差を測定してもよく、この誤差がパターニングプロセスパラメータの変化である（又は変化に寄与する）。さらなる例として、あるデバイスまたはこのデバイスの設定を決定するために使用される数学モデルは、特定の所望のまたは最良の物理的効果を実現することができない場合があり（例えば所望の物理的補正とデバイスによって達成されうる物理的補正との間の差、ドーズ、フォーカスなどの所望の物理的効果とデバイスによって達成されうる物理的効果との間の差、所望の物理的補正または効果と数学モデルによって決定されうる補正または効果との間の差など）、その結果、パターニングプロセスパラメータの変化である（又は変化に寄与する）残差をもたらしうる。ある実施の形態では、寄与度は、実験的または経験的に決定されうる。
【０１２４】
対象のパターニングプロセスパラメータに対するこれらの寄与度の各々は、ダイ、フィールド、または基板にわたって空間的に分布しているので、フィンガープリントとみなすことができる。同様に、結合された寄与度も、ダイ、フィールド、または基板にわたって、フィンガープリントとみなすことができる。
【０１２５】
したがって、このような複数の寄与度を結合させて、導出フィンガープリントを取得することができる。例えば、製品基板上のフォーカスフィンガープリントは、例えば、その基板の非平坦度に起因するフォーカス寄与度、基板露光中のリソグラフィ装置の投影システムに関連付けられるフォーカス誤差、露光中の基板位置制御ループによって生じる高さ誤差、およびリソグラフィ装置のフォーカス設定の残差フィンガープリントの合成でありうる。その一例を図９に関して後述する。
【０１２６】
同様に、導出され又は測定されるフィンガープリントから１つ又は複数のフィンガープリントを除去することによって、（さらなる）導出フィンガープリントが生み出されてもよい。例えば、基板の測定されたフォーカスフィンガープリントから、その基板の非平坦度のフォーカス寄与度、基板露光中のリソグラフィ装置の投影システムに関連付けられるフォーカス誤差、露光中の基板位置制御ループによって生じる高さ誤差、およびリソグラフィ装置のフォーカス設定の残差フィンガープリントが除去されてもよい。これにより、除去されたフィンガープリントが捕捉していない誤差に起因する残差フォーカスフィンガープリントを取得することができる。この例を、図１０に関して後述する。
【０１２７】
このように、ある実施の形態では、本方法は、例えば、フィンガープリントを個々の寄与度フィンガープリントに分解し、及び／又はフィンガープリントを結合させることによってフィンガープリントを導出することができる。
【０１２８】
そこで、図８を参照すると、寄与度（フィンガープリント）の結合についてのある実施の形態が示されている。プロセス変数３１１の変化（例えば、フォーカスの場合では、高さ誤差）は、基板上のパターンについて、あるパターニングプロセスパラメータ３５２（例えば、フォーカスの場合では、フォーカス）に対する寄与度３１２を有してもよく、また、プロセス変数３２１の変化（例えば、フォーカスの場合では、フォーカス設定の残差）は、そのパターニングプロセスパラメータ３５２に対する寄与度３２２を有してもよい。すなわち、パターニングプロセスパラメータ３５２は、１つ又は複数のプロセス変数の変化の結合寄与度を有してもよい。これらの寄与度３１２、３２２は、単に加算（これは、重み付き加算または線形加算を含みうる）であってもよいし、他の関数（例えば、（デ）コンボリューションの使用、ニューラルネットワークの使用、ＲＭＳ加算、スケーリングなど）によって結合されてもよい。パターニングプロセスパラメータ３５２は、その他の変数の変化の寄与度を有してもよい。したがって、以下でさらに議論されるように、この実現により、様々な寄与度が、決定され、またはパターニングプロセスパラメータの推定値を導出するために使用することができる。ある実施の形態では、寄与度３１２及び／又は３２２は、１つ又は複数の適用可能なプロセス変数をモデル化することによって決定されてもよい。寄与度３１２及び／又は３２２は、１つ又は複数の適用可能なプロセス変数の関数として表されてもよい。この関数は、線形または非線形であってもよい。
【０１２９】
図９は、ある基板のあるパターニングプロセスパラメータに対して導出される寄与度４７０を取得する例を模式的に示しており、この導出寄与度は、複数のプロセス変数の寄与度（そのうちの１つ又は複数が導出寄与度であってもよい）を結合したものである。この場合、導出寄与度４７０は、（デ）フォーカスである。したがって、導出寄与度４７０は、基板露光４００中のリソグラフィ装置の投影システムに関連付けられるフォーカス誤差（ＦＥ）、露光４１０中の基板位置制御ループによって生じる高さ誤差（例えば、移動標準偏差（ＭＳＤｚ））、およびその基板４２０の非平坦度（Ｐ）など、複数のプロセス変数の寄与度を用いて取得することができる。重要なことに、このデータは、リソグラフィ装置から取得することができ、パターニングプロセスの一部として基板を製造する際の副産物でありうる。これらの特定された寄与度はいずれも、基板上にパターニングされたフィーチャの、例えば図３から図６に関して記載されたようなツールを使用した測定を必ずしも必要としない。
【０１３０】
そこで、フォーカスの場合、プロセス変数４００のフォーカスに対する寄与度の一例を寄与度４３０として示し、プロセス変数４１０のフォーカスに対する寄与度の一例を寄与度４４０として示し、プロセス変数４２０のフォーカスに対する寄与度の一例を寄与度４５０として示している。そして、これらの寄与度の各々が共に結合されて（４６０）、導出寄与度４７０が実現される。要素４６０（および各図の他の要素）はプラス符号を示しているが、要素４６０における操作は、加算である必要はなく、例えば、乗算、コンボリューション、ニューラルネットワークの使用等であってもよい。操作は、１つ又は複数の寄与度について、別の１つ又は複数の寄与度とは異なってもよい（例えば、４３０から４４０への加算、およびその和と寄与度４５０とのコンボリューションでもよい）。一例では、結合された寄与度は、
【数１】
2021508078.tif 000003
のように表すことができる。様々な関数は、シミュレーション、数学的モデリング及び／又は実験によって得ることができる。さらに、ここでは示されていないクロス項（ＦＥとＭＳＤの積の関数としてのフォーカスなど）が存在してもよい。フォーカスの絶対値を得るために、フォーカスの公称値またはシミュレートされた値がこれら寄与度と結合されてもよい。ａ１，ｂ１，ｃ１のような係数は、それぞれのプロセス変数またはその関数に対するフォーカスの感度である。この例では、寄与度は基板全体にわたるが、ある実施の形態では、寄与度のうちの１つ又は複数は、ダイ／フィールドごとであってもよい（これは、その後、例えば、各インスタンスにおける適用可能な条件に応じて、基板全体にわたって繰り返されてもよい）。上述したように、寄与度４７０は、基板／ダイ／フィールドにわたって空間的に定義することができるので、フィンガープリントとみなされうる。さらに、絶対値への寄与度の変換は、基板／ダイ／フィールドにわたって空間的に定義することができるので、フィンガープリントとみなされうる。理解されるように、パターニングプロセスを使用した複数の基板の処理からのデータは、それぞれの寄与度を導出するために使用することができる。このデータは、基板の処理の副産物でありうるので、既に利用可能でありうる。
【０１３１】
さて、ＣＤについても、図９に関して説明したのと同じ技法を使用することができる。例えば、ＣＤに対する導出寄与度４７０は、フォーカス（Ｆ）４００、基板の法線方向における基板移動の移動標準偏差（ＭＳＤｚ）４１０、基板と平行な方向における基板移動の移動標準偏差（ＭＳＤｘ）４２０などの複数のプロセス変数に起因する寄与度の結合（導出寄与度を含みうる）であってもよい。したがって、この場合、フォーカス（Ｆ）４００のＣＤに対する寄与度の一例が寄与度４３０となり、移動標準偏差（ＭＳＤｚ）４１０のＣＤに対する寄与度の一例が寄与度４４０となり、移動標準偏差（ＭＳＤｘ）４２０のＣＤに対する寄与度の一例が寄与度４４０となる。次いで、これら寄与度の各々は、導出寄与度４７０を実現するために共に結合される（４６０）。一例では、結合された寄与度は、
【数２】
2021508078.tif 000004
のように表すことができる。さらに、ここでは示されていないクロス項が存在してもよく、異なる関係であってもよい（例えばフォーカス及び／又はＭＳＤｚなどが、２次に限られなくてもよく、線形項および３次項を有してもよい）。ある実施の形態では、寄与度４３０、４４０、４５０は、それぞれ、フォーカス（Ｆ）４００、移動標準偏差（ＭＳＤｚ）４１０、および移動標準偏差（ＭＳＤｘ）４２０の分布であってもよく、その場合、ＣＤモデルがそれらをＣＤ分布に結合するために使用されるであろう。さらに、ここでは示されていないクロス項（ＦとＭＳＤの積の関数としてのＣＤなど）が存在してもよい。ＣＤの絶対値を得るために、ＣＤの公称値またはシミュレートされた値がこれら寄与度と結合されてもよい。ａ１，ｂ１，ｃ１のような係数は、プロセス変数またはその関数に対するＣＤの感度である。
【０１３２】
上述の原理を適用して、図１０は、導出寄与度５１０を、基板の対象のパターニングプロセスパラメータについてのパターン付き基板メトロロジデータから、対象のパターニングプロセスパラメータに対する寄与度を除去することによって取得する例を模式的に示す。この文脈におけるパターン付き基板メトロロジデータとは、そのパターニングプロセスによって少なくとも部分的に処理された基板上のフィーチャ（例えば、デバイスパターンフィーチャ、デバイスパターンから分離されたメトロロジターゲットなど）を測定することによって得られる対象のパラメータの値である。このようなメトロロジデータは、典型的には、図３から図６に関して説明したようなメトロロジツールまたは検査ツールを使用して取得することができる。
【０１３３】
対象のパラメータについてのパターン付き基板メトロロジデータ５００は、少なくとも２つの寄与度を有してもよい。そのため、パターン付き基板メトロロジデータ内の１つ又は複数の寄与度は、パターン付き基板メトロロジデータ内の１つ又は複数の他の寄与度を除去することによって取得されうる。したがって、寄与度５１０は、パターン付き基板メトロロジデータ５００から寄与度５２０を除去すること（５０５）によって取得されてもよい。要素５０５（および各図の他の要素）はマイナス符号を示しているが、５０５における操作は、減算である必要はなく、例えば、乗算、（デ）コンボリューション、ニューラルネットワークの使用などであってもよい。寄与度５２０は、寄与度４７０のような導出寄与度であってもよいし、寄与度４３０、４４０、４５０のうちいずれか１つ又は複数のような、他のデータから導出した寄与度であってもよい。さらに、複数の寄与度が除去されてもよい。例えば、任意選択的な寄与度５４０（プロセス変数５３０に関連付けられる）が、寄与度５２０と共にパターン付き基板メトロロジデータ５００から除去されてもよい。理解されるように、パターニングプロセスを使用した複数の基板の処理からのデータは、パターン付き基板メトロロジデータを取得するために使用することができる。
【０１３４】
ある実施の形態では、パターン付き基板メトロロジデータは、デバイスパターンから分離したパターン、例えば、ダイの非機能領域、ダイ間、またはテスト基板上のメトロロジフィーチャからのものである。したがって、例えば、１つ又は複数のプロセス変数の寄与度をそうしたメトロロジデータから除去することができ、それによって、そうしたメトロロジデータに対する１つ又は複数のプロセス変数の残存寄与度を取得することができる。そして、同じまたは異なる基板上のデバイスパターンのメトロロジデータに対する同等の寄与度を、デバイスパターンから実際にメトロロジデータを取得する必要なく、この残存寄与度に基づいて取得することができる。例えば、デバイスパターンのメトロロジに対する寄与度は、残存寄与度と同じであると推定しうる。なぜなら、適用可能な１つ又は複数のプロセス変数が、デバイスパターンと分離したパターンとに同等の効果を有するからである。ある実施の形態では、分離したパターンは、テスト目的のためのパターン（例えば、メトロロジターゲット）であり、この分離パターン上でメトロロジを行うことは、基板上のデバイスパターンに影響を与えない。
【０１３５】
したがって、寄与度を結合することによって、及び／又は寄与度をパターン付き基板メトロロジデータから除去することによって、基板の対象のパラメータの推定値を、必ずしもその基板についてパターン付き基板メトロロジデータを取得することなく、取得することができる。これは、様々な寄与度の性質を認識することによって行われる。
【０１３６】
ある実施の形態では、１つ又は複数のプロセス変数の寄与度は、装置（例えば、リソグラフィ装置）固有のものであってもよく、すなわち、寄与度は、特定の実際の装置または装置の組み合わせに固有のものである。そのため、ある実施の形態では、１つ又は複数のプロセス変数の寄与度は、すべての基板にわたって繰り返し使用されてもよい。したがって、１つ又は複数のプロセス変数の寄与度は、予め特徴付けられ、様々な結合／除去プロセスのためにデータベースから取得されてもよい。寄与度は、装置全体として又は特定部分（例えば、エッチングチャンバ）に固有であってもよい。そのような変数の例は、スピンコーティング、露光後ベーク、現像、エッチング、成膜、ドーピング、及び／又はパッケージングなど、リソグラフィ装置におけるパターン転写の上流または下流のプロセスの様々な特性を含んでもよいが、これらに限定されるものではない。
【０１３７】
ある実施の形態では、１つ又は複数のプロセス変数の寄与度は、特定の基板に固有ではない（従って、複数の基板にわたって使用されうる）。したがって、１つ又は複数のプロセス変数の寄与度は、予め特徴付けられ、その後に様々な結合／除去プロセスのためにデータベースから取得されてもよい。１つ又は複数のプロセス変数のこの寄与度は、これを特定の基板についての１つ又は複数の変数のデータおよび感度の関係と結合することによって、この特定の基板に適用することができる。このような変数の例としては、照明、投影システム、フォーカス、ドーズ、帯域幅、露光時間といった変数、ステージ移動の高周波数の特性（例えば、基板ステージの動きの移動標準偏差（ＭＳＤ）、基板ステージの動きの移動平均、周波数、振幅など）、レーザ帯域幅の高周波数の変化（例えば、周波数、振幅など）、レーザ波長の高周波数の変化、及び／又は基板の平坦性などが挙げられるが、これらに限定されるものではない。
【０１３８】
ある実施の形態では、１つ又は複数のプロセス変数の寄与度は、基板固有のものであってもよい。例えば、寄与度は、各基板または特定グループの基板について決定されてもよい。そのような変数の例としては、基板の形状（高さマップ、変形マップ）、基板のプロセス条件、照明の変数、投影システムの変数、フォーカス、ドーズ、帯域幅、露光時間、ステージ移動の高周波数の特性（例えば、基板ステージの動きの移動標準偏差（ＭＳＤ）、基板ステージの動きの移動平均など）、レーザ帯域幅の高周波数の変化（例えば、周波数、振幅など）、レーザ波長の高周波数の変化、及び／又は基板の平坦性などが挙げられるが、これらに限定されるものではない。
【０１３９】
ある実施の形態では、１つ又は複数のプロセス変数の寄与度は、パターンまたはパターニングデバイス固有のものであってもよく、すなわち、寄与度は、特定の実際のパターニングデバイスまたはパターニングデバイスによって提供される特定のパターンに固有のものである。この寄与度はさらに、基板に依存しないものであってもよい。そのため、パターンまたはパターニングデバイス固有の寄与度は、予め特徴付けられ、その後に様々な結合プロセスのためにデータベースから取得されてもよい。そのような変数の例は、パターニングデバイスフィーチャのＣＤ、アシストフィーチャの形状及び／又は位置、超解像技術（ＲＥＴ）によって適用される調整などを含んでもよいが、これらに限定されない。
【０１４０】
ある実施の形態では、異なるプロセス変数に関連付けられる寄与度は、異なる空間的均一性を有してもよい。例えば、いくつかのプロセス変数の寄与度は、基板全体にわたって実質的に空間的に均一であってもよく、一方、いくつかの他のプロセス変数の寄与度は、基板全体にわたってそれほど空間的に均一ではないかもしれない。この違いは、プロセス変数の異なる性質に起因する可能性がある。例えば、レジスト層、レジスト層の現像、及び／又は基板のエッチングに関連付けられる１つ又は複数のプロセス変数の寄与度は、通常、基板全体がレジスト層でコーティングされ、同時に同条件で現像またはエッチングされるため、実質的に空間的に均一な傾向にあり、または、例えば、これらのプロセスのいくつかの間に基板が回転するため、対称的となる傾向にある。例えば、パターン転写またはリソグラフィ装置に関連付けられる１つ又は複数のプロセス変数の寄与度は、あまり空間的に均一でない傾向にある。なぜなら、パターン転写はその場所に固有である傾向にあり、ある場所のパターン転写と別の場所のパターン転写との間で１つ又は複数のプロセス変数が変化しうるからである。したがって、実質的に空間的に均一でない寄与度をパターン付き基板メトロロジデータから除去することができれば、実質的に空間的に均一な寄与度をパターン付き基板メトロロジデータから取得することができる。
【０１４１】
そこで、特定の例では、基板上で露光された各点についてリソグラフィ装置から、レベリング情報、基板移動の移動平均（ＭＡ）、ＭＳＤｘｙｚ、ドーズ、レーザ帯域幅、瞳形状など、プロセス変数データが収集されてもよい。このデータは、典型的には、リソグラフィ装置内、例えば診断ファイル内で既に入手可能である。このデータから、上述した寄与度が、１つ又は複数のプロセス変数に対する対象パラメータの感度を記述した対象パラメータ用のモデルを使用して生成されてもよい。１つ又は複数の感度は、シミュレーションまたは実験から取得することができる。この方法で生成される寄与度は、トラックとレジストモデルの較正が完全であると仮定して、レジスト現像後の測定時に見られると予想されるものである。基板が例えば現像後やエッチング後に一度測定されると、寄与度がパターン付き基板メトロロジデータから除去される。ここで、残存寄与度は、パターン転写の前または後のプロセス（例えば、トラック及び／又はエッチング装置（一般にフィールド間）およびパターニングデバイス（フィールド内）によるものである。リソグラフィ装置の誤差は、パターン付き基板メトロロジデータから補正されているであろう。同様に、パターニングデバイスの寄与度が測定され、パターン転写の前または後のプロセスによる寄与度を残すように除去されてもよい。寄与度は、プロセスフロー（例えば、パターニングプロセスステップ及び／又は使用される装置の組み合わせ）ごとに、または特定の装置またはその一部（例えば、エッチング装置またはエッチングチャンバ）ごとに除去されてもよい。
【０１４２】
したがって、これらの技術によって、対象のパラメータに対する寄与度は、モデル化された関係を介して、またはパターン付き基板メトロロジデータから既知の寄与度を除去することによって、取得することができる。さらに、１つ又は複数の寄与度は、装置固有である一方、基板に依存しないものでありうる。しかし、１つ又は複数の他の寄与度は、基板固有であってもよい。したがって、寄与度の適切な混合と整合によって、パターニングプロセスにおけるある時点での対象のパラメータの推定値を推定することができる。
【０１４３】
そこで、これらの寄与度の適用のいくつかの特定の例は、基板についてフォーカス、ＣＤ、およびオーバレイの推定値を決定するために、フォーカス、ＣＤ、およびオーバレイそれぞれの文脈で説明される。理解されるように、追加の又は他の対象のパラメータが処理され推定されてもよい。
【０１４４】
これらの実施例を可能にするために、様々なデータが使用される。例えば、リソグラフィ装置は、パターン転写制御のために使用される重要なメトロロジ能力をそこに統合している。そのような統合されたメトロロジ能力の例としては、サーボ制御のための基板及び／又はパターニングデバイスの位置測定デバイス（例えば、センサＩＦ）、レベリング制御のための基板表面の測定のためのレベリングセンサ（例えば、センサＬＳ）、オーバレイ制御を可能にするための基板の配向、位置及び／又は変形を測定するためのアライメントセンサ（例えば、センサＡＳ）、及び／又は投影システムの波面を制御するための収差センサ（例えば、上述のシヤリング干渉計）などが挙げられる。リソグラフィ装置は、これらセンサからのデータを、その全体的なＣＤ、オーバレイ及び／又はフォーカスバジェットを満たす水準で制御するために使用するが、同時に、制御後に残される残差及び／又は誤差を追跡する。これらの残差及び／又は誤差は、パターン転写中にどのようなＣＤ、オーバレイ及び／又はフォーカス誤差が生じるか、すなわちＣＤ、オーバレイ及び／又はフォーカスフィンガープリントに対するリソグラフィ装置の寄与度を計算するために使用されてもよい。理解されるように、パターニングプロセスで使用される他の装置が、その装置の適用可能なメトロロジのために同様の情報を有していてもよい。
【０１４５】
さらに、リソグラフィ装置の設定または制御は、それぞれの較正または制御補正を決定するために、１つ又は複数の数学モデルを使用することができる。しかしながら、そのような１つ又は複数のモデルは、非ゼロの残差誤差につながる仮定または限界を内蔵しうる。そのようなモデル残差は、どのようなＣＤ、オーバレイ及び／又はフォーカスの誤差が生じるか、すなわちＣＤ、オーバレイ及び／又はフォーカスフィンガープリントに対するモデルの寄与度を計算するために使用されうる。理解されるように、パターニングプロセスで使用される他の装置は、同様のモデル情報を有することができる。
【０１４６】
さらに、リソグラフィ装置は、１つ又は複数のパラメータ（例えば、フォーカス、オーバレイなど）の任意のグローバルおよびローカルのフィンガープリントを除去するのを支援するために、インレジスト測定を使用して設定されてもよい。しかし、グローバルフィンガープリントは、最後に較正が実行された時から時間の経過とともにドリフトすることがある。この設定状態を監視および制御するために、モニター基板を露光して測定し、グローバルフィンガープリントを監視することができる。モニター基板は、レジスト層を塗布した基板に明確に定義されるパターンに関連するパターンで露光され、現像され、その後測定される、基本となる基板であってもよい。一度測定されると、モニター基板上のレジストは、この明確に定義されるパターンを残して剥離され、それにより新たなレジスト層を塗布することができる。これらの測定値に基づいてリソグラフィ装置に補正を行うことができ、そのため、これらの補正は寄与度を決定する際に考慮される必要がある。ある実施の形態では、モニター基板は、この明確に定義されるパターンを使用してオーバレイを決定するため、及び／又はレジストパターンを使用してフォーカスを決定するために使用することができる。
【０１４７】
フォーカスの例に目を向けると、この技術は本質的に２つの主要部分を含む。第１の部分は、推定プロセスで特定の基板についてフォーカスの推定値を決定するために使用される１つ又は複数のタイプのリソグラフィ装置プロセス変数に反映されないリソグラフィ装置の基本的なフォーカス寄与度を決定するためのセットアッププロセスである。第２の部分は、検討中の基板についてそれら１つ又は複数のタイプのリソグラフィ装置プロセス変数に関連付けられるフォーカス寄与度を使用して、この特定の基板についてフォーカスの推定値を決定する推定プロセスである。
【０１４８】
従って、ある実施の形態に係るセットアッププロセスでは、パターン付き基板のフォーカスメトロロジデータが１つ又は複数の基板について取得され、次いで、図１０を参照して上述したのと同様に、１つ又は複数のタイプのリソグラフィ装置プロセス変数の寄与度が除去される。除去することができる１つのタイプの寄与度は、例えばリソグラフィ装置のレベリングセンサに関連付けられる基板高さ残差又は誤差マップのフォーカス寄与度である。除去することができる更なるタイプの寄与度は、投影システム像面偏差（ＩＰＤ）のフォーカス寄与度であり、これは例えばシヤリング干渉計及び／又は投影システムモデル残差から取得されうる。除去することができる更なるタイプの寄与度は、パターニングデバイス及び／又は基板サーボ制御（例えば、ＭＡ）のフォーカス寄与度であり、これは、適用可能な位置決め部、位置測定デバイス（例えば、センサＩＦ）、及び／又はサーボ制御モデルの残差から取得されうる。上述したように、プロセス変数からフォーカス寄与度への変換は、シミュレーション、数学的モデリング、及び／又は実験によって決定することができる。
【０１４９】
必要に応じて、寄与度フィンガープリントは、同じグリッド（寄与度フィンガープリントの１つのグリッドと同じであってもよいし、異なるグリッドであってもよい）に再グリッド化することができる。同様に、寄与度フィンガープリントは、パターン付き基板メトロロジデータに再グリッド化することができ、またはその逆も可能である。ある実施の形態では、再グリッド化は、アップサンプリングまたはダウンサンプリングを備える。
【０１５０】
ある実施の形態では、フィルタリング（例えば、移動平均、デコンボリューション、ＦＦＴなど）は、望ましくは、別の寄与度と結合する前に、寄与度に適用される。
【０１５１】
ある実施の形態では、リソグラフィ装置の基本フォーカス寄与度が、有効に一度決定され、様々なフォーカス推定に使用されるので、各基板を測定する場合と比較して、計測量を大幅に減少させることができる。ある実施の形態では、パターン付き基板のフォーカスメトロロジデータが、基板上での比較的疎な位置サンプリング（例えば、基板上の５００個以下のターゲット）及び／又は１つ又は複数のロットからの比較的少数の基板サンプリング（例えば、２５枚以上の基板ロットから１０枚以下の基板）によって取得されうる。
【０１５２】
ある実施の形態では、パターン付き基板のフォーカスメトロロジデータは、上述したように、モニター基板の測定されたフォーカスフィンガープリントでありうる。そのため、既に捕捉されているデータを使用することができる。したがって、測定されたフォーカスフィンガープリントは、投影システム像面偏差（ＩＰＤ）のフォーカス寄与度、基板高さ残差又は誤差マップのフォーカス寄与度、及び／又はパターニングデバイス及び／又は基板サーボ制御のフォーカス寄与度などのリソグラフィ装置のセンサ情報から導出されるリソグラフィ装置の影響を補正して、リソグラフィ装置の基本フォーカス寄与度に到達することができる。
【０１５３】
その後、リソグラフィ装置の基本フォーカス寄与度は、フォーカスのオンプロダクト推定で使用するために保存される。リソグラフィ装置の基本フォーカス寄与度は、複数のリソグラフィ装置について決定することができる。リソグラフィ装置の基本フォーカス寄与度は、使用されるリソグラフィ装置でのデバイスの特定の組み合わせについて決定することができる。例えば、リソグラフィ装置は、基板が露光されうる複数の基板テーブルを有していてもよく、そのため、リソグラフィ装置の基本フォーカス寄与度は、使用されるデバイスの特定の組み合わせ及び／又は複数の組み合わせについて決定することができる。
【０１５４】
その後、オンプロダクト推定のために、フォーカスに関連する１つ又は複数のタイプのリソグラフィ装置プロセス変数の誤差又は残差が、対象の基板について取得され、そのフォーカス寄与度が決定される。例えば、投影システム像面偏差（ＩＰＤ）のフォーカス寄与度、基板高さ残差又は誤差マップのフォーカス寄与度、及び／又はパターニングデバイス及び／又は基板サーボ制御のフォーカス寄与度を、対象の基板について取得することができる。追加することができる更なるタイプの寄与度は、対象の特定の基板に使用されるパターニングデバイスに起因するパターニングデバイス誤差のフォーカス寄与度であり、これは測定によって取得されうる。この寄与度は、対象の基板にパターニングデバイスを使用することなくリソグラフィ装置の適用可能な基本フォーカス寄与度が得られた場合には特に使用されうる。
【０１５５】
さらに、上述したように、リソグラフィ装置の適用可能な基本フォーカス寄与度が取得される。次に、図９に関して上述したように、リソグラフィ装置の適用可能な基本フォーカス寄与度を、対象の基板の１つ又は複数の特定のフォーカス寄与度と結合して、対象の基板の推定フォーカスフィンガープリントを取得する。したがって、フォーカス誤差の推定値は、任意の基板上で、任意の又はほぼ任意の場所で決定することができる。
【０１５６】
さて、ＣＤの例に目を向けると、原理的には、基板にＣＤ変動を引き起こしうるプロセス変数は、多数存在する。この実施形態では、基板全体にわたる特定のＣＤ変動が考慮される。特に、フォーカス、フォーカスブラー、ドーズ、および全体的プロセスに関してＣＤ変動寄与度が考慮される。パターニングデバイスは、ＣＤ変動に対するフィールド内の寄与因子であり、これもまた考慮されうるが、便宜上のみのためにこれ以上説明されない。
【０１５７】
ＣＤに対するフォーカスの寄与度は、上述のようにフォーカス寄与度に基づくことができ、具体的には、リソグラフィ装置の基本フォーカス寄与度と、検討中の基板についてリソグラフィ装置の１つ又は複数のプロセス変数のフォーカス寄与度との結合である。この密なフォーカス情報は、例えばフィーチャ（リソ後及び／又はエッチング後）のボサング(Bossung)挙動が実験またはシミュレーションにより既知としうるとすると、原理的に、任意のパターンフィーチャについてフィールド全体及び／又は基板全体のΔＣＤ寄与度に変換することができる。そのため、あるフォーカス値を有する基板上の任意の位置（ｘ，ｙ）について、ＣＤ値は、その基板位置（ｘ，ｙ）に対応して計算されうる。
【数３】
2021508078.tif 000005
ここで、ＨＤＦＭは、フォーカスの例で上述した、導出される高密度フォーカスマップのようなフォーカスマップに対応する。
【０１５８】
ＣＤに対するフォーカスブラーの寄与度は、サーボ情報（例えば、ｚ方向のＭＳＤ）のなどのリソグラフィ装置のデータを用いて取得することができる。このフォーカスブラー情報は、スキャン方向にわたって基板全体にわたってΔＣＤ寄与度に変換することができる。このフォーカスブラー情報からＣＤへの変換もまた、フィーチャに固有のものであり、実験またはシミュレーションによって既知とすることができる。
【数４】
2021508078.tif 000006
ここで、ｆｂｌｕｒはフォーカスブラーに対応する。
【０１５９】
ＣＤに対するドーズの寄与度は、リソグラフィ装置のドーズ変動（例えば、ドーズマッピングシステムによって決定される）に起因する。露光中の基板全体にわたるドーズ変動は、実験またはシミュレーションにより既知としうる、適用可能なフィーチャの適切なドーズ感度を使用して、ΔＣＤ寄与度に変換することができる。
【数５】
2021508078.tif 000007
【０１６０】
ＣＤに対する全体的プロセスの寄与度は、パターン転写単体とは別の、パターニングプロセスの一部としての様々なプロセスステップから生じるＣＤ変動である。よって、ある実施の形態では、全体的プロセスの寄与度は、最終的なエッチングステップ後のＣＤ変動の状態であり、ＣＤ変動を推定する際に考慮される他の様々なＣＤ変動にはよらない。したがって、ある実施の形態では、この寄与度は、例えば成膜の変動、ベーキング及び／又は現像の変動、及び／又はエッチングプロセスの変動から生じる、すべての考慮されていないプロセス変動の累積的な影響である。ＣＤに対する全体的プロセスの寄与度に寄与するプロセス変数の例は、レジスト層の下の構造の特性、レジスト層の化学組成及び／又は物理的寸法、及び／又はリソグラフィ装置におけるパターン転写の上流または下流の１つ又は複数のプロセス（例えばスピンコーティング、露光後ベーク、現像、エッチング、成膜、ドーピング及び／又はパッケージング）の特性を含みうる。そして、ＣＤに対する全体的プロセスの寄与度は、エッチング後という観点で記載されているが、全体的プロセスの寄与度は、パターニングプロセスの異なる時点、例えば、現像後でエッチング前に取得されてもよい。
【０１６１】
そこで、フォーカスの例でのセットアッププロセスと同様に、フォーカス、フォーカスブラー、およびドーズに起因するこれらのΔＣＤ寄与度のすべてを使用し、基板のＣＤ測定値から減算して、全体的プロセスの寄与度を推定することができる。すなわち、ある実施の形態では、エッチング後の全体的プロセス寄与度は、エッチング後のアンカーフィーチャのＣＤ測定値から、（アンカーフィーチャについての）フォーカス、フォーカスブラー、およびドーズのΔＣＤ寄与度を除去することによって生成することができる。上述したように、全体的プロセス寄与度は、適切なアンカーフィーチャから推定される。したがって、ある実施の形態では、他のフィーチャのための全体的プロセス寄与度は、アンカーフィーチャから決定されてもよい。例えば、残りの全体的プロセス寄与度は、アンカーフィーチャの特性の比率として表すことができる。全体的プロセス寄与度をパターニングプロセスの異なる時点、例えば現像後でエッチング前について取得する場合に、現像後でエッチング前のＣＤ測定値が使用されてもよい。
【０１６２】
ある実施の形態では、全体的プロセスの寄与度が、有効に一度決定され、様々なＣＤ推定に使用されるので、各基板を測定する場合と比較して、計測量を大幅に減少させることができる。ある実施の形態では、パターン付き基板のフォーカスメトロロジデータが、基板上での比較的疎な位置サンプリング（例えば、基板上の５００個以下のターゲット）及び／又は１つ又は複数のロットからの比較的少数の基板サンプリング（例えば、２５枚以上の基板ロットから１０枚以下の基板）によって取得されうる。
【０１６３】
その後、全体的プロセスの寄与度は、ＣＤのオンプロダクト推定で使用するために保存される。全体的プロセスの寄与度は、特定の及び／又は複数の装置構成（例えば、１つ又は複数の特定のエッチングチャンバ、エッチングチャンバとベークプレートの１つ又は複数の特定の組み合わせ、基板テーブルとエッチングチャンバの１つ又は複数の特定の組み合わせなど）について決定することができる。
【０１６４】
その後、上述のフォーカス推定ステップと同様に、オンプロダクトＣＤの推定値を取得することができる。ある実施の形態では、ＣＤに関連する１つ又は複数のタイプのリソグラフィ装置プロセス変数の誤差または残差が、対象の基板について取得され、そのＣＤ寄与度が決定される。例えば、フォーカス、フォーカスブラー及び／又はドーズのＣＤ寄与度が、対象の基板について取得されうる。追加することができる更なるタイプの寄与度は、対象の特定の基板に使用されるパターニングデバイスに起因するパターニングデバイス誤差のＣＤ寄与度であり、これは測定によって取得されうる。
【０１６５】
さらに、上述したように、ＣＤに対する適用可能な全体的プロセスの寄与度が取得される。次に、図９に関して上述したように、ＣＤに対する適用可能な全体的プロセスの寄与度を、対象の基板の１つ又は複数の特定のＣＤ寄与度と結合して、対象の基板の推定ＣＤフィンガープリントを取得する。したがって、ＣＤ誤差の推定値は、任意の基板上で、任意の又はほぼ任意の場所で決定することができる。
【０１６６】
さらに、推定値は、ホットスポットなどの基板上の対象の１つ又は複数の特定のパターンフィーチャについて取得されてもよい。上述したように、ＣＤに対する全体的プロセスの寄与度は、特定のアンカーフィーチャについて決定されたが、対象の１つ又は複数の特定のフィーチャについてスケーリングすることができる。さらに、１つ又は複数のタイプのリソグラフィ装置プロセス変数（フォーカス、フォーカスブラー及び／又はドーズなど）のＣＤ寄与度は、その１つ又は複数の特定のフィーチャについて、ＣＤ変動と１つ又は複数のタイプのリソグラフィ装置プロセス変数との間の適切な感度に基づいて計算されうる。そのような感度は、例えば、シミュレーション及び／又は実験により取得されうる。このようにして、それぞれが、パターンの別のホットスポット又はその他の対象のフィーチャについてのものである、複数のＣＤ基板フィンガープリントが取得されてもよい。
【０１６７】
メトロロジは、例えば、１つ又は複数の関連するモデル例えばパターニングデバイス及び／又は収差モデルにおいてより多くのパラメータを用いることにより、改良することができる。メトロロジは、全体的プロセスの寄与度を、例えば、様々なフィーチャに対し様々な感度で例えば成膜、リソグラフィ及び／又はエッチングなど様々な寄与因子に分割することによって推定することによって、拡張されてもよい。
【０１６８】
ある実施の形態では、パターニングプロセスの一部として適用されるドーズ補正が、結果の中で補正されてもよい。例えば、リソセルは、例えばASMLのDosemapperシステムを使用してドーズ補正を適用してもよい。したがって、この補正は、ＣＤの推定値を決定する際に考慮される。
【０１６９】
今度は、オーバレイの例に目を向けると、基板上の少なくとも２つの異なるパターン転写からのデータが使用される。この技術は、フォーカスおよびＣＤの例に関して上述したものと同様である。
【０１７０】
この技術は、本質的に２つの主要部分を含む。第１の部分は、推定プロセスで特定の基板についてオーバレイの推定値を決定するために使用される１つ又は複数のタイプのリソグラフィ装置プロセス変数に反映されないリソグラフィ装置の基本的なオーバレイ寄与度を決定するためのセットアッププロセスである。任意選択として、全体的プロセスのオーバレイ寄与度もまた、上述したＣＤの例での全体的プロセスのＣＤ寄与度と同様に決定されうる。第２の部分は、検討中の基板について少なくとも２つのパターン転写の各々についてそれら１つ又は複数のタイプのリソグラフィ装置プロセス変数に関連付けられるオーバレイ寄与度を使用して、この特定の基板についてオーバレイの推定値を決定する推定プロセスである。
【０１７１】
従って、ある実施の形態に係るセットアッププロセスでは、パターン付き基板のオーバレイメトロロジデータが１つ又は複数の基板について取得され、次いで、図１０を参照して上述したのと同様に、少なくとも２つのパターン転写の各々について１つ又は複数のタイプのリソグラフィ装置プロセス変数の寄与度が除去される。除去されうる１つのタイプの寄与度は、例えば、リソグラフィ装置のレベリングセンサから取得される基板高さマップのオーバレイ寄与度である。基板高さマップについて２つのパターン転写に差を見つけることができ、その後、この差をオーバレイ値、ひいてはオーバレイ寄与度に変換することができる。例えば、Ｚ高さ差は、高さ差を基板の反りまたは曲がりとみなして、基本原理を使用してＸ及び／又はＹ変位を計算することにより、Ｘ及び／又はＹ変位に変換することができる（例えば、変位は、例えば基板のクランプされた領域ではＺの変動対ＸまたはＹの変動に基板の厚さの半分を掛けたものでありうるか、または変位は、例えば基板のクランプされていない領域ではKirchoff-Loveの薄板理論を使用して計算することができる）。ある実施の形態では、高さのオーバレイ寄与度への変換は、シミュレーション、数学的モデリング及び／又は実験によって決定することができる。したがって、このようなパターン転写ごとの基板高さ情報を使用することにより、フォーカスまたはチャックスポットによるオーバレイへの影響を観察し、説明することができる。
【０１７２】
除去されうる更なるタイプの寄与度は、Ｘ及び／又はＹ方向（Ｚ周りの回転を含む）におけるパターニングデバイス及び／又は基板のサーボ制御（例えば、ＭＡ）のオーバレイ寄与度であり、これは、適用可能な位置決め部、位置測定デバイス（例えば、センサＩＦ）、及び／又はサーボ制御モデルの残差から取得されうる。基板全体にわたるサーボ制御値について２つのパターン転写に差を見つけることができ、この差はオーバレイ寄与度を表すことができる。必要に応じて、サーボ制御値からオーバレイ寄与度への変換は、シミュレーション、数学的モデリング及び／又は実験によって決定することができる。
【０１７３】
除去されうる更なるタイプの寄与度は、投影システム収差（これは、例えば、シヤリング干渉計から取得されうる）及び／又は投影システムモデル残差のオーバレイ寄与度である。収差及び／又は残差からオーバレイ寄与度への変換は、シミュレーション、数学的モデリング、及び／又は実験によって決定することができる。
【０１７４】
除去されうる更なるタイプの寄与度は、アライメントシステムモデル残差のオーバレイ寄与度であり、これは、リソグラフィ装置によって提供されうる。残差からオーバレイ寄与度への変換は、シミュレーション、数学的モデリング及び／又は実験によって決定することができる。ある実施の形態では、アライメントシステムモデル残差は、異なるパターン転写ステップに対して異なりうるので、したがって、それら異なるパターン転写ステップについてのアライメントシステムモデル残差の結合または差を、オーバレイ寄与度を取得するために使用することができる。ある実施の形態では、アライメントモデル残差は、基板の高さについて補正されてもよい。
【０１７５】
必要に応じて、寄与度フィンガープリントは、同じグリッドに再グリッド化することができる。同様に、寄与度フィンガープリントは、パターン付き基板のメトロロジデータに再グリッド化することができ、またはその逆も可能である。
【０１７６】
ある実施の形態では、リソグラフィ装置の基本オーバレイ寄与度が、有効に一度決定され、様々なオーバレイ推定に使用されるので、各基板を測定する場合と比較して、計測量を大幅に減少させることができる。ある実施の形態では、パターン付き基板のオーバレイメトロロジデータが、基板上での比較的疎な位置サンプリング（例えば、基板上の５００個以下のターゲット）及び／又は１つ又は複数のロットからの比較的少数の基板サンプリング（例えば、２５枚以上の基板ロットから１０枚以下の基板）によって取得されうる。
【０１７７】
ある実施の形態では、パターン付き基板のオーバレイメトロロジデータは、上述したように、モニター基板の測定されたオーバレイフィンガープリントでありうる。したがって、既に捕捉されているデータを使用することができる。したがって、測定されたオーバレイフィンガープリントは、リソグラフィ装置の基本オーバレイ寄与度に到達するように、投影システムのオーバレイ寄与度、基板高さのオーバレイ寄与度、アライメントモデル残差のオーバレイ寄与度、及び／又はパターニングデバイス及び／又は基板サーボ制御のオーバレイ寄与度などのリソグラフィ装置センサ情報から導出されるリソグラフィ装置への影響について補正されることができる。ある実施の形態では、測定されたオーバレイフィンガープリントデータは、製品基板の第１パターン転写について一度捕捉され、その後、第２パターン転写に対して（これらパターン転写の合間にモニター基板を再び使用して）捕捉される。ある実施の形態では、パターン付き基板のオーバレイメトロロジデータは、第１パターン転写後の１つ又は複数のモニター基板から測定されたオーバレイフィンガープリントと、第２パターン転写後の１つ又は複数のモニター基板から測定されたオーバレイフィンガープリントとの間の差から取得されるオーバレイデルタフィンガープリントである。このように、製品層とほぼ同時に１セットのモニター基板を露光することによって、短期ドリフトに関してリソグラフィ装置のオーバレイに対する寄与度を定量化することができる。すなわち、このオーバレイデルタフィンガープリントにより、第１パターン転写と第２パターン転写の間の短期ドリフトに起因するフィールド間オーバレイへのリソグラフィ装置の寄与度を取得することができる。
【０１７８】
任意選択として、エッチング後のオーバレイが望まれる場合、オーバレイに対するエッチングプロセス寄与度が決定されてもよく、これは、エッチングから生じるオーバレイ変動である。エッチングプロセスのオーバレイ寄与度を取得するために、現像後でエッチング前のパターン付き基板メトロロジデータがエッチング後のパターン付き基板メトロロジデータから除去され、エッチングプロセスのオーバレイ寄与度が取得されてもよい。ある実施の形態では、エッチングプロセスオーバレイ寄与度が、有効に一度決定され、様々なオーバレイ推定に使用されるので、各基板を測定する場合と比較して、計測量を大幅に減少させることができる。ある実施の形態では、パターン付き基板のオーバレイメトロロジデータが、基板上での比較的疎な位置サンプリング（例えば、基板上の５００個以下のターゲット）及び／又は１つ又は複数のロットからの比較的少数の基板サンプリング（例えば、２５枚以上の基板ロットから１０枚以下の基板）によって取得されうる。第１パターン転写または第２パターン転写で誘起されるエッチングプロセスフィンガープリントは、各パターン転写後のエッチングフィンガープリントが同じであると仮定して、現像後エッチング前のオーバレイ測定値と、第１パターン転写または第２パターン転写の他方のエッチング後のエッチング後オーバレイ測定値との間のデルタフィンガープリントを用いて推測することができる。
【０１７９】
その後、リソグラフィ装置の基本オーバレイ寄与度（および任意選択として、エッチングプロセスのオーバレイ寄与度）は、オーバレイのオンプロダクト推定で使用するために保存される。リソグラフィ装置の基本オーバレイ寄与度は、複数のリソグラフィ装置について決定することができる。リソグラフィ装置の基本オーバレイ寄与度は、使用されるリソグラフィ装置でのデバイスの特定の組み合わせについて決定することができる。例えば、リソグラフィ装置は、基板が露光されうる複数の基板テーブルを有していてもよく、そのため、リソグラフィ装置の基本オーバレイ寄与度は、使用されるデバイスの特定の組み合わせ及び／又は複数の組み合わせについて決定することができる。エッチングプロセスのオーバレイ寄与度は、特定の及び／又は複数の装置構成（例えば、１つ又は複数の特定のエッチングチャンバ）について決定することができる。
【０１８０】
その後、オンプロダクト推定のために、オーバレイに関連する１つ又は複数のタイプのリソグラフィ装置プロセス変数の誤差又は残差が、対象の基板について取得され、そのオーバレイ寄与度が決定される。例えば、リソグラフィ装置の基本的なオーバレイ寄与度を取得するために、投影システムのオーバレイ寄与度、基板高さのオーバレイ寄与度、アライメントモデル残差のオーバレイ寄与度、及び／又はパターニングデバイス及び／又は基板サーボ制御のオーバレイ寄与度を、対象の基板について取得することができる。ある実施の形態では、基板高さのオーバレイ寄与度のみが取得される。
【０１８１】
さらに、上述したように、リソグラフィ装置の適用可能な基本オーバレイ寄与度が取得され、任意選択として、適用可能なエッチングプロセスオーバレイ寄与度が取得される。次に、図９に関して上述したように、リソグラフィ装置の適用可能な基本オーバレイ寄与度（および任意選択として、エッチングプロセスオーバレイ寄与度）を、対象の基板の１つ又は複数の特定のオーバレイ寄与度と結合して、対象の基板の推定オーバレイフィンガープリントを取得する。したがって、オーバレイの推定値は、任意の基板上でほぼ任意の場所で決定することができる。
【０１８２】
ある実施の形態では、パターニングプロセスの一部として適用されるオーバレイ補正が、結果の中で補正されてもよい。例えば、リソセルは、例えば、ASMLのBaselinerシステムを用いたモニター基板の測定値に基づいて、オーバレイ補正を適用してもよい。したがって、この補正は、オーバレイの推定値を決定する際に考慮される。
【０１８３】
ある実施の形態では、マルチプルパターニングプロセスにおいて、露光条件とリソグラフィ装置条件の両方、例えば、露光ドーズ、パターニングデバイスの透過率、パターニングデバイスの資格誤差、照明設定、リソグラフィ装置の基板クランプ誤差などが、第１パターン転写ステップと第２パターン転写ステップとの間できわめて近似していることが望ましい。さらに、フィールド内レベルでの露光および加熱の痕跡は、第１および第２のパターン転写ステップの間で近似していると予想され、したがって、オーバレイに対するこれらの影響は小さいはずである。
【０１８４】
さらに、ある実施の形態では、複数の予測を組み合わせることができる。例えば、オーバレイ予測とＣＤ予測を組み合わせることができる。例えば、異なるパターン転写ステップを使用して互いに隣接する構造を生成し、それら構造間にギャップが設けられるマルチプルパターニングの状況では、１つ又は複数の異なるパターン転写ステップについてのＣＤとそれら異なるパターン転写ステップについてのオーバレイとの組み合わせは、ギャップのサイズについてオーバレイ推定又はＣＤ推定のみよりも優れた予測を与えることができる。
【０１８５】
図１１は、ある実施の形態に係り、方法のフローを模式的に示している。ここでは特に、どのようにして、一般化された寄与度、例えば、リソグラフィ装置の基本フォーカス寄与度、ＣＤに対する全体的プロセスの寄与度、及び／又はリソグラフィ装置の基本オーバレイ寄与度（および任意選択として、適用可能なエッチングプロセスオーバレイ寄与度）などが、対象の基板について特定の情報に適用されて、その基板の対象のパラメータの推定値を取得することができるかを示している。したがって、寄与度９１２は、例えばホットスポットについて、特定の基板の１つ又は複数のプロセス変数に対応する。これは、モデリングによって、デバイス情報などから決定することができる。さらに、例えば、リソグラフィ装置の基本フォーカス寄与度、ＣＤに対する全体的プロセスの寄与度、及び／又はリソグラフィ装置の基本オーバレイ寄与度（および任意選択として、適用可能なエッチングプロセスオーバレイ寄与度）など、複数の基板に適用可能な寄与度９２２が取得される。寄与度９２２は、本書に記載された技術のいずれかを使用して取得されてもよい。寄与度９１２は、複数の基板について（例えば、対象の全ての基板について）決定されてもよく、一方、寄与度９２２は、多数の基板にわたって繰り返し使用されてもよい。寄与度９１２および寄与度９２２は、必ずしもホットスポットについてパターン付き基板メトロロジデータを取得することを必要とせずに、例えばホットスポットについて対象のパラメータの推定値９５０を取得するために結合される。手順９７０では、対象のパラメータの推定値に基づいて、ホットスポットに欠陥があるか否かが決定されるなどのアクションが実行される。
【０１８６】
そこで、デバイスセンサデータがインレジスト及び／又はエッチング後のメトロロジを向上するために利用され、例えば、基板の密なサンプリングを行うことなく基板ごとの密なメトロロジを提供し、及び／又はそのような基板ごとにパターン付き基板メトロロジデータを取得することなく、すべてではないにせよ多数の基板についてのメトロロジを提供することができる計算メトロロジを得ることができる。さらに、密な計算メトロロジは、例えば、より高次の補正を可能にすることができる。また、計算メトロロジは、各基板についてパターン付き基板メトロロジデータを取得することなく、及び／又は基板上でパターン付き基板メトロロジデータを密に測定することなく、基板ごとの制御を含む、より優れた制御を可能にすることができる。
【０１８７】
さらに、これらの計算メトロロジ技術からの推定値は、パターニングプロセス制御（例えば、１つ又は複数のプロセス変数の調整）、パターニングプロセス監視、欠陥検出、欠陥予測、パターニングプロセス設計など、様々な適用を可能にすることができる。
【０１８８】
ある実施の形態では、導出される寄与度（図１０を用いて導出されるような）は、対象のパラメータに対する１つ又は複数のプロセス変数の変化の寄与度を決定するための数学モデルをパラメータ化するために使用することができる。すなわち、数学モデルは、導出される寄与度に対して適合させることができ、それによって、数学モデルの１つ又は複数のパラメータ、定数等の値を取得することができる。したがって、一例として、プロセス及び／又は基板スタックにおける変化に適応するための、モデルおよびモデルにおいて表される任意の感度を有することが望ましい。そこで、ある実施の形態では、予測される基板フィンガープリントが、測定されることになるすべての基板について生成されてもよい。このために、対象のパラメータのモデルが確立されてもよく、例えば、ＣＤについては、CD=a1*DOSE+a2*FOCUS2+a3*MSDx+a4*MSDy+a5*MSDz+...を備えるモデルである。基板の測定により、前及び／又は後のプロセス（例えば、トラック／エッチング）のフィンガープリントおよびパターニングデバイスのフィンガープリントを除去することができる。残りのフィンガープリント測定値は、予測値と比較することができる。この状況では、ＣＤ、ドーズ、フォーカス、ＭＳＤ−ｘｙｚ、収差などが既知である１セットの方程式（測定点と同数の方程式）が存在する。この方程式のセットは、所望される感度（a1, a2,...）について解くことができる。特定のデバイスパターンについて測定されたいくつもの基板についてこれが実行されるとき、所望される感度を再推定するための多くのデータが存在することになる。複数のリソグラフィ装置からのデータが使用される場合、及び／又はフォーカス露光マトリクス露光からのデータが同様に使用される場合、入力信号（例えば、フォーカス、ドーズ、ＭＳＤ、ＣＤなど）の十分な変動は、感度の適切な推定を可能にすることができる。さらに、本技術は、フォーカス深度、露光寛容度、オーバレイ、エッジ位置などの対象の他のパラメータに適用することができる。
【０１８９】
ある実施の形態では、トレーニングアルゴリズムを使用して更なる精度を追加することができる。例えば、収差についての感度が解かれる場合、収差がこれらの感度を適合させる前にスリット上でのみ変化しＣＤ（またはオーバレイ）データをプレフィルタするという境界条件を考慮に入れることができる。ある実施の形態では、感度は、時々または連続的に再評価することにより、パターニングプロセスにおける変動に対してロバストになることができる。
【０１９０】
上述したように、計算メトロロジ技術は、測定されたフィンガープリントから（既知の）寄与度を減算することによって、フォーカス、ドーズ、およびオーバレイなどのプロセス変数のフィンガープリントに対する寄与度を導出するために使用されてもよい。これは、例えば図１０に示されており、寄与度５２０は、寄与度５１０を取得するために、測定されたフィンガープリント５００から減算される。寄与度５１０は、寄与度５２０が測定されたフィンガープリント５００に影響する相当量のノイズ又はさもなければ非系統的な挙動を導入する場合に、半導体製造プロセスを制御するためのより好適な入力でありうる。安定した入力（少なくとも基板ロットにわたって安定した）に基づいて装置を制御したい場合、「清浄化」されたデータ５１０を入力として使用することが好ましいかもしれない。多くの場合、データ５１０は、対象のプロセス変数（例えば、リソグラフィ装置による露光以外のプロセスステップのオーバレイ寄与度、この場合、寄与因子５２０はリソグラフィ装置の寄与度である）のかなり疎な表現である。しかしながら、多くの場合、リソグラフィ装置を用いた露光などのプロセスステップの効果的な制御を提供するために、十分に密なデータが必要とされうる。この問題を克服するために、図２２に模式的に示される方法を利用することが提案される。
【０１９１】
図２２は、オーバレイ測定装置デバイス（例えばスキャトロメータ）などのメトロロジツールを使用してプロセス変数の（典型的には疎に）測定されたフィンガープリント２２０１を取得する第１ステップを備える方法を説明する。フィンガープリント２２０１に対する計算または他の方法で決定された寄与因子２２０２が、フィンガープリント２２０１から減算され、プロセス変数フィンガープリント２２０１に対する清浄化された（安定した）寄与度２２０３が取得される。疎なデータ２２０３は、グローバルモデル２２００を用いてアップサンプルされ、寄与因子２２０３の密な表現２２０４が取得される。モデルは、アップサンプルされた寄与度２２０４を提供するために、任意の適切な数学的方法（例えば、機械学習、多項式適合、補間スキームなど）を利用しうる。モデルは、好ましくはグローバルである。すなわち、モデルは、基板全体にわたるプロセス変数の低次の挙動を導出するように構成されている。よって、アップサンプルされた寄与因子２２０４は、一般に、プロセス変数のより高周波数の内容を備えない。疎な寄与因子フィンガープリント２２０３（プロセス変数のより高次の周波数の疎な内容を備える）を、グローバルな密な寄与因子フィンガープリント２２０４と結合して、結合された寄与因子フィンガープリント２２０５を取得することが提案される。このプロセスは、図２２において、フィンガープリント２２０３と２２０４を備える点線の四角形によって示され、結合された寄与因子フィンガープリント２２０５の生成は、点線の矢印によって示されている。結合された寄与因子フィンガープリント２２０５は、過度のメトロロジ所要時間及び／又はメトロロジデータ２２０１内に存在する安定した成分を決定するための高度なデータ分析の使用なしに、プロセスステップの安定した高次の制御を可能にする。
【０１９２】
ある実施の形態では、パターニングされた基板に関連付けられたメトロロジデータ２２０１から寄与度２２０２が除去され、メトロロジデータ２２０１に対する、導出される寄与度２２０３が取得される。導出寄与度２２０３は、モデル２２００を使用してアップサンプルされ、モデル化された寄与度２２０４が取得される。導出寄与度とモデル化された寄与度は結合され、結合寄与度２２０５が取得される。
【０１９３】
結合寄与度２２０５は、エッチングツール、ＣＭＰツール、成膜ツール及び／又はリソグラフィ装置などのプロセス装置を制御するための入力として使用されてもよい。
【０１９４】
制御は、前述のプロセス装置のための適切な制御レシピを生成することによって実現されてもよい。
【０１９５】
制御レシピは、リソグラフィ装置のためのものであってもよく、毎露光制御（ＣＰＥ）命令及び／又はサブレシピを備え、リソグラフィ装置を使用して基板に提供される露光フィールドの個別制御のための情報を含んでいる。
【０１９６】
モデル２２００は、好ましくは、基板全体にわたるプロセス変数の低次の挙動を記述するように構成されるグローバルモデルである。
【０１９７】
更なる応用では、１つ又は複数の寄与度／フィンガープリントを使用してパターンのコンターを予測することができる。この文脈では、コンターは、基板に転写されたパターンのフィーチャの形状の輪郭である。コンターは、例えば、基板に転写されたパターンフィーチャの形状の外側境界を抽出するように基板の画像（例えば、走査型電子顕微鏡画像）を処理することによって可視化することができる。しかし、コンターはまた、基板に転写されると予想されるパターンフィーチャの電子的表現を生成するために、数学的処理（例えば、シミュレーション）によって生成されてもよい。コンターは、典型的には線の形態をとるが、本書で使用されるコンターは、フィーチャの境界を記述するデータへと一般化することができる。コンターは連続的である必要はなく、すなわち、輪郭及び／又はデータは、不連続な輪郭及び／又はデータがフィーチャの境界を十分に記述する場合には、フィーチャまわりに不連続であってもよい。ある実施の形態では、コンターは、二次元（すなわち、平面を定義する）または三次元でありうる。ある実施の形態では、コンターは、パターンが形成される基板の表面に実質的に平行な平面内に延びることができる。ある実施の形態では、コンターは、パターンが形成される基板の表面に実質的に垂直な平面内に延びることができ、この場合、プロファイルとして特徴付けられ、二次元または三次元の形態をとりうる。
【０１９８】
コンターを予測するために、１つ又は複数の寄与度／フィンガープリントが、本書に記載されるように取得され、予測されるコンターを得るべく特定の公称コンターを選択し及び／又は公称コンターを修正するために使用されうる。１つ又は複数の寄与度／フィンガープリントを使用したコンターのそのような予測および使用の詳細は、本書に記載される１つ又は複数の寄与度／フィンガープリントのその他の使用と共に、参照によりその全体が本書に援用される２０１７年２月２２日に出願された米国特許出願第６２／４６２，２０１号に記載されている。
【０１９９】
上述したように、ある実施の形態では、本明細書の計算メトロロジ技術は、パターニングプロセス用の装置（例えば、リソグラフィ装置）からのデータとメトロロジ装置（例えば、図３から図５に関して上述したメトロロジ装置の１つ）からのデータとの結合を使用して、ある基板についてパターニングプロセスの対象の特定のパラメータ（例えば、オーバレイ、エッジ配置誤差など）について導出される寄与度又はフィンガープリントを生成することができる。したがって、このような計算メトロロジの適用では、対象の特定のパラメータについてハイブリッドの密なフィンガープリントが、メトロロジ及びパターニングプロセス装置（例えば、リソグラフィ装置）の入力に基づいて生成される。例えば、オーバレイフィンガープリントについては、入力は、例えば、１つ又は複数のモニター基板を使用して行われた測定結果、パターニングプロセス製造装置（例えば、リソグラフィ装置）からのデータまたは測定結果、及び／又はメトロロジ装置（例えば、図３から図５に関して上述したメトロロジ装置の１つ）からの測定結果（エッチング後検査（ＡＥＩ）または現像後検査（ＡＤＩ）の測定結果など）であることができる。
【０２００】
上述のハイブリッドの密なフィンガープリントについては、メトロロジターゲットを測定するメトロロジ装置を用いた対象のパラメータの比較的密な測定結果（例えば、ＡＤＩ及び／又はＡＥＩ）が、フィンガープリントを生成するために、ターゲットからのパラメータ測定結果とデバイスパターン応答との間の良好な整合を可能にするために使用される。したがって、例えば、メトロロジターゲットを測定するメトロロジ装置による対象のパラメータの密でない測定結果を使用できるようにすることが望ましいであろう。より少ない密度の測定値を使用することにより、スループットの向上が可能となりうる。より少ないメトロロジターゲットの測定値が必要とされうるからである。
【０２０１】
それに加えて又はそれに代えて、上述の結果得られるフィンガープリントは、すべてのデバイスパターンフィーチャに対して汎用的でありうるので、例えばクリティカルなデバイスパターンフィーチャ（ホットスポットとも呼ばれる）を参照しない場合がある。したがって、デバイスパターンの複数のフィーチャのうちの特定のフィーチャそれぞれについて、その特定のデバイスパターンフィーチャに固有のフィンガープリントを生成することができることが望ましいであろう。ある実施の形態では、フィンガープリントは、１つ又は複数のクリティカルなデバイスパターンフィーチャに固有であってもよい。クリティカルなデバイスパターンフィーチャに関連付けられる対象のパラメータ（例えば、オーバレイ、フォーカス、ＣＤ、アライメントなど）の密なマップを有することは、（例えば、デバイス歩留まり制御の観点から）より有益でありうる。クリティカルなデバイスパターンフィーチャに着目することにより、パターニングプロセスの歩留まりに基づく設計、制御、修正等が、例えば、デバイスパターンの特定のフィーチャ特性を考慮に入れることによって生成されてもよい。
【０２０２】
図１２を参照すると、デバイスパターンの特定フィーチャに固有のフィンガープリントを生成して使用する方法のある実施の形態が模式的に示されている。一般的には、この方法は、シミュレーション（例えば、フルチップシミュレーション）、メトロロジターゲットを使用したメトロロジ測定（例えば、オーバレイフィンガープリントのためのＡＤＩ／ＡＥＩオーバレイ測定）、およびオンデバイスパターン測定の組み合わせによって、１つ又は複数の特定のデバイスパターンフィーチャについて基板の少なくとも一部にわたって、対象のパラメータのフィンガープリント（マップ）を生成することを含む。例えば、パラメータフィンガープリントは、１つ又は複数のクリティカルなデバイスパターンフィーチャのそれぞれについて生成することができる。１つ又は複数のパラメータフィンガープリント（例えば、１つ又は複数のクリティカルなデバイスパターンフィーチャについて）によって、パターニングプロセスの１つ又は複数の態様（例えば、装置、サブプロセス、使用される消耗品（例えば、パターニングデバイス）など）が、１つ又は複数のパラメータフィンガープリントを使用して設計、補正、制御、変更等されることができる。ある実施の形態では、それぞれのデバイスパターンフィーチャの利用可能な複数のパラメータフィンガープリントの重み付き結合が、パターニングプロセスの上記態様の設計、補正、制御、変更等に使用されることができる。すなわち、それぞれの特定のデバイスパターンフィーチャに関連付けられる１つ又は複数のパラメータフィンガープリントは、他のそれぞれのデバイスパターンフィーチャに関連付けられる１つ又は複数の他のパラメータフィンガープリントよりも高く重み付けされてもよい。そのような設計、補正、制御、変更等は、パターニングプロセスを使用して基板上にデバイスパターンを製造するためにパターニングプロセスに使用される装置（例えば、リソグラフィ装置、エッチングツール、成膜ツール等）の設定の構成を含むことができる。ある実施の形態では、設計、補正、制御、変更等は、リソグラフィ装置設定の変更（例えば、基板などの物体のＸ、ＹまたはＺ運動の制御の変更、投影システム収差の特定の補正（例えば、投影システムにおけるアクチュエータまたは他の波面操作デバイスを使用して）、基板の露光のための照明ドーズの変更（例えば、放射ソースの制御及び／又は照明システムにおけるドーズ変調デバイスを使用して）等）を含むことができる。
【０２０３】
１１００には、パターニングデバイスに設けられるデバイスパターンフィーチャおよびメトロロジターゲットを有するパターニングデバイスパターンの例示的な高度に概略的なレイアウトが示されている。デバイスパターンフィーチャは、フィーチャＡ、Ｂ、Ｃ、およびＤとして符号が付されている。理解されるように、フィーチャＡの各インスタンスは実質的に同じタイプのパターンレイアウトであり、フィーチャＢの各インスタンスは実質的に同じタイプのパターンレイアウトであり、フィーチャＣの各インスタンスは実質的に同じタイプのパターンレイアウトであり、フィーチャＤの各インスタンスは実質的に同じタイプのパターンレイアウトである。さらに、フィーチャＡ〜Ｄの各々は、他のフィーチャと異なっていてもよい。さらに、メトロロジターゲットは、ターゲット１、２および３として符号が付されている。理解されるように、ターゲット１の各インスタンスは実質的に同じタイプのメトロロジターゲットであり、ターゲット２の各インスタンスは実質的に同じタイプのメトロロジターゲットであり、ターゲット３の各インスタンスは実質的に同じタイプのメトロロジターゲットである。ある実施の形態では、メトロロジターゲット１〜３の各々は、他のターゲットとは異なっていてもよい（例えば、ターゲット周期構造のピッチの点で異なる、ターゲット周期構造のフィーチャのセグメンテーションの点で異なる、デューティサイクルの点で異なる、等）。知られているように、デバイスパターンフィーチャおよびメトロロジターゲットは、リソグラフィプロセスを用いて基板に転写される。オーバレイのためのメトロロジターゲットの場合、ターゲット１、２、３は、基板上の下層のターゲットであってもよいし、基板上の上層のターゲットであってもよく、ここで、ターゲット１、２、または３は、下層の対応するターゲットの上に概ね位置するか、または上層の対応するターゲットは、ターゲット１、２、または３の上に概ね位置する。
【０２０４】
１１１０において、パターニングデバイスパターンの基板への転写のシミュレーションが、例えば、パターニングプロセスの公称条件からの一定量の摂動など、パターニングプロセスの様々な条件で実行される。例えば、図１３のパターニングシミュレーション方法は、パターニングデバイスパターン（１つ又は複数のメトロロジターゲットを含む）の基板への予測される転写を生成するために使用することができる。同様に、シミュレートされるパターニングプロセスの一部として生成される１つ又は複数のメトロロジターゲットの測定もまた、例えば、複数の測定ビーム波長及び／又は複数の測定偏光でシミュレートされる。例えば、図１４の測定シミュレーション方法を用いて測定をシミュレートすることができる。これらのシミュレーションに基づいて、基板上に生成されるようにシミュレートされた１つ又は複数のメトロロジターゲットと１つ又は複数のデバイスパターンフィーチャの各々について対象のパラメータ（例えば、オーバレイ）が決定され、基板上に生成されるようにシミュレートされたパターニングデバイスパターンの１つ又は複数のメトロロジターゲットと１つ又は複数のデバイスフィーチャとの間のパラメータの関係がシミュレートされた結果から決定される。例えば、パターン転写条件に依存して、また、対象のパラメータとしてのオーバレイについては、デバイスパターンフィーチャのシフトは、オーバレイターゲットのシフトに関連しうる。ある実施の形態では、この関係のために、１つ又は複数のメトロロジターゲットの対象のパラメータは、１つ又は複数のデバイスフィーチャの対象のパラメータとは異なってもよく、１つ又は複数のメトロロジターゲットの対象のパラメータがオーバレイであってもよく、一方、１つ又は複数のデバイスフィーチャの対象のパラメータがエッジ配置誤差であってもよい。それに加えて又はそれに代えて、対象のパラメータの１つ又は複数の光学収差感度、対象のパラメータの１つ又は複数のフォーカス感度、対象のパラメータの１つ又は複数のドーズ感度、対象のパラメータの１つ又は複数のピッチ依存性など、その他の関係が確立されてもよい。
【０２０５】
１１３０において、適用可能な対象のパラメータの測定値が、１１１０でシミュレーションが実行されるパターニングプロセスを使用してパターニングデバイスパターンが転写された１つ又は複数の基板から取得される。ある実施の形態では、測定値は、パターニングデバイスパターンの複数のインスタンスが転写された基板全体にわたって取得される。ある実施の形態では、測定値は、各々にパターニングデバイスパターンが複数回転写された複数の基板から取得される。ある実施の形態では、測定値は、パターニングプロセスの一部として１つ又は複数の基板に転写された１つ又は複数のメトロロジターゲットから取得される。ある実施の形態では、対象のパラメータはオーバレイであり、測定値は、１つ又は複数のメトロロジターゲットのＡＤＩ及び／又はＡＥＩを使用して取得されるオーバレイ測定値である。ある実施の形態では、オーバレイ測定値は、複数の測定ビーム波長及び／又は複数の測定ビーム偏光で取得される。
【０２０６】
１１２０において、１つ又は複数のメトロロジターゲットからの対象のパラメータの測定値が、シミュレートされた結果と整合される。すなわち、シミュレーションから決定された１つ又は複数の関係を使用して、測定された対象のパラメータが、デバイスパターンフィーチャについて適用可能な対象のパラメータ（例えば、対象のパラメータと同じ又は異なるパラメータ）の等価な値に変換されることができる。例えば、オーバレイの文脈では、メトロロジターゲットからのオーバレイの測定値は、１つ又は複数のシミュレートされた関係を使用して、関連付けられるデバイスパターンフィーチャの予想されるオーバレイに変換することができる。ある実施の形態では、メトロロジ測定値は、基板全体にわたって取得され、したがって、基板全体にわたる様々な場所での局所条件（例えば、基板の非平坦度、エッチングの変動など）に起因して変化する値を有する可能性が高い。したがって、ある実施の形態では、１つ又は複数の特定のデバイスパターンフィーチャの各々について予測される対象のパラメータの基板の少なくとも一部にわたるマップが取得されてもよい。ある実施の形態では、対象のパラメータは、パラメータの誤差又は残差、例えばＣＤ誤差であってもよい。オーバレイの例を考えると、基板の少なくとも一部にわたる特定のデバイスパターンフィーチャの予測オーバレイのマップは、基板の少なくとも一部にわたって得られたメトロロジターゲットのオーバレイ測定値を、１つ又は複数のシミュレートされた関係を使用して基板の少なくとも一部にわたって生成された特定のデバイスパターンフィーチャに整合させることによって、決定することができる。同様のオーバレイマップは、各デバイスパターンフィーチャが基板の少なくとも一部にわたり広がるインスタンスを有する、別の複数の特定のデバイスパターンフィーチャの各々について生成することができる。ある実施の形態では、オーバレイマップは、実質的に、各ベクトルがオーバレイの方向およびオーバレイの大きさを有する基板の少なくとも一部にわたるオーバレイベクトルの空間分布である。その結果、データを結合して、対象のパラメータ（例えば、オーバレイ、エッジ配置誤差など）の予測される基板マップをデバイスパターンフィーチャごとに取得することができる。ある実施の形態では、基板マップは、フルチップ情報に基づいて構築されてもよいので、フィールド／基板上で密にサンプリングすることができる。
【０２０７】
１１４０において、１つ又は複数のパターニングデバイスパターンフィーチャの測定値が、１１１０でシミュレーションが実行されたパターニングプロセスを用いてパターニングデバイスパターンが転写された１つ又は複数の基板から取得される。ある実施の形態では、測定値は、パターニングデバイスパターンの複数のインスタンスが転写された基板全体にわたって取得される。ある実施の形態では、測定値は、各々にパターニングデバイスパターンが複数回転写された複数の基板から取得される。ある実施の形態では、測定値は、オンデバイスの測定値である。すなわち、測定値は、デバイスパターンの周囲の１つ又は複数のメトロロジターゲットから取得されるのではなく、デバイスフィーチャ自体のものである。ある実施の形態では、オンデバイスの測定値は、電子顕微鏡のように、イオンビーム（例えば電子ビーム）測定技術を使用して取得される。ある実施の形態では、測定値は、デバイスパターンフィーチャのエッジ配置、ＣＤなどである。
【０２０８】
１１５０において、オンデバイスの測定値に基づいて、シミュレートされたデバイスパターンフィーチャ（例えば１１１０について上述したシミュレーションから決定される）と、測定された対象のパラメータ（例えば、１１３０で決定され、１１２０でシミュレートされたデバイスパターンフィーチャと整合される）との間の関係が、相関付けられることができる。この相関は、デバイスフィーチャのオンデバイス測定値の分析によって行うことができる。例えば、オーバレイの文脈では、オンデバイス測定値から決定されるエッジ配置誤差が、シミュレートされたデバイスパターンフィーチャと関連するメトロロジターゲットからの測定されたオーバレイとの間の関係に基づいてオーバレイが予測されているフィーチャについて特定され、予測されたオーバレイは、測定されたオンデバイスのエッジ配置誤差に相関付けられうる。一例として、別々のパターニングプロセスの実行により生成された隣接フィーチャのエッジ間の距離の誤差が、予測されたオーバレイに相関付けることができる。次いで、この相関は、予測されたオーバレイを、デバイスフィーチャのオーバレイ及び／又はエッジ配置誤差のより正確な予測値に変換するために使用することができる。そして、パターニングデバイスパターンフィーチャごとに、かなり高度に予測された正確な対象のパラメータ（例えば、オーバレイ、エッジ配置誤差など）の基板マップをデバイスパターンフィーチャごとに構築することができる。
【０２０９】
任意選択として、デバイスパターンフィーチャごとの対象のパラメータの基板マップは、その他の関連データを有することができる。例えば、マップは、パターニングプロセス内の制御パラメータとの相互依存性に関する情報を含むことができ、ここで、制御パラメータは、パターニングプロセスの少なくとも一部の性能を変更するためにパターニングプロセスに使用される装置内で設定可能なパラメータである。ある実施の形態では、制御パラメータは、リソグラフィ装置の動作を制御するパラメータである。ある実施の形態では、制御パラメータは、リソグラフィ装置内のフォーカス、投影システム収差などを制御するパラメータである。したがって、対象のパラメータの基板マップは、１つ又は複数のリソグラフィ装置の制御パラメータ（例えば、フォーカス、投影システムの動作など）との１つ又は複数の相互依存性を含むことができる。そして、この相互依存性は適切な補正を行うことを可能としうる。デバイスパターンのある特定のフィーチャの対象のパラメータが、制御パラメータの値の変化に応答してデバイスパターンの別のフィーチャとは異なる値の変化を有しうるからである。
【０２１０】
複数のマップへの言及がなされてきたが、それらマップのうちの１つ又は複数のマップを結合マップへと結合することができる（これは、データ構造を結合するとき共に結合される複数のマップとみなされる）ことが理解されるであろう。ある実施の形態では、すべてのマップが結合マップへと結合されてもよく、または、マップのサブセットが、残りの１つ又は複数の別個のマップと結合マップへと結合されてもよい。例えば、複数のデバイスパターンフィーチャの各々についてのデバイスパターンフィーチャごとの基板マップは、結合基板マップに含まれる１つ又は複数のデバイスパターンフィーチャごとの関連付けられるサンプリングとともにデータを結合する結合基板マップへと変換されることができる。すなわち、結合基板マップに基づいて、１つ又は複数の関連するデバイスパターンフィーチャについてのデータが、適用可能なサンプリング定義に基づいて選択されることができる。
【０２１１】
そこで、ステップ１１２０および１１５０において、対象のパラメータの測定値１１３０（１つ又は複数のメトロロジターゲットを使用）は、計算リソグラフィおよびメトロロジシミュレーションおよびオンデバイス測定値１１４０を使用して、デバイスパターンフィーチャごとに適用可能な対象のパラメータのマップ（例えば、対象のパラメータは測定されたパラメータと同じ又は異なるパラメータである）に変換されている。例えば、オーバレイの文脈では、１つ又は複数のオーバレイメトロロジターゲットを使用したオーバレイ測定値は、計算リソグラフィおよびメトロロジシミュレーション（フィードフォワード）およびオンデバイス測定値（フィードバック）を使用して、デバイスパターンフィーチャごとのオーバレイマップに変換することができる。この技術を文脈に置くと、測定値１１３０は、比較的迅速に取得することができ、基板全体にわたって比較的疎に取得することができる。さらに、１つ又は複数のメトロロジターゲットは、デバイスパターンフィーチャの挙動について実質的に代わりとして機能するように設計されているが、デバイスパターンフィーチャの実際の挙動の測定値ではない。したがって、ステップ１１２０において、１つ又は複数のメトロロジターゲットを使用した対象のパラメータの比較的疎な測定値は、１つ又は複数のシミュレートされた関係を使用して、１つ又は複数のデバイスパターンフィーチャに対応する（同じまたは異なる）対象のパラメータの値に変換される。特に、疎な測定値は、複数のデバイスパターンフィーチャの各々について対象のパラメータの予測値を提供するために、様々なデバイスパターンフィーチャに整合され、デバイスパターンフィーチャごとの対象のパラメータの基板マップが実質的に生成される。望ましくは、対象のパラメータのメトロロジターゲット測定値を複数のデバイスパターンフィーチャの各々に変換することによって、基板全体にわたる対象のパラメータのより密な表現が得られ、デバイスパターンフィーチャの各々は、フィールド／ダイに複数のインスタンスを持つことができ、基板全体にわたる複数のダイ／フィールドにわたって複数のインスタンスを持つことになる。さて、デバイスパターンフィーチャの実際の挙動を反映させるために、オンデバイス測定値が取得されるが、オンデバイス測定値は、比較的疎なものでありうる。オンデバイス測定値を使用して、オンデバイス測定値と、シミュレートされたパターンフィーチャと測定されたメトロロジターゲット測定値との間の関係との間の相関を確立し、デバイスパターンフィーチャについて対象のパラメータのより正確な予測を可能にすることができる。その相関は、デバイスパターンフィーチャについて予測される対象のパラメータを改善するために使用することができ、デバイスパターンフィーチャごとに対象パラメータのかなり高度に予測された正確な基板マップを得ることができる。
【０２１２】
１１６０から１１８０において、デバイスパターンフィーチャごとの基板マップは、パターニングプロセスの態様（例えば、装置（リソグラフィ装置、エッチングツール、成膜ツールなど）、サブプロセス（例えば、パターンステップ、エッチングステップなど）、使用される消耗品（例えば、パターニングデバイス）など）における補正を行うために使用することができる。補正は、フィードフォワードまたはフィードバック補正でありうる。ある実施の形態では、補正は、リソグラフィ装置内で、リソグラフィ装置の１つ又は複数の制御パラメータ（例えば、ドーズの制御パラメータ、フォーカスの制御パラメータ（例えば、基板のＺ位置の制御）、アライメントの制御パラメータ（例えば、基板のＸ及び／又はＹ位置の制御）、光学収差の制御パラメータなど）を使用して行われる。
【０２１３】
１１６０において、複数の対象パラメータ基板マップ（デバイスパターンフィーチャに対応する各マップ）が存在する場合、複数のデバイスパターンフィーチャのうち１つ又は複数のデバイスパターンフィーチャのサブセットを、適用可能な対象パラメータ基板マップに基づいて、およびパターニングプロセスの少なくとも一部の予想され又は実際の挙動に関するデータに基づいて、選択することができる。例えば、１つ又は複数のクリティカルなデバイスパターンフィーチャが特定されてもよく、次に、１つ又は複数のクリティカルなデバイスパターンフィーチャの対象パラメータ基板マップそれぞれを、パターニングプロセスの少なくとも一部の補正に使用することができる。
【０２１４】
ある実施の形態では、予想され又は実際の挙動データは、パターニングプロセスに使用される装置１１８０からのデータ１１６７を備え、例えば、リソグラフィ装置の場合には、実際のまたは予想される基板のＸ、Ｙ及び／又はＺ位置に関するデータ（例えば、移動平均及び／又は移動標準偏差情報の形で、基板高さ又は非平坦性情報の形で、アライメント誤差の形で、等）、光学収差に関するデータ（例えば、例えばゼルニケ収差仕様の形での収差の測定値）、ドーズに関するデータ（例えば、装置内のセンサによって測定されうるドーズ誤差）などがある。挙動データは、測定値として、及び／又は装置の制御の一部として生成されるデータとして、装置から出力することができる。挙動データは、先行の基板のプロセスから、１つ又は複数の後続の基板のプロセスの制御に使用するために収集することができる。挙動データは、特定の入力（例えば、基板の先行のプロセスからのデータ）に基づいて挙動を予測する数学モデルから生成することができる。ある実施の形態では、挙動データは、公称挙動の周囲または隣接する挙動の範囲又はセットなど、挙動の範囲を備える。
【０２１５】
挙動データを使用して、その挙動による、デバイスパターンフィーチャの基板マップによって表される対象のパラメータへの予想される影響を決定することができる。例えば、オーバレイおよびリソグラフィ装置の文脈では、例えば、特定のドーズ誤差、光学収差、位置誤差などが、それらの挙動の１つ又は複数に対するオーバレイの感度（これらの感度は、シミュレーションまたは実験により決定することができる）に基づいて、オーバレイに関して何を引き起こすかを計算することができる。その計算されたオーバレイは、各オーバレイ基板マップがデバイスパターンフィーチャごとのものである複数のオーバレイ基板マップにより処理され、どの１つのデバイスパターンフィーチャが、パターニングプロセスの少なくとも一部の挙動に直面して、仕様から外れて生成される可能性が高い（例えば、欠陥となる可能性が高い）かを決定することができる。しきい値は、その挙動の結果として、どの１つ又は複数のデバイスパターンフィーチャが仕様から外れて生成される可能性が高いかを特定するために適用することができる。簡単な例として、特定のデバイスパターンフィーチャのためのオーバレイ基板マップは、基板の特定の領域においてデバイスパターンフィーチャが正のＸ方向に２ｎｍのオーバレイを有することが予想され、デバイスパターンフィーチャのためのオーバレイの仕様を４ｎｍに設定することができる（すなわち、このデバイスパターンフィーチャについては４ｎｍ以下のオーバレイが許容される）ことを特定することができる。そして、実際の又は予想される挙動が正のＸ方向に１〜３ｎｍのオーバレイを引き起こすと判断された場合、基板マップからの２ｎｍのオーバレイに実際の動作または予想される動作からの１〜３ｎｍのオーバレイを加えたものがこのデバイスパターンフィーチャを仕様外とする可能性が高いので、このデバイスパターンフィーチャはクリティカルであると考えることができる。もちろん、別の分析を行うこともできる。
【０２１６】
１１６０の分析の結果は、パラメータ基板マップのセット１１６３であり、ここで、各マップは、クリティカルなデバイスパターンフィーチャとして特定されたそれぞれのデバイスパターンフィーチャについてのものである。これは、図１２において、オーバレイ（この例では）の基板マップのセットとして、クリティカルなフィーチャとこの例で特定されたフィーチャＡ、Ｂ、Ｃ、およびＤのそれぞれについて模式的に示されている。図１２に見られるように、オーバレイの基板マップの各々は、それに関連付けられたデバイスパターンフィーチャについて基板全体にわたるオーバレイベクトルを示している。いくつかの領域ではベクトルの大きさが比較的大きく、デバイスパターンフィーチャがパターニングプロセスの挙動に特に依存してクリティカルとなっていることがわかる。
【０２１７】
さて、分析１１６０は、クリティカルなデバイスパターンフィーチャについて特定されたマップなどのパラメータ基板マップについての重みをさらに決定することができる。重みは、行われるべき補正を決定することの一部として、第１の特定のデバイスパターンフィーチャについてのパラメータ基板マップを、第２の特定のデバイスパターンフィーチャについてのパラメータ基板マップと比較して、より重く重み付けることができる。例えば、実際の又は予想される挙動の観点から第１のデバイスパターンフィーチャが第２のデバイスパターンフィーチャよりも仕様外となる可能性がより高い等を決定することができる。したがって、第１のデバイスパターンフィーチャについてのパラメータ基板マップは、第２のデバイスパターンフィーチャについてのパラメータ基板マップよりも、補正分析においてより重く重み付けされうる。このように、１つ又は複数の重み１１６５を生成することができ、パラメータ基板マップのセット１１６３と共に提供されてもよく、ここで、各マップは、クリティカルなデバイスパターンフィーチャと特定されたそれぞれのデバイスパターンフィーチャについてのものである。
【０２１８】
１１７０において、各マップがデバイスパターンフィーチャごとのものである１つ又は複数の対象パラメータ基板マップに基づいて、パターニングプロセスの少なくとも一部の１つ又は複数の補正が決定される。例えば、補正は、パラメータ基板マップのセット１１６３を使用して計算することができ、ここで、各マップは、クリティカルなデバイスパターンフィーチャと特定されたそれぞれのデバイスパターンフィーチャについてのものである。それに加えて又はそれに代えて、補正は、１つ又は複数の重み１１６５を考慮に入れることができ、例えば、ａ１＊Ｆ１＋．．．＋ａｎ＊Ｆｎのような重み付きメトリックを使用することができ、ここで、ａは重みに相当し、Ｆは特定のデバイスパターンフィーチャ（例えば、クリティカルなフィーチャ）についてのパラメータ基板マップに相当し、ｎは、デバイスパターンフィーチャの数である。ある実施の形態では、補正は、パターニングプロセスの少なくとも一部の実際の又は予想される挙動を考慮に入れることができる。
【０２１９】
１１８０では、１つ又は複数の補正は、パターニングプロセスに使用される装置によって適用することができる。ある実施の形態では、補正は、装置で使用するために変換されることができる。ある実施の形態では、ステップ１１１０、１１２０、１１５０、１１６０及び／又は１１７０のうちの任意の１つ又は複数の分析が、１１８０で装置内で実行されうる。
【０２２０】
そこで、ある実施の形態では、補正が、少なくとも基板マップに基づいて（例えば、重み付けされた方式で）、パターニングプロセスシステムの１つ又は複数の補正機構の能力の範囲内でデバイスパターンフィーチャの改善された生成をもたらすように、決定されることができる。例えば、リソグラフィ装置の場合、パラメータ基板マップは、１つ又は複数のデバイスパターンフィーチャの生成に補正をもたらすリソグラフィ装置の１つ又は複数の制御パラメータ（例えば、フォーカス、ドーズ、光学収差、Ｘ、Ｙ及び／又はＺ位置など）の値を生成するために使用される。ある実施の形態では、パラメータ基板マップは、最もクリティカルなデバイスパターンフィーチャへの補正を目標とするようなデバイスパターンフィーチャの重み付けに基づくリソグラフィ装置のパターン転写制御を可能にする。
【０２２１】
ある実施の形態では、特定のデバイスフィーチャについてのパラメータ基板マップは、設計、補正の決定などの目的のために、別の対象のパラメータの１つ又は複数の他のパラメータ基板マップ（デバイスフィーチャに固有であってもよいし、そうでなくてもよい）と共に使用することができる。例えば、オーバレイの基板マップは、オーバレイ補正のために、フォーカス及び／又はＣＤの基板マップ（この基板マップは、オーバレイマップの特定のフィーチャに固有であってもよいし、汎用であってもよい）と共に使用することができる。例えば、フォーカスの基板マップからのデフォーカスは、例えば投影システムの収差に起因するオーバレイのシフトを補正する目的のための情報を提供するかもしれない。
【０２２２】
検討すると、計算リソグラフィとメトロロジシミュレーションの結合（例えば、フルチップ計算リソグラフィとメトロロジターゲット測定シミュレーションの結合）、メトロロジターゲット測定（例えば、ＡＤＩ／ＡＥＩオーバレイ計測）、およびオンデバイス測定によって、デバイスパターンフィーチャごとの対象パラメータ（例えばオーバレイ）基板マップを生成することが提供される。実質的に、基板全体にわたる対象のパラメータの改善された表現を提供するための計算上のフィールド内サンプリングが提供される。１つ又は複数の基板マップを用いて、１つ又は複数の特定のデバイスパターンフィーチャについて対象のパラメータを改善するのに役立つように、１つ又は複数の基板マップに基づいて、パターニングプロセスに補正を行うことができる。例えば、補正は、リソグラフィ装置において行われてもよい（例えば、基板のＸ位置、Ｙ位置、及び／又はＺ位置の補正、光学収差の補正、ドーズの補正など）。ある実施の形態では、複数の基板マップ（異なるデバイスパターンフィーチャに対応する各マップ）が、補正を行うために重み付き結合で使用される。このようにして、デバイスパターンフィーチャの重み付きフィードバックを、適切な補正を可能にするために、パターニングプロセスにおける適切な装置に提供することができる。
【０２２３】
オーバレイの実施形態では、本書に記載された技術は、例えばデバイスパターンレイアウト情報およびパターニングプロセスパラメータ（光学収差、ドーズ、ステージ位置など）に基づいて、特定のデバイスパターンフィーチャのオーバレイ／パターンシフト（例えば、アライメント）を予測するために計算リソグラフィを使用することができる。次に、メトロロジターゲットからのオーバレイ／アライメントデータが、選択された位置でのデバイスパターンフィーチャの予測されるオーバレイ／アライメントを支えるために使用される。次に、（密な計算リソグラフィからの）予測された密なオーバレイと疎なオーバレイ／アライメント測定値に基づいて、デバイスパターンフィーチャ固有の密なオーバレイ／アライメントマップが作成される。疎なオーバレイ／アライメント測定を予測された密なオーバレイに相関付けるために、オンデバイス測定値を使用することができる。これらのデバイスパターンフィーチャ固有のマップを使用して、補正を生成することができる。例えば、クリティカルなデバイスパターンフィーチャのマップは、実際の又は予想されるパターニングプロセスの挙動に基づいて特定され、補正に使用することができる。さらに、特定のデバイスパターンフィーチャ（よりクリティカルなデバイスパターンフィーチャなど）をターゲットとすることを可能にするように、特定のマップに重みを割り当てることができる。
【０２２４】
このデバイスパターンフィーチャごとの対象パラメータ基板マップ技術は、１つ又は複数の利点をもたらすことができる。例えば、シミュレーションから取得可能な相対的な高密度を、測定データ（例えば、メトロロジターゲットデータおよびオンデバイスのメトロロジデータ）を使用した検証と組み合わせることにより、適用可能なデバイスパターンフィーチャに関する対象パラメータの精度誤差を低減することができる。さらに、この技術は、シミュレーションに基づく外挿を介して空間的な情報を取得することができるとともに、パラメータ情報のより高い空間分解能を得ることができるので、限られたパラメータ測定サンプリングを使用することができる。また、デバイスパターンフィーチャごとの基板マップは、デバイスパターンフィーチャに依存して、異なるプロセスフィンガープリントを分離することを可能にする。異なるデバイスパターンフィーチャは、異なるフィールド間及び／又はフィールド内フィンガープリントを有しうるので、フィンガープリントの分離は、パターニングプロセスシステム内の補正機構を使用して誤差の改善された目標を可能にする。さらに、デバイスパターンフィーチャの重み付けされた補正は、例えば、パターニングプロセスシステム内の補正機構の能力に適合させることができる、よりカスタマイズされたフィールド内補正を可能にする。
【０２２５】
ある実施の形態では、メトロロジターゲットは、デバイスパターンフィーチャとメトロロジターゲットを作成する際に、光学収差の差を低減または最小化するために、デバイスパターンフィーチャの近くに配置される。しかし、ある実施の形態では、シミュレーションは、適切なメトロロジターゲットの選択および感度分析によって、任意の差異を「橋渡し」するために使用することができる。その結果、デバイスパターンフィーチャの挙動を予測するために必要とされるメトロロジターゲットの数が少なくて済むかもしれない。
【０２２６】
ある実施の形態では、計算メトロロジシミュレーションは、特定のデバイスパターンフィーチャの挙動に最適化されたメトロロジターゲットを設計するために使用することができる。すなわち、特定のメトロロジターゲットのピッチ、セグメンテーションなどは、それらのターゲットから測定される対象のパラメータが、他のデバイスパターンフィーチャに対して、クリティカルなデバイスパターンフィーチャなど特定のデバイスパターンフィーチャを高度に（例えば、最も）よく表すように選択することができる。したがって、デバイスパターンフィーチャは、様々な異なるメトロロジターゲットタイプを有してもよく、異なるメトロロジターゲットタイプは、１つ又は複数の特定のデバイスパターンフィーチャを他のデバイスパターンフィーチャよりもよく表す。
【０２２７】
ある実施の形態では、オンデバイスの測定値は、計算リソグラフィの正確性を検証するため、及び／又は計算リソグラフィモデルを較正するために使用されてもよい。
【０２２８】
本書の方法の結果（または本書の方法の結果から導出される別の結果（例えば欠陥予測））は、パターニングプロセスまたはその装置におけるプロセスの制御、パターニングプロセスによって生成される基板の監視、パターニングプロセスのプロセスまたは装置の設計などを含む様々な目的のために使用することができる。例えば、結果またはそこから導出される別の結果は、基板のさらなるプロセスまたは別の基板のプロセスのために、パターニングプロセス用の装置またはプロセスを変更するために使用することができる。例えば、結果は欠陥を予測するために使用することができる。欠陥の予測は、例えば、影響を受けた領域を検査するために、及び／又は基板のさらなるプロセスまたは別の基板のプロセスについてパターニングプロセス用の装置またはプロセスを変更するために、メトロロジツールを制御するために使用することができる。さらに、結果は、例えばリソグラフィ装置の補正のためのドーズレシピを導出し、パターニングデバイスおよびそのパターンの設計、プロセスの設定などを可能にすることによって、パターニングプロセスを設計するために使用することができる。さらに、結果は、モデル較正、例えば、光近接効果補正モデル、ソースマスク最適化モデル、リソグラフィ製造チェックモデル、レジストモデル、イメージングモデル、測定モデル（例えば、測定プロセスをモデル化）などの較正に使用することができる。結果は、プロセスの１つ又は複数の変数（例えば、最良の露光及び／又は最良のドーズ）を決定するために使用することができ、それは、その後、様々な目的のために使用することができる。理解されるように、他にも多くの用途がありうる。
【０２２９】
図１３には、パターニングプロセスのいくつかの部分をモデル化及び／又はシミュレートするための例示的なフローチャートが示されている。理解されるように、モデルは、別のパターニングプロセスを表してもよく、以下に説明するすべてのモデルを備える必要はない。ソースモデル１２００は、パターニングデバイスの照明の光学特性（放射強度分布、帯域幅及び／又は位相分布を含む）を表す。ソースモデル１２００は、開口数設定、照明シグマ（σ）設定、さらには、任意の具体的な照明形状（例えば、環状、四極、双極などの軸外放射形状）を含むがこれらに限定されない照明の光学特性を表すことができ、ここでσ（またはシグマ）は、イルミネータの径方向外側範囲である。
【０２３０】
投影光学系モデル１２１０は、投影光学系の光学特性（投影光学系によって生じる放射強度分布及び／又は位相分布の変化を含む）を表す。投影光学系モデル１２１０は、収差、ディストーション、１つ又は複数の屈折率、１つ又は複数の物理的サイズ、１つ又は複数の物理的寸法などを含む、投影光学系の光学特性を表すことができる。
【０２３１】
パターニングデバイス／デザインレイアウトモデルモジュール１２２０は、デザインフィーチャがパターニングデバイスのパターンにどのようにレイアウトされているかを捕捉し、例えば、参照によりその全体が本書に援用される米国特許第７，５８７，７０４号に記載される、パターニングデバイスの詳細な物理的特性についての表現を含んでもよい。ある実施の形態では、パターニングデバイス／デザインレイアウトモデルモジュール１２２０は、デザインレイアウト（例えば、集積回路、メモリ、電子デバイスなどのフィーチャに対応するデバイスデザインレイアウト）の光学特性（所与のデザインレイアウトによって生じる放射強度分布及び／又は位相分布への変化を含む）を表すものであり、これは、パターニングデバイス上の又はパターニングデバイスによって形成されるフィーチャの配列を表現したものである。リソグラフィ投影装置で使用されるパターニングデバイスは変更可能であるため、パターニングデバイスの光学特性を、少なくとも照明および投影光学系を含むリソグラフィ投影装置の残りの部分の光学特性から分離することが望ましい。シミュレーションの目的は、多くの場合、例えばエッジ配置およびＣＤを正確に予測することであり、これは、その後、デバイスデザインと比較することができる。デバイスデザインは、一般に、プレＯＰＣパターニングデバイスレイアウトとして定義され、ＧＤＳＩＩまたはＯＡＳＩＳのような標準化されたデジタルファイル形式で提供される。
【０２３２】
空間像１２３０は、ソースモデル１２００、投影光学系モデル１２１０、およびパターニングデバイス／デザインレイアウトモデル１２２０からシミュレートすることができる。空間像（ＡＩ）は、基板レベルでの放射強度分布である。リソグラフィ投影装置の光学特性（例えば、照明、パターニングデバイスおよび投影光学系の特性）が空間像を決定づける。
【０２３３】
基板上のレジスト層は、空間像によって露光され、空間像は、レジスト層に潜在的な「レジスト像」（ＲＩ）として転写される。レジスト像（ＲＩ）は、レジスト層内のレジストの溶解度の空間分布として定義することができる。レジスト像１２５０は、レジストモデル１２４０を用いて空間像１２３０からシミュレートすることができる。レジストモデルは、空間像からレジスト像を計算するために使用することができ、その例は、米国特許出願公開第２００９−０１５７３６０号に記載されており、その開示は参照によりその全体が本書に援用される。レジストモデルは、典型的には、例えば、基板上に形成されるレジストフィーチャのコンターを予測するために、レジスト露光、露光後ベーク（ＰＥＢ）および現像の間に生じる化学プロセスの作用を記述しており、従って、典型的には、レジスト層のそうした特性（例えば、露光、露光後ベークおよび現像の間に生じる化学プロセスの作用）のみに関連している。ある実施の形態では、レジスト層の光学特性、例えば、屈折率、膜厚、伝搬および偏光効果は、投影光学系モデル１２１０の一部として捕捉されてもよい。
【０２３４】
そこで、一般に、光学モデルとレジストモデルとの間の接続は、基板への放射の投影、レジスト界面での屈折、およびレジスト膜スタックでの多重反射から生じる、レジスト層内でのシミュレートされた空間像強度である。放射強度分布（空間像強度）は、入射エネルギーの吸収によって潜在的な「レジスト像」に変わり、拡散プロセスや様々な負荷効果によってさらに修正される。フルチップへの適用のために十分に高速で効率的なシミュレーション方法は、レジストスタック内の現実的な３次元の強度分布を２次元の空間（およびレジスト）像で近似する。
【０２３５】
ある実施の形態では、レジスト像は、パターン転写後プロセスモデルモジュール１２６０への入力として使用することができる。パターン転写後プロセスモデル１２６０は、１つ又は複数のレジスト現像後プロセス（例えば、エッチング、現像など）の性能を定義する。
【０２３６】
パターニングプロセスのシミュレーションは、例えば、レジスト及び／又はエッチングされた像のコンター、ＣＤ、エッジ配置（例えば、エッジ配置誤差）等を予測することができる。したがって、シミュレーションの目的は、例えば、印刷されるパターンのエッジ配置、及び／又は空間像強度勾配、及び／又はＣＤなどを正確に予測することである。これらの値は、例えば、パターニングプロセスを補正したり、欠陥が発生すると予測される場所を特定したりするために、意図されたデザインと比較することができる。意図されたデザインは、一般に、ＧＤＳＩＩ又はＯＡＳＩＳ又は他のファイル形式などの標準化されたデジタルファイル形式で提供されうる、プレＯＰＣデザインレイアウトとして定義される。
【０２３７】
このように、モデル定式化は、すべてではないにしても、プロセス全体の既知の物理学と化学の大部分を記述しており、モデルパラメータの各々は、望ましくは明確な物理的又は化学的作用に対応している。このように、モデル定式化は、どの程度良好にモデルが製造プロセス全体をシミュレートするために使用されうるかについての上限を設定する。
【０２３８】
図１４には、メトロロジプロセスをモデル化及び／又はシミュレートするための例示的なフローチャートを示す。理解されるように、以下のモデルは、別のメトロロジプロセスを表してもよく、以下に記載されるすべてのモデルを備える必要はない（例えば、いくつかを組み合わせてもよい）。ソースモデル１３００は、メトロロジターゲットの照明の光学特性（放射強度分布、放射波長、偏光などを含む）を表す。ソースモデル１３００は、波長、偏光、照明シグマ（σ）設定（ここで、σ（またはシグマ）は、イルミネータにおける照明の径方向範囲である）、任意の具体的な照明形状（例えば、環状、四極、双極などの軸外放射形状）などを含むがこれらに限定されない照明の光学特性を表すことができる。
【０２３９】
メトロロジ光学系モデル１３１０は、メトロロジ光学系の光学特性（メトロロジ光学系によって生じる放射強度分布及び／又は位相分布への変化を含む）を表す。メトロロジ光学系１３１０は、メトロロジ光学系によるメトロロジターゲットの照明の光学特性と、メトロロジターゲットからメトロロジ装置の検出器に向けて方向転換された放射の伝達の光学特性とを表すことができる。メトロロジ光学系モデルは、収差、ディストーション、１つ又は複数の屈折率、１つ又は複数の物理的サイズ、１つ又は複数の物理的寸法などを含む、メトロロジターゲットの照明と、メトロロジターゲットから検出器に向けて方向転換された放射の伝達に関わる様々な特性を表すことができる。
【０２４０】
メトロロジターゲットモデル１３２０は、メトロロジターゲットによって方向転換された照明の光学特性（メトロロジターゲットによって生じる照明放射強度分布及び／又は位相分布への変化を含む）を表すことができる。よって、メトロロジターゲットモデル１３２０は、照明放射から、メトロロジターゲットによる方向転換された放射への変換をモデル化することができる。よって、メトロロジターゲットモデルは、メトロロジターゲットからの方向転換された放射から生じる照明分布をシミュレートすることができる。メトロロジターゲットモデルは、１つ又は複数の屈折率、メトロロジの１つ又は複数の物理的サイズ、メトロロジターゲットの物理的レイアウトなどを含む、ターゲットの照明及びメトロロジからの方向転換された放射の生成に関わる様々な特性を表すことができる。使用するメトロロジターゲットは変更することができるので、メトロロジターゲットの光学特性を、少なくとも照明及び投影光学系及び検出器を含むメトロロジ装置の残りの部分の光学特性から分離することが望ましい。シミュレーションの目的は、多くの場合、例えば、強度、位相などを正確に予測することであり、これは、その後、パターニングプロセスの対象のパラメータ、例えば、オーバレイ、ＣＤ、フォーカスなどを導出するために使用することができる。
【０２４１】
瞳又は空間像１３３０は、ソースモデル１３００、メトロロジ光学系モデル１３１０、およびメトロロジターゲットモデル１３２０からシミュレートすることができる。瞳又は空間像は、検出器レベルでの放射強度分布である。メトロロジ光学系およびメトロロジターゲットの光学特性（例えば、照明、メトロロジターゲットおよびメトロロジ光学系の特性）は、瞳又は空間像を決定づける。
【０２４２】
メトロロジ装置の検出器は、瞳又は空間像に曝され、瞳又は空間像の１つ又は複数の光学特性（例えば、強度、位相など）を検出する。検出モデルモジュール１３２０は、メトロロジ光学系からの放射が、メトロロジ装置の検出器によってどのように検出されるかを表す。検出モデルは、検出器が瞳又は空間像をどのように検出するかを表すことができ、信号対雑音、検出器への入射放射に対する感度などを含むことができる。したがって、一般に、メトロロジ光学系モデルと検出器モデルとの間の接続は、光学系によるメトロロジターゲットの照明、ターゲットによる放射の方向転換、および方向転換された放射の検出器への伝達から生じるシミュレートされた瞳又は空間像である。放射分布（瞳又は空間像）は、検出器への入射エネルギーの吸収によって検出信号に変換される。
【０２４３】
メトロロジプロセスのシミュレーションは、例えば、瞳又は空間像の検出器による検出に基づいて、検出器における空間強度信号、空間位相信号等、または検出系からの他の算出値、例えばオーバレイ、ＣＤ等の値を予測することができる。したがって、シミュレーションの目的は、例えば、メトロロジターゲットに対応する検出器信号またはオーバレイ、ＣＤなどの導出値を正確に予測することである。これらの値は、例えば、パターニングプロセスを補正したり、欠陥の発生が予測される場所を特定したりするために、意図された設計値と比較することができる。
【０２４４】
このように、モデル定式化は、すべてではないにしても、全体的なメトロロジプロセスの既知の物理学及び化学の大部分を記述しており、モデルパラメータの各々は、望ましくは、メトロロジプロセスにおける明確な物理的及び／又は化学的作用に対応している。
【０２４５】
特に図１２に関して上述したように、疎にサンプリングされたメトロロジデータおよびパターニングプロセスの１つ又は複数の装置からのデータに基づいて、基板ごとにパラメータマップ（本開示では高密度マップまたはハイブリッド密度マップとも呼ばれる）を生成することができる。１つ又は複数の装置からのデータは、すべての基板について利用可能であるので、少数の基板（例えば、基板ロットの２５枚のうち２枚）についてのみ測定が行われている間に、すべての基板についてのパラメータマップを生成することができる。メトロロジデータのみを使用するのに比べてパラメータマップ（すなわち、高密度マップ）を使用することの利点は、すべての基板について装置データが利用可能であることであり、これにより、メトロロジデータのみに基づいて取得されたパラメータの表現と比較して、各基板の各位置でのパラメータをより正確に表現することが可能となる。ある実施の形態では、パラメータマップは、導出されるパラメータを表現することができる。さらに、パラメータマップは、パターニングプロセスの１つ又は複数の装置にさらに適用することができる補正／制御／調整を決定するために使用することができる。
【０２４６】
しかしながら、そのような制御は、基板上の疎にサンプリングされたデータに基づきうるが、これは、パターニングプロセスの対象となっている基板ロット全体を代表するものではないかもしれない。このような疎にサンプリングされたデータに基づく制御は、基板ロット全体のうち各基板の利用可能なメトロロジ及び装置データから導出されうる補正可能な成分を見逃してしまう可能性がある。したがって、ある実施の形態では、図１２に関して既にある程度説明したように、改良された補正分析技術およびそれに続く制御戦略が、製品パターン内のクリティカルなフィーチャを含む正確な製品パターンを生成／印刷するのに有利でありうる。以下の方法では、パターニングプロセスの補正は、パターニングプロセスの代表の性質に基づく。本開示では、性質とは、パラメータマップ、またはパラメータマップに対応する補正のいずれかによって表されうる。したがって、代表の性質とは、代表パラメータマップ、または基板ロットについて取得される代表補正のいずれかである。代表マップまたは代表補正に基づいてパターニングプロセスを補正する方法については、以下に詳細に説明する。
【０２４７】
図１５は、ある実施の形態に係る方法についてのフローを模式的に示す。上述したように、パターニングプロセスのあるパラメータについての複数のパラメータマップ１６００は、メトロロジデータ１６０１とパターニングプロセスに使用される装置からのデータ１６０２を結合することによって取得及び／又は生成されうる。ある実施の形態では、パラメータマップ１６００は、基板ロットについて取得及び／又は生成されうる。そのようなパラメータマップ１６００は、パターニングプロセス中に様々な装置、プロセスシーケンス及び／又は基板自体の不均一性によって導入される変動に関連付けられる情報を備える。例えば、プロセス中の基板ロットからの基板は、そのロットからの他の基板と類似していないかもしれない不均一性／不規則性／不純物（例えば、バンプ、微塵など）を含みうる。そして、そのような不均一性基板に基づく制御は、次のロット及び／又は同じロットの他の基板のパターニングに影響しうる。別の例では、パターニングプロセス用の装置は、時間の経過とともに消失及び／又は固定されうる不規則性を含みうる。基板自体又は装置における不規則性に起因するこうした影響は、複数のパラメータマップ１６００を分析することによって特定することができ、適切な及び／又はより正確な補正を決定することができる。このように、複数のパラメータマップ１６００は、一基板について収集された疎にサンプリングされたデータと比較して、補正分析のためのより豊富なパターニングプロセスのデータを提供する。
【０２４８】
ある実施の形態では、データ１６０２は、スキャナ、エッチャーツール、またはＣＭＰなど、パターニングプロセスの１つ又は複数の装置についてのものでありうる。装置のデータ１６０２は、スキャナのレベリングおよびアライメント情報、投影システムの収差、照明システムのドーズなど、装置のパラメータ及び／又は設定情報を含むことができる。このように、データ１６０２は、例えば、使用、メンテナンス活動、装置の構成要素の変化等による装置の変化によって導入される変動を捕捉することができる。データ１６０２は、パターニングプロセス用の装置で処理されている基板に影響しうる局所的な装置固有の情報を提供することができる。例えば、基板ロットの２５枚の基板のうち、１２枚の基板が第１スキャナで処理され、１３枚の基板１３が第２スキャナで処理されうる。各スキャナが、特定の誤差を導入し、及び／又は異なって制御されうる。そうした情報は、パラメータマップ１６００およびデータ１６０２から明らかにすることができ、これは、例えば、次の基板ロットのための正確な補正を定義するためにさらに使用することができる。ここで、補正は、前の処理における誤差を補償して、基板上に正確で一貫性のある製品パターンを最終的に生成することができる。
【０２４９】
プロセス１６０４では、代表パラメータマップ１６０５が、パラメータマップ１６００から選択される。代表パラメータマップは、いくつかの異なる態様で記述されてもよい。例えば、代表パラメータマップは、基板レベルの変動に対する最小の感受性を示すパラメータマップでありうる。別の例では、それは、基板レベルの変動が減衰されうるパラメータマップを生成するために、複数のパラメータマップの中で変動（例えば、基板全体にわたるパラメータの変動）が比較的少ないパラメータマップに高い重みが与えられる、複数のパラメータマップの重み付き総和であってもよい。さらに別の例では、代表マップは、例えば、重み付きパラメータマップに基づいて生成されてもよく、最もよく整合する（例えば、重み付きパラメータマップと９５％以上整合する）パラメータマップが、代表パラメータマップとして代表するように、複数のパラメータマップの中から選択されてもよい。
【０２５０】
ある実施の形態では、代表マップの選択は、複数のパラメータマップ１６００の平均パラメータマップを決定することと、複数のパラメータマップ１６００の中から、平均パラメータマップに最も近いパラメータマップを代表マップ１６０５として選択することと、を含んでもよい。例えば、平均マップは、複数のパラメータマップの各々の合計（例えば、２５枚の基板を有する基板ロットについての２５枚のパラメータマップ）をパラメータマップの総数（または基板の総数、例えば２５）で割ったものとして決定されてもよい。ある実施の形態では、平均パラメータマップは、パターニングプロセスの各装置について計算されてもよい。例えば、２５枚の基板のうち１２枚が第１リソグラフィ装置で処理される場合、第１平均パラメータマップは、それらの１２枚の基板についてのパラメータマップに基づいてもよい。同様に、第２平均パラメータマップは、例えば第２リソグラフィ装置で処理された残りの１３枚の基板に基づいて決定されてもよい。そして、代表マップ１６０５の選択は、第２リソグラフィ装置に固有であってもよい。
【０２５１】
ある実施の形態では、代表パラメータマップ１６０５の選択は、例えば、パラメータマップ１６００の重み付き平均に基づいてもよい。ある実施の形態では、複数のパラメータマップの重み付けされた合計が決定されてもよく、ここで、高い重みが、複数のパラメータマップ内の変動が比較的少ないパラメータマップに与えられ、基板レベルの変動が減衰されうる重み付きパラメータマップが生成される。変動は、基板間（すなわち、基板にわたって）または基板内（すなわち、２つの異なる基板間）のものであってもよい。例えば、基板１〜１０の各々のパラメータマップは、０．０５の重みを割り当てられてもよく、基板１１〜２０の各々のパラメータマップは、０．０４の重みを割り当てられてもよく、基板２１〜２５の各々のパラメータマップは、０．０２の重みを割り当てられてもよい。別の例では、いくつかの基板（例えば、１〜２）は、重みが割り当てられていなくてもよい（すなわち、いくつかのパラメータマップは、外れ値とみなされてもよい）。次いで、代表パラメータマップは、複数のパラメータマップから、重み付き平均マップに最もよく整合する（例えば、９５％以上）ものが選択されてもよい。
【０２５２】
ある実施の形態では、重み付きパラメータマップが生成されてもよく、ここで、より高い重みが、１つ又は複数の基板のより最近のパラメータマップから取得されたパラメータマップに割り当てられてもよい。例えば、基板ロットは、２５枚の基板を含むことができ、ここで、１つ又は複数の基板は、１から２５まで順次及び／又は並列に処理されてもよい。したがって、より最近の基板（例えば、順次処理の場合には基板２０〜２５）には比較的高い重みが割り当てられ、基板１〜５のようなより早く処理された基板には低い重みが割り当てられうる。したがって、パラメータマップの重み付き平均を計算することができる。このようにして、次の基板ロットに直接適用可能となりうるより最近のプロセスにおける変化を捕捉する。ある実施の形態では、重み付きパラメータマップが、代表パラメータマップ１６０５でありうる。ある実施の形態では、重み付きパラメータマップは、重み付きパラメータマップと高い相関を有する代表パラメータマップ１６０５を選択するために、複数のパラメータマップ１６００と比較されてもよい。例えば、重み付きパラメータマップは、２５枚の基板のうち２２枚目の基板のパラメータマップと整合（例えば９５％整合）しうる。その場合、２２枚目の基板のパラメータマップが代表パラメータマップ１６０５として選択されてもよい。
【０２５３】
ある実施の形態では、重みは、スキャナ、エッチャーツールまたはＣＭＰなどの装置の潜在的補正能力に基づいて割り当てることができる。潜在的補正能力とは、基板全体にわたるパラメータ（フォーカス／ＣＤ／オーバレイ）に関連付けられた特定のフィンガープリントを補正する能力を指す。例えば、スキャナは、フィールド内フィンガープリント（例えば、ダイレベルでの露光フィールド内のＣＤ）を補正することができるいくつかの制御パラメータ（例えば、レベル、フォーカス、ドーズ、露光など）を含む。スキャナはまた、ウェハ全体にわたる（例えば、フィールド１２と比較してフィールド１の平均ＣＤを補正するといった、フィールド間でのより大きな空間スケールでの）フィンガープリントを補正することが可能であってもよい。
【０２５４】
ある実施の形態では、エッチャーはまた、例えばＣＤフィンガープリントを補正することができるが、典型的には、小さな空間スケールではない（例えば、フィールドが偶然に特定の位置に位置する場合を除いて、フィールド内は典型的には実現不能である）。しかしながら、エッチャーは、（エッチング後の）パラメータ（例えば、ＣＤ）の放射状フィンガープリントを補正することができるかもしれない。これは、スキャナを使用して達成することが比較的困難でありうる。例えば、スキャナの潜在的補正能力は、強い放射状ＣＤフィンガープリントを補償するのに十分ではないかもしれない約±７％のドーズ補正に制限されるかもしれない。そのような場合には、エッチャーに基づく補正が好ましいかもしれない。
【０２５５】
さらに、ある実施の形態では、重みは、各基板及び／又は装置のメトロロジ測定値の信頼度に基づいて割り当てることができる。例えば、信頼度は、基板上の座標ごとに又は基板ごとに、基板間のサンプリング密度の違いによるその基板又はその座標に寄与するメトロロジのデータ量の違いのために異なりうる。別の例では、第１スキャナでのメトロロジの信頼度は、第２スキャナよりも大きくてもよい。別の例では、スキャナでのメトロロジの信頼度は、エッチャーツール等よりも大きくてもよい。
【０２５６】
ある実施の形態では、複数の代表マップが選択されてもよい。例えば、第１スキャナで処理される１２枚の基板が類似のパラメータマップを有してもよく、第２スキャナで処理される１３枚の基板が異なるパラメータマップを有してもよい。この場合、第１スキャナで処理される基板には第１代表マップが使用され、第２スキャナで処理される基板には（第１の代表マップとは異なる）第２代表マップが使用されてもよい。
【０２５７】
プロセス１６０６において、代表パラメータマップ１６０５および装置からのデータ１６０２に基づいて、補正１６０７が決定されることができる。このように、補正１６０７は、次の基板ロットのために、プロセスを通して最も共通して発生する問題を潜在的に修正することができる。例えば、補正１６０７は、次の基板ロットのパターニングプロセスに使用される装置（例えば、スキャナ、エッチングツール、ＣＭＰ、成膜ツールなど）の新たな設定の構成を含むことができる。ある実施の形態では、補正は、（例えば同じ基板ロット内の）基板が訪れうる後続の装置に関するものでありうる。例えば、基板が第１スキャナの後に第１エッチングツールを訪れ、このエッチングツールが制限された補正の可能性を有する場合、補正を決定しているときにそうした制限を見込んで、スキャナでの補正を、エッチングツールの制限を補償するように定義することができる。
【０２５８】
上記の補正に基づいて、連続するロットまたは同一ロット内での基板のパターニングを改善することができる。ある実施の形態では、補正１６０７は、スキャナの設定の変更（例えば、基板などの物体のＸ、ＹまたはＺ運動の制御の変更、投影システムの収差の特定の（例えば、投影システムのアクチュエータまたは他の波面操作デバイスを使用した）補正、基板の露光のための照明ドーズの（例えば、放射ソースの制御及び／又は照明システムのドーズ変調デバイスを使用した）変更などを含むことができる。補正係数は、代表パラメータマップに基づいて決定される補正値／制御戦略を有する、図１２に関して先に議論されたものと同様でありうることが理解されよう。
【０２５９】
プロセス１６１０において、補正１６０７は、次の基板ロットのために、パターニングプロセス用の装置、及び／又は他の装置に適用されうる。このようにして、連続するロットの基板のパターニングの精度および一貫性を向上させることができる。
【０２６０】
ある実施の形態では、１つ又は複数の補正が複数のパラメータマップについて決定され、代表補正が選択されてもよく、これは、図１６の方法に関して議論される。
【０２６１】
図１６において、パターニングプロセスのあるパラメータのパラメータマップ１７００（パラメータマップ１６００に類似）は、上述のように、メトロロジデータおよびパターニングプロセス用の装置からのデータ１７０４（データ１６０２に類似）を使用して、取得及び／又は生成することができる。さらに、それらパラメータマップについて１つ又は複数の補正１７０２が、例えば図１２に関して上述した方法を使用して取得されうる。ある実施の形態では、１つ又は複数の補正１７０２のうち第１の補正は、類似の特性を有するパラメータマップの第１のグループに関連し、第２の補正は、類似の特性を有するパラメータマップの第２のグループに関連する等であってもよい。
【０２６２】
１つ又は複数の補正１７０２から、プロセス１７０６において、代表補正１７０７が選択されうる。代表補正１７０７の選択は、例えば、図１５で議論されたような方法で、１つ又は複数の補正１７０２の重み付き平均、及び／又は装置の潜在的補正能力に基づいて行うことができる。例えば、より高い重みを、最近の基板（例えば、基板２２〜２５）への最近の補正に割り当ててもよく、より低い重みを、以前のロット（例えば、２５枚の基板を有する）のより早い基板（例えば、基板１〜５）の補正に割り当ててもよい。別の例では、他の装置（例えば、エッチャー、ＣＭＰなど）と比較して、より高い潜在的補正能力を有する装置（例えば、スキャナ）での補正に、比較的高い重みを割り当ててもよい。
【０２６３】
プロセス１７０８では、補正１７０９が、代表補正１７０７と装置からのデータ１７０４に基づいて決定される。補正１７０７は、処理される次の基板ロットのための修正された装置の設定の構成を含むことができる。補正係数は、代表パラメータマップに基づいて決定される可能な補正値／制御戦略を有する、図１３および図１５に関して先に議論されたものと同様でありうることが理解されよう。
【０２６４】
プロセス１７１０において、補正１７０９は、次の基板ロットのためにパターニングプロセス用の装置、及び／又は他の装置に適用することができる。このようにして、連続する基板ロットのパターニングを改善することができる。
【０２６５】
上記の技術は、図１７Ａの方法で議論されるように、基板レベルでの補正を適用するためにさらに拡張することができる。図１７Ａに示す実施形態では、方法は、現在の基板（すなわち、処理中の基板）の測定値と、以前に処理された基板ロットについてのパラメータマップを含む収集されたデータとを使用して、基板レベルでの補正を決定することができる。
【０２６６】
以前に処理された基板についてのパターニングプロセスのあるパラメータの複数のパラメータマップ１８００（１６００および１７００に類似）は、メトロロジデータおよびパターニングプロセス用の装置からのデータ１８０２（１６０２および１７０４に類似）から取得及び／又は生成されうる。ある実施の形態では、複数のパラメータマップ１８００は、非限定的な例を挙げて図１７Ｂに示すように、パラメータの特定のフィンガープリントに基づいて分類されうる（またはラベル付けされうる）。例えば、第１のカテゴリーは、基板の端部に沿ったフィンガープリント１８１１を含み、第２のカテゴリーは、３つのフィンガープリント１８２１、１８２３、および１８２５を含み、第３のカテゴリーは、蝶のような領域１８３１を含み、第４のカテゴリーは、直径に沿って広がったフィンガープリント１８４１を含み、第５のカテゴリーは、十字状に広がったフィンガープリント１８５１を含む。フィンガープリントは、例えば、パターニングプロセスによる累積誤差、オーバレイなどのパラメータ、または他の対象パラメータであってもよい。複数のパラメータマップの各カテゴリーは、基板の数が同じであっても異なっていてもよい。例えば、上記の例では、第１のカテゴリーは８個のパラメータマップを含み、第２のカテゴリーは３個のパラメータマップを含み、第３のカテゴリーは１０個のパラメータマップを含み、第４および第５のカテゴリーはそれぞれ２個のパラメータマップを含んでもよい。ある実施の形態では、分類は、クラスタリングアルゴリズム（例えば、ｋ平均法）を使用して実行されてもよく、１つ又は複数の場所で類似の第１平均パラメータ値を有する複数のパラメータマップのうち１つ又は複数が、１つのカテゴリーにラベル付けされ／分類されてもよい。同様に、第２の平均パラメータ値を有する複数のパラメータマップのうちの１つ又は複数のパラメータマップが第２のカテゴリーに分類／ラベル付けされてもよい。ある実施の形態では、異なるフィンガープリントを分析して識別し、ｋ平均法のようなクラスタリングアルゴリズムを用いて様々なマップ内のフィンガープリントの存在をさらに特徴付けるために、複数のパラメータマップに主成分分析が採用されてもよい。
【０２６７】
さらに、現在の基板ロットにおける現在の基板の測定値１８０２は、メトロロジツールから取得することができる。現在の基板の測定値１８０２は、例えば、装置例えばスキャナで測定された基板表面プロファイル（レベルセンサからのデータ）、アライメントデータ等を含むことができる。現在の基板の測定値１８０２は、基板固有の補正の特定を可能にする基板状態に関する情報を提供する。例えば、現在の基板は、エッジに沿って、又は中心部に不規則性を含んでいてもよい。こうした状態の各々は、パラメータマップの異なるカテゴリーおよび対応する補正係数に関連していてもよい。このように、現在の基板の状態に基づいて、適切な補正を定義することができる。
【０２６８】
ある実施の形態では、プロセス１８０６において、現在の基板の測定値１８０２は、例えば、測定値１８０２をパラメータマップ１８００（例えば、図１７Ｂに示すように）と比較し、整合パラメータマップ１８０７を特定することによって、現在の基板のカテゴリーを特定するために使用することができる。
【０２６９】
ある実施の形態では、現在の基板の測定値１８０２は、複数のパラメータマップ１８００に対応するあるパラメータの現在の基板マップ１８０５に変換されうる。測定値１８０２から生成された現在基板マップ１８０５は、現在基板マップがパターニングプロセスの一部のみのデータから取得／生成されるので、パラメータマップ１８００と比較して精度が低くてもよい。例えば、レベルセンサデータのみが入手可能であり、フォーカスに関する情報が欠落している場合、レベルセンサデータのみに基づく基板マップは、レベルセンサおよびフォーカスデータの両方に基づく基板マップよりも精度が低いかもしれない。現在基板マップ１８０５は、整合パラメータマップ１８０７を特定するために、パラメータマップ１８００とさらに比較することができる。
【０２７０】
例えば、処理されている現在の基板ロットの第１の現在基板が、以前に処理されたロットの第２のカテゴリーに類似していてもよい。別の例では、現在のロットの第２の基板が、以前に処理された基板の第４のカテゴリーに類似していてもよい。このように、整合パラメータマップ１８０７は、異なる基板に対して異なってもよく、その結果、補正が行われてもよい。
【０２７１】
それに代えて又はそれに加えて、現在の基板のデータの測定値１８０２および装置からのデータ１８０４に基づいて、シミュレーション及び／又はモデリングを実行し、モデル化されたパラメータマップ１８０３を取得及び／又は生成することができる。このようなモデル化されたパラメータマップ１８０３は、現在の基板に固有のデータを考慮するだけでなく、現在の基板上のパターニングプロセスにおいて装置で発生しうる任意の潜在的な誤差を予測することを可能にする、現在の基板を処理する装置からのデータも考慮することができる。モデル化されたパラメータマップ１８０３は、現在の基板のパターニングプロセスの終了時に観察されうる予測パラメータマップであってもよい。
【０２７２】
さらに、プロセス１８０６において、モデル化されたパラメータマップ１８０３をパラメータマップ１８００と比較して、パラメータマップ１８００から整合パラメータマップ１８０７を特定することができる。比較は、モデル化されたパラメータマップ１８０３ときわめて整合する（例えば、９５％以上整合する）パラメータマップをパラメータマップ１８００から特定することを含むことができる。そのような整合パラメータマップ１８０７は、現在の基板に固有のものでありうる。さらに、整合パラメータマップ１８０７は、以前に処理された基板のパラメータマップ１８００のうちの１つ又は複数と整合していてもよいし、整合していなくてもよい。例えば、第１の現在の基板の第１のモデル化されたパラメータマップは、パラメータマップの第１のカテゴリー、より具体的には以前に処理された基板ロットの１１番目の基板のものに類似していてもよい。別の例では、第２の現在の基板の第２のモデル化されたパラメータマップは、パラメータマップの第２のカテゴリー、より具体的には以前に処理された基板ロットの２２番目の基板のものに類似していてもよい。
【０２７３】
プロセス１８０８では、整合パラメータマップ１８０７に基づいて、補正１８０９が決定されうる。明らかに、パラメータマップの各カテゴリーは、異なる補正を有することができる。さらに、現在の基板の測定値１８０２は、現在の基板上に現れうる局所的な補正を可能にすることができる。局所的な補正は、特定されたカテゴリーに見られるもの以外に観察される追加の誤差を補償するように構成することができる。例えば、測定値１８０２及び／又は現在基板マップ１８０５は、例えば、パラメータマップの第１のカテゴリーのオーバレイに加えて、局所的な誤差（例えば、基板の中央部に有意なオーバレイ）を表示することができる。そして、そのような局所誤差もまた、補正１８０９に織り込むことができる。
【０２７４】
ある実施の形態では、補正１８０９は、現在の基板が処理される装置及び／又は後続の装置の修正された設定の構成を含むことができる。補正係数は、補正が異なる代表マップに基づいて決定される可能な補正値／制御戦略を有する、図１３、１６および１７に関して先に議論されたものと同様でありうることが理解されうる。
【０２７５】
さらに、プロセス１８１０において、補正１８０９は、パターニングプロセス用の装置、及び／又は他の装置に適用することができる。このようにして、処理される基板ロット内で現在の基板のパターニングを改善することができる。
【０２７６】
それに代えて又はそれに加えて、ある実施の形態では、複数のパラメータマップについて１つ又は複数の補正を決定することができ、及び／又は１つ又は複数の補正を分類することができる。現在の基板の測定値１８０２に基づいて、現在基板マップに変換することができ、現在基板マップについての現在の基板の補正を決定することができる。現在の補正はさらに、補正のカテゴリーを特定し、さらに現在の基板の補正を決定及び／又は修正し、補正１８０９を生成するために、１つ又は複数の補正と比較されることができる。
【０２７７】
上述の方法では、方法は、以下のカテゴリー化および対応する補正を決定することをさらに含むことができる。ある実施の形態では、上述の方法は、基板のカテゴリーを取得及び／又はすることと、補正を決定することとを含んでもよく、補正は、各カテゴリーについて類似し又は異なってもよい。ある実施の形態では、基板の１つ又は複数のカテゴリーが、複数のパラメータマップに基づいて取得及び／又は生成されてもよい。ある実施の形態では、カテゴリーは、パターニングプロセス中に基板が処理される１つ又は複数の装置に基づいて定義されてもよい。例えば、第１のスキャナで処理された基板は第１のカテゴリーに属してもよく、第２のスキャナで処理された基板は第２のカテゴリーに属してもよい。別の例では、第１のスキャナおよび第１のＣＭＰで処理された基板が１つのカテゴリーに属し、第２のスキャナおよび第１のエッチャーで処理された基板が別のカテゴリーに属する等であってもよい。
【０２７８】
このようなカテゴリーごとに、代表パラメータマップまたは代表補正に基づいて、カテゴリーに固有の補正を定義することができる。さらに、基板レベルの補正については、現在の基板には、特定されたカテゴリーから測定値に基づいて、カテゴリーを割り当てることができる。特定されたカテゴリーについては、対応する補正を代表補正として選択することができる。
【０２７９】
使用される実際の（すなわち、測定された）メトロロジデータの量は、計算により導出されたメトロロジデータとは対照的に、比較的疎であるため、測定データは、ノイズ性能の影響を受けやすい。さらに、非系統的要因が監視および制御戦略に不釣り合いな影響を与える可能性がある。したがって、ある実施の形態では、非系統的な寄与因子がフィルタリングにより除去され、及び／又は別個に考慮されるようにして、メトロロジデータ（複数の性質）の中の１つ又は複数の系統的な寄与因子（それぞれが代表の性質である）についてフィルタリングするために、本書に提案される方法を採用することが提案される。これは、寄与因子ごとに行うことが望ましい。例えば、オーバレイの挙動に対する個々の寄与因子は、ステージ誤差、レンズ収差、アライメント（誤差）、及びレベルセンサ高さマップを備えうる。関連する寄与因子は、対象のパラメータ、使用される装置、およびそれらの補正能力などに依存して変化するが、対象のパラメータの誤差及び／又は制御への任意の寄与因子を含むことができる。このように、複数の性質は、複数のパラメータマップを備え、各パラメータマップは、個々の寄与因子に関連している。本書に記載される他の実施形態と同様に、性質は、補正、すなわち、各寄与因子に関連付けられたものであってもよく、代表の性質は、代表補正であってもよい。
【０２８０】
これを行うために、各個々の寄与因子（例えば、レベルセンサ寄与因子、アライメント寄与因子など）を、特定の空間フィンガープリント（例えば、オーバレイフィンガープリント）が、例えば、層及び／又はチャック及び／又はロット及び／又は基板にわたってどのように発達するかを記述する一貫性特性に関連付けることが提案されており、それにより、寄与因子が系統的であるか又は非系統的であるかを分類し、及び／又は一貫性特性に基づいて重み付けを割り当てることができる。
【０２８１】
制御メトリックは、性能パラメータ（例えば、オーバレイ／ＣＤ／ＥＰＥ／フォーカス／ドーズ）への複数の寄与因子のマッピングに基づいて決定されてもよく、各寄与因子は、その一貫性特性に従って処理され又はフィルタリングされ、及び／又は重み付けされる。計算メトロロジデータにおける寄与因子ごとのロット、チャックおよび基板の系統的及び／又は非系統的なフィンガープリント情報は、後続のロット、チャックおよび基板のための入力として、及び／又は後続の層のための入力として使用することができる。
【０２８２】
図１８は、このようなフィルタリング方法を説明するフロー図である。個別の寄与因子のパラメータマップ１９００には、決定された一貫性特性に基づいて、系統的（または非系統的）な寄与因子について、例えばロット、チャックおよび基板ごとにフィルタリングするフィルタリングステップ１９１０が行われる。一貫性特性は、例えば、先行の層、基板及び／又はロットからの（例えば、系統的な）先行寄与因子情報／パラメータマップ１９２０との比較に基づいてもよい。一貫性特性に基づいて、フィルタリングステップは、寄与因子が系統的であるか非系統的であるかを二値分類において（例えば、一貫性特性の閾値に従って）決定してもよく、または寄与因子がどの程度系統的であるかを（例えば、寄与因子についての重み付けを決定するために）決定してもよい。このステップの出力は、複数のフィルタリングされた個別寄与因子パラメータマップ１９４０、例えば、系統的（及び／又は非系統的）な個別寄与因子パラメータマップ１９４０であり、任意選択として、各マップについて関連付けられた重み付けを有する。これらの系統的（及び／又は非系統的）な個別寄与因子パラメータマップ１９４０は、フィードバック制御ループ１９５０で（先行の系統的（または非系統的）な寄与因子情報１９７０と共に）後続のロットにフィードバックすることができる。例えば、ある実施の形態では、系統的寄与因子情報のみが制御ループにおいて使用され、各々が代表の性質を備えるか、または代表の性質（例えば、系統的寄与因子パラメータマップ）に結合される。それに加えて又はそれに加えて、フィルタリングされた寄与因子は、ある重み付けに従って、例えば、より大きな重み付けがより系統的な寄与因子に与えられるように、結合されてもよい。このように、出力される代表の性質は、一貫性特性に従って設定された重み付けを持つ、系統的寄与因子の重み付き結合であってもよい。さらに、フィルタリングされた個別寄与因子情報（代表の性質）は、後続の層のための制御ループ１９６０にフィードフォワードされてもよい。
【０２８３】
既に説明したように、フィルタリングステップ１９１０は、制御が系統的寄与因子のみに基づくように、非系統的寄与因子をフィルタリングにより除去してもよい。しかし、系統的寄与因子をフィルタリングにより除去して非系統的寄与因子を制御または監視動作に使用することも可能であり、または系統的寄与因子と非系統的寄与因子の両方を分離して制御または監視動作に使用してもよい。寄与因子がどの程度系統的であるかを（例えば、一貫性特性に基づいて）決定し、適切な重み付けを割り当てることも可能である。それに加えて又はそれに代えて、この重み付けは、他の実施形態で既に説明したように、関連装置の潜在的補正能力及び／又はメトロロジ信頼度などの他の要因に基づいてもよい。
【０２８４】
したがって、すべての寄与因子について、ロット、チャック及び／又は基板の系統的（および任意に非系統的）なパラメータマップ（例えば、フィンガープリント）を（例えば、計算メトロロジ方法において）捕捉することが提案される。
【０２８５】
多数の実施形態では、系統的（および非系統的）フィンガープリント寄与因子が、
−  グループ／ロット／チャック／基板ごとに時間ベースで、
−  グループ／ロット／チャック／基板ごとに局所的及び／又はグローバルに、
−  グループ／ロット／チャック／基板ごとにロット内で、
−  ロット間情報に基づいて、
−  グループ化に基づいて、及び／又は、
−  （重み付きの）平均化に基づくとともにスキャナ／エッチャーの潜在的補正能力を考慮に入れた重み、例えば、基板または測定ごとのメトロロジ信頼度に基づいて割り当てられた重みに従って、
決定されることができる。
【０２８６】
図１９は、フィードフォワード制御方法（層間）におけるフィルタリングステップ１９１０を実行するための例示的な方法を示す。ターゲット層の寄与因子パラメータマップ１９７５は、前の層の対応する寄与因子パラメータマップ１９８０と比較され（１９８５）、それらの類似度に応じて各寄与因子について一貫性特性（例えば、寄与因子パラメータマップ１９７５と寄与因子パラメータマップ１９８０の相関に基づく相関メトリック）が決定される。より高い類似度を有する寄与因子パラメータマップは、前の層のメトロロジに基づいて、後続の基板上のターゲット層を制御するためのフィードフォワード方法１９９０で（場合によっては、重み付き結合として）使用することができる。
【０２８７】
図２０は、そのような方法のより詳細なフロー図を備える。図２０（ａ）はセットアップフェーズを示し、図２０（ｂ）は主要計算メトロロジフェーズを示す。セットアップフェーズでは、寄与因子パラメータマップ２０１０ａ、２０１０ｂ、２０１０ｃおよび測定されたパラメータ値２０２０は、重み付けアルゴリズム２０３０に供給される。重み付けアルゴリズム２０３０は、次に、各寄与因子パラメータマップについて適切な重み付け２０４０を計算する。特定のオーバレイの例を提供するために、寄与因子パラメータマップ２０１０ａ、２０１０ｂ、２０１０ｃは、レベリング寄与度２０１０ａ、ダイナミクス寄与度２０１０ｂ、およびアライメント寄与度２０１０ｃを備えてもよい。重み付けアルゴリズム２０３０は、これらの各々についての重み２０４０、それぞれｗｌｖｌ、ｗｄｙｎ、ｗａｌを出力する。重み２０４０は、線形な重みを備えてもよく、各方向について寄与因子ごとに定義されてもよい。ある実施の形態では、重みは、多変量正規回帰を用いて計算される。
【０２８８】
図２０（ｂ）は計算メトロロジのフローを示す。適切な寄与因子パラメータマップ２０１０ａ’，２０１０ｂ’，２０１０ｃ’が測定され、ステップ２０３０で計算された重みに基づいて寄与因子パラメータマップ２０１０ａ’，２０１０ｂ’，２０１０ｃ’の重み付き結合が計算される（２０５０）。例えば、前の段落で説明した特定のオーバレイの例を使用すると、結合は、ｗｌｖｌｌｖｌ＋ｗｄｙｎｄｙｎ＋ｗａｌａｌであってもよく、ここで、ｌｖｌ、ｄｙｎ、およびａｌは、それぞれ寄与因子パラメータマップ２０１０ａ’、２０１０ｂ’、２０１０ｃ’である。重み付き結合に基づいて、制御動作２０６０、例えば、基板ごとまたはロットごとの制御ループにおいてフィードバックまたはフィードフォワードされた補正、または前の層のメトロロジに基づいて後続の層のためにフィードフォワードされた補正が実行される。
【０２８９】
説明したように、図２２は、結合された寄与因子フィンガープリント２２０５を取得するための方法を記載しているる。図２２に記載された方法は、前述の寄与因子パラメータマップ（１９７５、１９８５、２０１０ａなど）のいずれかを更新するためにも利用されうる。
【０２９０】
ある実施の形態では、パターニングプロセスの補正を決定するための方法が開示され、本方法は、パターニングプロセスの複数の性質を取得することを備え、複数の性質が複数のパラメータマップであり、複数のパラメータマップの各パラメータマップがメトロロジデータおよびパターニングプロセス用の装置のデータから生成され、各パラメータマップがパターニングプロセスの寄与因子に関連しており、さらに、ハードウェアコンピュータシステムによって、複数の性質から代表の性質を選択することを備え、代表の性質が複数のパラメータマップから選択される代表パラメータマップであり、さらに、ハードウェアコンピュータシステムによって、代表の性質に基づいてパターニングプロセスの補正を決定することと、を備える。
【０２９１】
他の実施形態では、前段落で開示される方法は、少なくとも１つのパラメータマップを、少なくとも１つの寄与因子のモデル化された表現を取得するためにモデル化することと、少なくとも１つのモデル化されたパラメータマップと少なくとも１つのパラメータマップとを、少なくとも１つの寄与因子の少なくとも１つの更新された表現を取得するために結合することと、をさらに備える。
【０２９２】
他の実施形態では、前段落で開示される方法は、少なくとも１つの寄与因子の更新された表現を、エッチングツール、ＣＭＰツール、成膜ツール及び／又はリソグラフィ装置などのプロセス装置を制御するための入力として使用することをさらに備える。
【０２９３】
他の実施形態では、前段落で開示される方法は、前述のプロセス装置の制御を提供するための適切な制御レシピを生成することをさらに備える。
【０２９４】
他の実施形態では、前段落で開示される方法は、リソグラフィ装置を使用して基板に提供される露光フィールドの個別制御のための情報を含む毎露光制御（ＣＰＥ）命令及び／又はサブレシピを生成することを備える。
【０２９５】
他の実施形態では、前述の実施形態のいずれかで使用されるモデル化は、基板全体にわたるプロセス変数の低次の挙動を記述するように構成されるグローバルモデルを使用する。
【０２９６】
図２１は、本書に開示される方法およびフローの実装を支援しうるコンピュータシステム１００を示すブロック図である。コンピュータシステム１００は、情報を通信するためのバス１０２又は他の通信機構と、情報を処理するための、バス１０２と結合されたプロセッサ１０４（又は複数のプロセッサ１０４及び１０５）と、を含む。また、コンピュータシステム１００は、情報及びプロセッサ１０４によって実行される命令を記憶するため、バス１０２に結合された、ランダムアクセスメモリ（ＲＡＭ）又は他の動的ストレージデバイス等のメインメモリ１０６も含む。また、メインメモリ１０６は、プロセッサ１０４によって実行される命令の実行中に一時変数又は他の中間情報を記憶するためにも使用されうる。コンピュータシステム１００は更に、プロセッサ１０４用の静的情報及び命令を記憶するための、バス１０２に結合されたリードオンリーメモリ（ＲＯＭ）１０８又は他の静的ストレージデバイスも含む。磁気ディスク又は光ディスク等のストレージデバイス１１０が、情報及び命令を記憶するために設けられ、バス１０２に結合されている。
【０２９７】
コンピュータシステム１００は、バス１０２を介して、コンピュータユーザに情報を表示するためのブラウン管（ＣＲＴ）又はフラットパネル又はタッチパネルディスプレイ等のディスプレイ１１２に結合することができる。英数字キー及び他のキーを含む入力デバイス１１４が、プロセッサ１０４に情報及びコマンド選択を伝達するためバス１０２に結合されている。別のタイプのユーザ入力デバイスは、マウス、トラックボール、又はカーソル方向キー等、プロセッサ１０４に方向情報及びコマンド選択を伝達し、ディスプレイ１１２上でのカーソル移動を制御するためのカーソル制御１１６である。この入力デバイスは典型的に、２軸、すなわち第１の軸（例えばｘ）及び第２の軸（例えばｙ）の２自由度を有し、デバイスが面内で位置を指定することを可能とする。また、タッチパネル（スクリーン）ディスプレイも入力デバイスとして使用されうる。
【０２９８】
一実施形態によると、プロセスの一部は、メインメモリ１０６に含まれる１つ又は複数の命令の１つ又は複数のシーケンスを実行するプロセッサ１０４に応答して、コンピュータシステム１００によって実行されうる。そうした命令は、ストレージデバイス１１０のような別のコンピュータ可読媒体からメインメモリ１０６に読み出されうる。メインメモリ１０６に含まれる命令のシーケンスの実行によって、プロセッサ１０４は、本書に記載されるプロセスステップを実行する。また、メインメモリ１０６に含まれる命令のシーケンスを実行するため、マルチプロセッシング構成の１つ又は複数のプロセッサも使用されうる。代替的な実施形態では、ソフトウェア命令の代わりに又はソフトウェア命令と組み合わせてハードワイヤード回路を使用してもよい。従って、本書の説明は、ハードウェア回路及びソフトウェアのいかなる特定の組み合わせにも限定されない。
【０２９９】
本書で用いられる「コンピュータ可読媒体」という用語は、プロセッサ１０４に実行用の命令を提供することに関与する任意の媒体を指す。そうした媒体は、限定ではないが、不揮発性媒体、揮発性媒体、及び伝送媒体を含む多くの形態をとりうる。不揮発性媒体は、例えばストレージデバイス１１０のような光ディスク又は磁気ディスクを含む。揮発性媒体は、メインメモリ１０６のような動的メモリを含む。伝送媒体は、バス１０２を構成するワイヤを含む同軸ケーブル、銅線、及び光ファイバを含む。伝送媒体は、無線周波数（ＲＦ）及び赤外線（ＩＲ）データ通信中に発生されるものなど、音波又は光波の形態もとりうる。コンピュータ可読媒体の一般的な形態は、例えばフロッピー（登録商標）ディスク、フレキシブルディスク、ハードディスク、磁気テープ、他の任意の磁気媒体、ＣＤ−ＲＯＭ、ＤＶＤ、他の任意の光媒体、パンチカード、紙テープ、孔のパターンを有する任意の他の物理的な媒体、ＲＡＭ、ＰＲＯＭ、ＥＰＲＯＭ、フラッシュＥＰＲＯＭ、他の任意のメモリチップもしくはカートリッジ、後述するような搬送波、又はコンピュータが読み取ることができる他の任意の媒体を含む。
【０３００】
コンピュータ可読媒体の様々な形態は、実行のためにプロセッサ１０４に１つ又は複数の命令の１つ又は複数のシーケンスを運ぶことに関与しうる。たとえば、命令は、最初にリモートコンピュータの磁気ディスクに入っている場合がある。リモートコンピュータは、命令を動的メモリに読み込み、モデムを使用して電話回線を介して命令を送信できる。コンピュータシステム１００にローカルのモデムは、電話回線上のデータを受信し、赤外線送信機を使用してデータを赤外線信号に変換することができる。バス１０２に結合された赤外線検出器は、赤外線信号で搬送されたデータを受信し、そのデータをバス１０２に配置することができる。バス１０２はメインメモリ１０６にデータを搬送し、そこからプロセッサ１０４が命令を取得して実行する。メインメモリ１０６が受け取った命令は、プロセッサ１０４によって実行される前または後のいずれかにストレージデバイス１１０に記憶されてもよい。
【０３０１】
コンピュータシステム１００は、バス１０２に結合された通信インターフェース１１８を望ましくは含む。通信インターフェース１１８は、ローカルネットワーク１２２に接続されたネットワークリンク１２０に双方向データ通信結合を提供する。例えば、通信インターフェース１１８は、対応する種類の電話回線にデータ通信接続を提供する統合サービスデジタルネットワーク（ＩＳＤＮ）カードまたはモデムであってもよい。別の例として、通信インターフェース１１８は、対応するＬＡＮにデータ通信接続を提供するローカルエリアネットワーク（ＬＡＮ）カードであってもよい。ワイヤレスリンクも実装できる。そうした実装において、通信インターフェース１１８は、様々な種類の情報を表すデジタルデータストリームを伝送する電気的、電磁的または光学的信号を送受信する。
【０３０２】
ネットワークリンク１２０は通常、１つ又は複数のネットワークを介して他のデータデバイスへのデータ通信を提供する。例えば、ネットワークリンク１２０は、ホストコンピュータ１２４またはインターネットサービスプロバイダ（ＩＳＰ）１２６によって動作するデータ機器へのローカルネットワーク１２２を介した接続を提供することができる。ＩＳＰ１２６は、世界規模のパケットデータ通信ネットワークを通じてデータ通信サービスを提供し、現在では一般に「インターネット」１２８と呼ばれている。ローカルネットワーク１２２およびインターネット１２８は、どちらもデジタルデータストリームを伝送する電気的、電磁的または光学的信号を使用する。コンピュータシステム１００との間でデジタルデータを伝送する各種ネットワークを介した信号および通信インターフェース１１８を介したネットワークリンク１２０上の信号が、情報を輸送する搬送波の例示的な形態である。
【０３０３】
コンピュータシステム１００は、ネットワーク、ネットワークリンク１２０、および通信インターフェース１１８を介して、メッセージを送信しプログラムコードを含むデータを受信することができる。インターネットの例では、サーバー１３０は、インターネット１２８、ＩＳＰ１２６、ローカルネットワーク１２２および通信インターフェース１１８を介してアプリケーションプログラムに要求されるコードを送信しうる。このようなダウンロードされたアプリケーションの１つは、例えば、実施形態の照明最適化を提供しうる。受信したコードは、受信時にプロセッサ１０４によって実行され、及び／又は、後で実行するためにストレージデバイス１１０または他の不揮発性記憶装置に記憶される。このようにして、コンピュータシステム１００は、搬送波の形でアプリケーションコードを取得してもよい。
【０３０４】
本開示の実施形態は、ハードウェア、ファームウェア、ソフトウェア、またはそれらの任意の組み合わせで実装されてもよい。また、本開示の実施形態は、一つ以上のプロセッサにより読み込まれ、実行されうる機械可読媒体に保存されたインストラクションとして実装されてもよい。機械可読媒体は、機械（例えば、コンピュータデバイス）により読み取り可能な形式の情報を保存または伝送する任意のメカニズムを含んでもよい。例えば、機械可読媒体は、読み出し専用メモリ（ＲＯＭ）、ランダムアクセスメモリ（ＲＡＭ）、磁気ディスク記憶媒体、光記憶媒体、フラッシュメモリ装置、電気的、光学的、音響的またはその他の形式の伝搬信号（例えば、搬送波、赤外線信号、デジタル信号）などである。さらに、ファームウェア、ソフトウェア、ルーチン、命令は、特定の動作を実行するものとして本書に説明されうる。しかしながら、このような説明は単に便宜上のためだけであり、このような動作は実際には、ファームウェア、ソフトウェア、ルーチン、命令などを実行するコンピュータデバイス、プロセッサ、コントローラ、その他のデバイスによって生じるものであると理解すべきである。
【０３０５】
ブロック図において、図示されるコンポーネントは離散的な機能ブロックとして示されているが、実施形態は、本書に記載される機能が図示のように整理されているシステムには限定されない。各コンポーネントによって提供される機能は、ここに図示したものとは異なる形で構築されたソフトウェア又はハードウェアモジュールによって提供されてもよく、例えば、そうしたソフトウェア又はハードウェアは、混合され、結合され、複製され、分割され、分散され（例えばデータセンタ内で又は地理的に）、又は他の異なる形で構築されてもよい。本書に記載される機能は、有形で非一時的な機械可読媒体に記憶されたコードを実行する１つ又は複数のコンピュータの１つ又は複数のプロセッサによって提供されてもよい。場合によっては、サードパーティーのコンテンツ送出ネットワークが、ネットワーク上で伝送される情報の一部又は全てをホストすることができる。その場合、情報（例えばコンテンツ）が供給され又は他の方法で提供されると言われている範囲で、情報は、情報をコンテンツ送出ネットワークから検索する命令を送信することによって提供されてもよい。
【０３０６】
特に明記しない限り、ここでの検討から明らかであるように、本明細書全体を通して、「処理する」、「計算する」、「決定する」等の用語を用いた議論は、専用コンピュータ又は同様の専用電子処理／コンピューティングデバイスのような特定の装置の動作又はプロセスを指すことは認められよう。
【０３０７】
読者は、本出願がいくつかの発明を記載していることを理解すべきである。出願人らは、それらの発明を複数の個別の特許出願に分離するのではなく、それらの主題の関連性が出願プロセスにおいて節約に役立つので、単一の文書にまとめている。しかし、そうした発明の別々の利点及び態様は一つにまとめるべきではない。場合によっては、実施形態は本書に記した欠点の全てに対処するが、発明がそれぞれ独立して有用であること、及び、いくつかの実施形態がそうした問題の一部のみに対処すること、又は本開示を検討する当業者には明らかである他の言及されていない利点を提供することは理解されよう。コストの制約のため、本書に開示されるいくつかの発明はここでは特許請求されず、継続出願のような後の出願において又は本発明の請求項を補正することによって特許請求される可能性がある。同様に、スペースの制約のため、本文書の「要約」セクションも「概要」セクションも、全てのそうした発明又はそうした発明の全ての態様の包括的な列挙を含むものとして解釈すべきではない。
【０３０８】
本説明及び図面は、開示される特定の形態に本発明を限定することは意図しておらず、逆に、添付の特許請求の範囲によって規定される本発明の精神及び範囲内に該当する全ての変更、均等物、及び代替を包含することが意図されることは理解されよう。
【０３０９】
更なる実施形態は、以下に番号付けられた節のリストに開示される。
１．パターニングプロセスへの補正を決定する方法であって、
前記パターニングプロセスの複数の性質を取得することと、
ハードウェアコンピュータシステムによって、代表の性質を前記複数の性質から選択することと、
前記ハードウェアコンピュータシステムによって、前記パターニングプロセスへの補正を前記代表の性質に基づいて決定することと、を備える方法。
２．前記複数の性質は、複数のパラメータマップであり、前記複数のパラメータマップの各パラメータマップが、メトロロジデータおよび前記パターニングプロセス用の装置のデータから生成され、
前記代表の性質は、前記複数のパラメータマップから選択される代表パラメータマップである、節１に記載の方法。
３．前記複数の性質は、前記パターニングプロセス中に処理された基板ロットについての前記パターニングプロセスの複数のパラメータマップに対応する１つ又は複数の補正であり、前記複数のパラメータマップの各パラメータマップが、メトロロジデータおよび前記パターニングプロセス用の装置のデータから生成され、
前記代表の性質は、前記パターニングプロセスへの１つ又は複数の補正から選択される代表補正である、節１に記載の方法。
４．前記代表の性質を選択することは、前記複数の性質の重み付き平均に基づく、節１から３のいずれかに記載の方法。
５．前記代表の性質を選択することは、前記パターニングプロセス用の前記装置の潜在的補正能力に基づく、節１から４のいずれかに記載の方法。
６．前記補正は、同じ基板の後続の層についての前記装置への補正、後続の基板ロットの基板についての前記装置への補正、後続の装置で処理される前記基板ロット内の基板についての前記後続の装置への補正、及び／又は前記パターニングプロセス用の少なくとも１つの他の装置への補正を備える、節１から５のいずれかに記載の方法。
７．前記パラメータマップは各々が、前記パターニングプロセスの個別の寄与因子に関連し、前記方法は、任意選択として、各パラメータマップについて一貫性特性を、前記パターニングプロセス中の別々の層及び／又は基板に関連するパラメータマップどうしの寄与因子ごとの比較に基づいて決定することをさらに備える、節２から６のいずれかに記載の方法。
８．前記方法は、寄与因子が系統的であるか否かを前記一貫性特性に基づいて決定することを備える、節７の方法。
９．前記代表の性質を選択するとき、系統的であると決定された寄与因子に対応するパラメータマップのみを使用すること、及び／又は系統的であると決定された寄与因子に、より大きな重み付けを割り当てることを備える、節８に記載の方法。
１０．前記一貫性特性を決定するためのパラメータマップの前記比較は、前記パラメータマップ間の変動の程度を決定することを備える、節７から９のいずれかに記載の方法。
１１．前記一貫性特性を決定するためのパラメータマップの前記比較は、前記パラメータマップ間の相関に基づく、節７から１０のいずれかに記載の方法。
１２．前記パターニングプロセスのパラメータは、オーバレイ、クリティカルディメンション、フォーカス、及び／又はエッジ配置誤差である、節２から１１のいずれかに記載の方法。
１３．前記装置は、スキャナである、節２から１２のいずれかに記載の方法。
１４．前記スキャナに関連する前記データは、レベリングデータ、アライメントデータ、投影システムに関連付けられた収差データ、及び／又はレチクル位相を含む、節１３に記載の方法。
１５．前記複数のパラメータマップは、オーバレイ、クリティカルディメンション、フォーカス、及び／又はエッジ配置誤差を含む１つ又は複数のパラメータについてのパラメータマップを備える、節２から１４のいずれかに記載の方法。
１６．前記複数のパラメータマップの各パラメータマップは、パラメータの高密度マップであり、前記高密度マップが、前記パラメータに対する前記パターニングプロセスの１つ又は複数のプロセス変数の寄与度のモデル化及び／又はシミュレーションによって生成される、節２から１５のいずれかに記載の方法。
１７．前記プロセス変数は、フォーカス及び／又はドーズである、節１６に記載の方法。
１８．パターニングプロセスに補正を適用する方法であって、
（ｉ）前記パターニングプロセスの複数の性質から選択される代表の性質と、（ｉｉ）前記代表の性質に基づく補正とを取得することと、
ハードウェアコンピュータシステムによって、同じ基板の後続の層、基板ロット内の基板、及び／又は後続の基板ロットの基板について前記パターニングプロセスに前記補正を適用することと、を備える方法。
１９．前記複数の性質は、複数のパラメータマップであり、前記複数のパラメータマップの各パラメータマップが、メトロロジデータおよび前記パターニングプロセス用の装置のデータから生成され、
前記代表の性質は、前記複数のパラメータマップから選択される代表パラメータマップである、節１８に記載の方法。
２０．前記複数の性質は、前記パターニングプロセス中に処理された基板ロットについての前記パターニングプロセスの複数のパラメータマップに対応する１つ又は複数の補正であり、前記複数のパラメータマップの各パラメータマップが、メトロロジデータおよび前記パターニングプロセス用の装置のデータから生成され、
前記代表の性質は、前記パターニングプロセスへの１つ又は複数の補正から選択される代表補正である、節１８に記載の方法。
２１．前記代表の性質を選択することは、前記複数の性質の重み付き平均に基づく、節１８から２０のいずれかに記載の方法。
２２．前記代表の性質を選択することは、前記パターニングプロセス用の前記装置の潜在的補正能力に基づく、節１９または２０に記載の方法。
２３．パラメータマップは各々が、前記パターニングプロセスの個別の寄与因子に関連する、節１８から２２のいずれかに記載の方法。
２４．パターニングプロセスへの補正を決定する方法であって、
（ｉ）以前に処理済みの基板ロットについての前記パターニングプロセスの複数の性質、（ｉｉ）現在の基板の測定値、および（ｉｉｉ）前記現在の基板の測定値に基づく現在の性質を取得することと、
ハードウェアコンピュータシステムによって、整合する性質を前記現在の性質と前記複数の性質との比較に基づいて前記複数の性質から特定することと、
前記ハードウェアコンピュータシステムによって、前記パターニングプロセスへの補正を前記整合する性質に基づいて決定することと、を備える方法。
２５．前記複数の性質は、複数のパラメータマップであり、前記複数のパラメータマップの各パラメータマップが、前記メトロロジデータおよび前記パターニングプロセス用の装置のデータから生成され、
前記現在の性質は、前記現在の基板の測定値から生成される現在基板マップであり、
前記整合する性質は、前記複数のパラメータマップから前記現在基板マップと前記複数のパラメータマップとの比較に基づいて特定される整合パラメータマップである、節２４に記載の方法。
２６．前記複数の性質は、前記複数のパラメータマップに対応する１つ又は複数の補正であり、前記複数のパラメータマップの各パラメータマップが、メトロロジデータおよび前記パターニングプロセス用の装置のデータから生成され、
前記現在の性質は、前記現在の基板の測定値から生成される現在基板マップに基づく現在補正であり、
前記整合する性質は、前記１つ又は複数の補正から前記現在補正と前記１つ又は複数の補正との比較に基づいて特定される整合補正マップである、節２４に記載の方法。
２７．前記現在の基板の測定値および前記パターニングプロセス用の前記装置のデータに基づいて、モデリング及び／又はシミュレーションにより、モデル化パラメータマップを取得することと、
前記ハードウェアコンピュータシステムによって、前記整合パラメータマップを前記複数のパラメータマップから前記モデル化パラメータマップと前記複数のパラメータマップとの比較に基づいて特定することと、
前記ハードウェアコンピュータシステムによって、前記パターニングプロセスへの補正を前記整合パラメータマップに基づいて決定することと、をさらに備える、節２５に記載の方法。
２８．前記複数のパラメータマップに基づいて基板の１つ又は複数のカテゴリーを、及び／又は前記基板の１つ又は複数のカテゴリーに対応する１つ又は複数の補正を取得することと、
前記ハードウェアコンピュータシステムによって、基板カテゴリーを前記基板の１つ又は複数のカテゴリーから前記現在の基板の測定値に基づいて特定することと、
前記ハードウェアコンピュータシステムによって、前記基板の特定されたカテゴリーに対応する前記パターニングプロセスへの前記補正を選択することと、をさらに備える、節２５から２７のいずれかに記載の方法。
２９．前記整合する性質を選択することは、前記複数の性質の重み付き平均に基づく、節２４から２８のいずれかに記載の方法。
３０．前記整合する性質を選択することは、前記パターニングプロセス用の前記装置の潜在的補正能力に基づく、節２４から２９のいずれかに記載の方法。
３１．前記補正は、前記基板ロット内の基板についての後続の装置への補正、後続の基板ロットの基板についての前記装置への補正、及び／又は前記パターニングプロセス用の他の装置への補正を備える、節２４から３０のいずれかに記載の方法。
３２．パターニングプロセスに補正を適用する方法であって、
（ｉ）以前に処理済みの基板についての前記パターニングプロセスの複数の性質から、現在の基板の測定値に基づく現在の性質と前記複数の性質との比較に基づいて特定される整合する性質を取得し、（ｉｉ）前記整合する性質に基づく補正を取得することと、
ハードウェアコンピュータシステムによって、前記現在の基板について前記パターニングプロセスに前記補正を適用することと、を備える方法。
３３．前記複数の性質は、複数のパラメータマップであり、前記複数のパラメータマップの各パラメータマップが、前記メトロロジデータおよび前記パターニングプロセス用の装置のデータから生成され、
前記現在の性質は、前記現在の基板の測定値から生成される現在基板マップであり、
前記整合する性質は、前記複数のパラメータマップから前記現在基板マップと前記複数のパラメータマップとの比較に基づいて特定される整合パラメータマップである、節３２に記載の方法。
３４．前記複数の性質は、前記複数のパラメータマップに対応する１つ又は複数の補正であり、前記複数のパラメータマップの各パラメータマップが、メトロロジデータおよび前記パターニングプロセス用の装置のデータから生成され、
前記現在の性質は、前記現在の基板の測定値から生成される現在基板マップに基づく現在補正であり、
前記整合する性質は、前記１つ又は複数の補正から前記現在補正と前記１つ又は複数の補正との比較に基づいて特定される整合補正マップである、節３２に記載の方法。
３５．前記現在の基板の測定値および前記パターニングプロセス用の前記装置のデータに基づいて、モデリング及び／又はシミュレーションにより、モデル化パラメータマップを取得することと、
前記ハードウェアコンピュータシステムによって、前記整合パラメータマップを前記複数のパラメータマップから前記モデル化パラメータマップと前記複数のパラメータマップとの比較に基づいて特定することと、
前記ハードウェアコンピュータシステムによって、前記パターニングプロセスへの補正を前記整合パラメータマップに基づいて決定することと、をさらに備える、節３３に記載の方法。
３６．前記複数のパラメータマップに基づいて基板の１つ又は複数のカテゴリーを、及び／又は前記基板の１つ又は複数のカテゴリーに対応する１つ又は複数の補正を取得することと、
前記ハードウェアコンピュータシステムによって、基板カテゴリーを前記基板の１つ又は複数のカテゴリーから前記現在の基板の測定値に基づいて特定することと、
前記ハードウェアコンピュータシステムによって、前記基板の特定されたカテゴリーに対応する補正を選択することと、をさらに備える、節３４に記載の方法。
３７．前記整合する性質を選択することは、前記複数の性質の重み付き平均に基づく、節３２から３６のいずれかに記載の方法。
３８．前記整合する性質を選択することは、前記パターニングプロセス用の前記装置の潜在的補正能力に基づく、節３２から３６のいずれかに記載の方法。
３９．前記補正は、前記基板ロット内の基板についての後続の装置への補正、後続の基板ロットの基板についての前記装置への補正、及び／又は前記パターニングプロセス用の他の装置への補正を備える、節３２から３８のいずれかに記載の方法。
４０．メトロロジデータ（２２０１）に対するモデル化・測定結合寄与度（２２０５）を取得する方法であって、
メトロロジデータ（２２０１）および前記メトロロジデータ（２２０１）に対する寄与度（２２０２）を取得することを備え、前記寄与度（２２０２）は、特定のプロセスステップ、プロセス変数及び／又はプロセス装置に関連付けられており、さらに、
前記寄与度（２２０２）を前記メトロロジデータ（２２０１）から、前記メトロロジデータ（２２０１）に対する導出される寄与度（２２０３）を取得するために除去することと、
モデル（２２００）を、前記導出される寄与度（２２０３）をアップサンプルしてモデル化された寄与度（２２０４）を取得するために使用することと、
前記導出される寄与度（２２０３）および前記モデル化された寄与度（２２０４）を、結合寄与度（２２０５）を取得するために結合することと、を備える方法。
４１．前記結合寄与度（２２０５）を、エッチングツール、ＣＭＰツール、成膜ツール及び／又はリソグラフィ装置などのプロセス装置を制御するための入力として使用することをさらに備える、節４０に記載の方法。
４２．前記制御することは、プロセス装置のための適切な制御レシピを生成することによって実現される、節４１に記載の方法。
４３．前記制御レシピは、リソグラフィ装置用に生成され、前記リソグラフィ装置を使用して基板に提供される複数の露光フィールドの個別制御のための情報を含む毎露光制御（ＣＰＥ）命令及び／又はサブレシピを備える、節４２に記載の方法。
４４．前記モデル（２２００）は、基板全体にわたるプロセス変数の低次の挙動を記述するように構成されるグローバルモデルである、節４０に記載の方法。
４５．パターニングプロセスへの補正を決定する方法であって、
複数の性質をメトロロジデータおよび前記パターニングプロセスに使用される装置のデータから取得することと、
ハードウェアコンピュータシステムによって、代表の性質を前記複数の性質から選択することと、
前記ハードウェアコンピュータシステムによって、前記パターニングプロセスへの補正を前記代表の性質に基づいて決定することと、を備える方法。
４６．前記複数の性質は、複数のパラメータマップであり、前記複数のパラメータマップの各パラメータマップが、前記メトロロジデータおよび前記パターニングプロセスに使用される前記装置の前記データから生成され、
前記代表の性質は、前記複数のパラメータマップから選択される代表パラメータマップである、節４５に記載の方法。
４７．前記複数の性質は、前記パターニングプロセス中に処理された基板ロットについての前記パターニングプロセスの複数のパラメータマップに対応する１つ又は複数の補正であり、前記複数のパラメータマップの各パラメータマップが、前記メトロロジデータおよび前記パターニングプロセスに使用される前記装置の前記データから生成され、
前記代表の性質は、前記パターニングプロセスへの１つ又は複数の補正から選択される代表補正である、節４５に記載の方法。
４８．前記代表の性質を選択することは、前記複数の性質の重み付き平均に基づく、節４５に記載の方法。
４９．前記代表の性質を選択することは、前記パターニングプロセスに使用される前記装置の潜在的補正能力に基づく、節４５に記載の方法。
５０．前記補正は、被処理基板上の後続の層、後続の基板ロット、後続のプロセス装置を使用して処理される前記基板ロット内の基板についての前記後続のプロセス装置、のうち１つ又は複数についての前記パターニングプロセスへの補正、及び／又は前記パターニングプロセスに使用される少なくとも１つの他のプロセス装置への補正を備える、節４５に記載の方法。
５１．前記パラメータマップは各々が、前記パターニングプロセスの個別の寄与因子に関連し、前記方法は、各パラメータマップについて一貫性特性を、前記パターニングプロセス中の別々の層及び／又は基板に関連するパラメータマップどうしの寄与因子ごとの比較に基づいて決定することをさらに備える、節４６に記載の方法。
５２．前記方法は、寄与因子が系統的であるか否かを前記一貫性特性に基づいて決定することをさらに備える、節５１の方法。
５３．前記代表の性質を選択するとき、系統的であると決定された寄与因子に対応するパラメータマップのみが使用されるか、または、系統的であると決定された寄与因子に、より大きな重み付けが割り当てられる、節５２に記載の方法。
５４．前記一貫性特性を決定するためのパラメータマップの前記比較は、前記パラメータマップ間の変動の程度を決定することを備える、節５１に記載の方法。
５５．前記一貫性特性を決定するためのパラメータマップの前記比較は、前記パラメータマップ間の相関に基づく、節５１に記載の方法。
５６．前記パラメータマップのパラメータは、オーバレイ、クリティカルディメンション、フォーカス、及び／又はエッジ配置誤差である、節４６に記載の方法。
５７．前記装置は、リソグラフィ装置（スキャナ）である、節４６に記載の方法。
５８．前記スキャナに関連する前記データは、レベリングデータ、アライメントデータ、投影システムに関連付けられた収差データ、及び／又はレチクル位相を含む、節５７に記載の方法。
５９．前記複数のパラメータマップの各パラメータマップは、パラメータの高密度マップであり、前記高密度マップが、前記パラメータに対する前記パターニングプロセスの１つ又は複数のプロセス変数の寄与度のモデル化及び／又はシミュレーションによって生成される、節５８に記載の方法。
６０．少なくとも１つのパラメータマップを、少なくとも１つの寄与因子のモデル化された表現を取得するためにモデル化することと、モデル化された前記少なくとも１つのパラメータマップと前記少なくとも１つのパラメータマップを、前記少なくとも１つの寄与因子の少なくとも１つの更新された表現を取得するために結合することと、をさらに備える、節７に記載の方法。
６１．前記少なくとも１つの寄与因子の更新された表現は、エッチングツール、ＣＭＰツール、成膜ツール及び／又はリソグラフィ装置などのプロセス装置を制御するための入力として使用される、節６０に記載の方法。
６２．前記制御することは、プロセス装置のための適切な制御レシピを生成することによって実現される、節６１に記載の方法。
６３．前記制御レシピは、リソグラフィ装置に適しており、前記リソグラフィ装置を使用して基板に提供される複数の露光フィールドの個別制御のための情報を含む毎露光制御（ＣＰＥ）命令及び／又はサブレシピを備える、節６２に記載の方法。
６４．モデル化することは、基板全体にわたるプロセス変数の低次の挙動を記述するように構成されるグローバルモデルを使用する、節６０から６３のいずれかに記載の方法。
【０３１０】
本発明の様々な態様の変更及び代替的な実施形態は、本説明を考慮することで当業者には明らかとなろう。従って、本説明及び図面は単に例示としてのみ解釈されるものであり、本発明を実行する一般的な方法を当業者に教示する目的のためのものである。本書に図示され記載される本発明の形態は、実施形態の例とみなされることは理解されよう。要素及び材料は本書に図示され記載されるものと置換することができ、部分及びプロセスは逆転するか、順番を変えるか又は省略することができ、いくつかの特徴は独立して利用することができ、実施形態又は実施形態の特徴は組み合わせることができる。これらは全て、本発明の本説明の利点を得た後で当業者に明らかとなろう。以下の特許請求の範囲に記載される本発明の精神及び範囲から逸脱することなく、本書に記載される要素に変更を加えることができる。本書に記載される見出しは、単に整理する目的のためのものであり、本記載の範囲を限定するため使用することは意図していない。
【０３１１】
本出願全体を通して、「〜しうる」という語が用いられる場合、強制的な意味（すなわち「〜しなければならない」を意味する）のではなく、許可の意味で用いられる（すなわち「〜する可能性を有する」を意味する）。「含む」、「含んでいる」等の語は、限定ではなく、含むことを意味する。本出願全体を通して、単数形「a」、「an」、「the」が用いられる場合、文脈上明らかに他の意味が示される場合を除いて、複数形を含む。従って、１つ又は複数の要素について「１つ又は複数」のような他の用語及び句が使用されるにもかかわらず、例えば、「an」又は「a」を付して要素に言及する場合、２つまたはそれより多数の要素が含まれる。「又は」という用語は、他の指示がない限り、非排他的であり、すなわち「及び」と「又は」の双方を包含する。条件関係を記述する用語、例えば「Ｘ、Ｙに応じて」、「Ｘ、Ｙの時」、「Ｘ、Ｙであるならば」、「Ｘ、Ｙである場合」等は、前件が後件の必要因果条件であるか、前件が充分因果条件であるか、又は前件が寄与因果条件である因果条件を包含する。例えば、「状態Ｘは条件Ｙが確立した時に発生する」は、「ＸはＹの時にのみ発生する」及び「ＸはＹ及びＺの時に発生する」に対して包括的である。そうした条件関係は、前件が確立した直後に続いて起こる結果に限定されない。いくつかの結果は遅れることがある。条件文において、前件はそれらの後件に接続されている。例えば、前件は後件が発生する可能性に関連している。複数の属性又は関数が複数のオブジェクトにマッピングされているという言明（例えば、１つ又は複数のプロセッサがステップＡ、Ｂ、Ｃ、及びＤを実行する）は、他の指示がない限り、全てのそうしたオブジェクトにマッピングされた全てのそうした属性又は関数と、属性又は関数のサブセットにマッピングされた属性又は関数のサブセットとの双方を包含する（例えば、全てのプロセッサの各々がステップＡからＤを実行する場合と、プロセッサ１がステップＡを実行し、プロセッサ２がステップＢ及びステップＣの一部を実行し、プロセッサ３がステップ３の一部及びステップＤを実行する場合の双方）。更に、他の指示がない限り、１つの値又はアクションが別の条件又は値「に基づいている」言明は、その条件又は値が唯一の要因である例と、その条件又は値が複数の要因のうちの１つの要因である例の双方を包含する。他の指示がない限り、ある集合の「各」インスタンスがある特性を有するという言明は、より大きい集合のいくつかの他の点で同一の又は同様のメンバがその特性を持たない事例を除外すると解釈するべきではない。すなわち、「各」は必ずしも、あらゆるものを意味するわけではない。
【０３１２】
特定の米国特許、米国特許出願、又は他の資料（例えば論文）の援用については、そうした米国特許、米国特許出願、及び他の資料の文章が、そうした資料と本書で述べた言明及び図面の間に抵触が存在しない範囲で援用されるにすぎない。そうした抵触が生じた場合、援用される米国特許、米国特許出願、及び他の資料における抵触する文章は特に、本書に援用されない。
【０３１３】
上記では本開示の特定の実施形態を説明したが、本開示は、説明したものとは異なる方式で実施されうることが理解される。
【図１】
2021508078.tif 000008
【図２】
2021508078.tif 000009
【図３】
2021508078.tif 000010
【図４】
2021508078.tif 000011
【図５】
2021508078.tif 000012
【図６】
2021508078.tif 000013
【図７】
2021508078.tif 000014
【図８】
2021508078.tif 000015
【図９】
2021508078.tif 000016
【図１０】
2021508078.tif 000017
【図１１】
2021508078.tif 000018
【図１２】
2021508078.tif 000019
【図１３】
2021508078.tif 000020
【図１４】
2021508078.tif 000021
【図１５】
2021508078.tif 000022
【図１６】
2021508078.tif 000023
【図１７Ａ】
2021508078.tif 000024
【図１７Ｂ】
2021508078.tif 000025
【図１８】
2021508078.tif 000026
【図１９】
2021508078.tif 000027
【図２０（ａ）】
2021508078.tif 000028
【図２０（ｂ）】
2021508078.tif 000029
【図２１】
2021508078.tif 000030
【図２２】
2021508078.tif 000031
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
パターニングプロセスへの補正を決定する方法であって、
性能パラメータについての複数のパラメータマップに相当し又は関連付けられる複数の性質を取得することを備え、前記複数のパラメータマップは、（ｉ）１つ又は複数のパターン付き基板からのメトロロジデータおよび（ｉｉ）前記パターニングプロセスに使用される装置のデータから生成されるものであり、さらに、
ハードウェアコンピュータシステムによって、代表の性質を前記複数の性質から選択又は生成することと、
前記ハードウェアコンピュータシステムによって、前記パターニングプロセスへの前記補正を前記代表の性質に基づいて決定することと、を備える方法。
【請求項２】
前記複数の性質は、前記複数のパラメータマップに相当し、
前記代表の性質は、前記複数のパラメータマップから選択される代表パラメータマップである、請求項１に記載の方法。
【請求項３】
前記複数の性質は、前記複数のパラメータマップに対応する前記パターニングプロセスへの複数の補正であり、前記代表の性質は、前記パターニングプロセスへの前記複数の補正から選択される代表補正である、請求項１に記載の方法。
【請求項４】
前記代表の性質を生成することは、前記複数の性質の重み付き平均に基づく、請求項１に記載の方法。
【請求項５】
前記代表の性質を選択することは、前記パターニングプロセスに使用される前記装置の潜在的補正能力に基づく、請求項１に記載の方法。
【請求項６】
前記補正は、被処理基板上の後続の層、後続の基板ロット、後続のプロセス装置を使用して処理される前記基板ロット内の基板についての前記後続のプロセス装置、のうち１つ又は複数についての前記パターニングプロセスへの補正、及び／又は前記パターニングプロセスに使用される少なくとも１つの他のプロセス装置への補正を備える、請求項１に記載の方法。
【請求項７】
前記複数のパラメータマップは、前記パターニングプロセスへの少なくとも１つの寄与因子に関連している、請求項２に記載の方法。
【請求項８】
前記複数のパラメータマップのうち各パラメータマップについて一貫性特性を、前記パターニングプロセス中の別々の層及び／又は基板に関連するパラメータマップどうしの比較に基づいて決定することと、
前記少なくとも１つの寄与因子が系統的であるか否かを前記一貫性特性に基づいて決定することと、をさらに備える、請求項７に記載の方法。
【請求項９】
前記代表の性質を選択するとき、系統的であると決定された前記少なくとも１つの寄与因子に対応するパラメータマップのみが使用されるか、または、系統的であると決定された前記少なくとも１つの寄与因子に、より大きな重み付けが割り当てられる、請求項８に記載の方法。
【請求項１０】
前記一貫性特性を決定するためのパラメータマップの前記比較は、前記パラメータマップ間の変動の程度を決定することを備える、請求項８に記載の方法。
【請求項１１】
前記一貫性特性を決定するためのパラメータマップの前記比較は、前記パラメータマップ間の相関に基づく、請求項８に記載の方法。
【請求項１２】
前記性能パラメータは、オーバレイ、クリティカルディメンション、フォーカス、及び／又はエッジ配置誤差である、請求項１に記載の方法。
【請求項１３】
前記装置は、リソグラフィ装置である、請求項１に記載の方法。
【請求項１４】
前記リソグラフィ装置に関連する前記データは、レベリングデータ、アライメントデータ、投影システムに関連付けられた収差データ、及び／又はレチクルに設けられる構造に関連付けられるレチクルデータのうち１つ又は複数を含む、請求項１３に記載の方法。
【請求項１５】
前記複数のパラメータマップの各パラメータマップは、前記性能パラメータの高密度マップであり、前記高密度マップが、前記性能パラメータに対する前記パターニングプロセスの１つ又は複数のプロセス変数の寄与度のモデル化及び／又はシミュレーションによって生成される、請求項１４に記載の方法。
【国際調査報告】
2021508078.tif 000032
2021508078.tif 000033
2021508078.tif 000034